(57)【要約】  移動体ワイヤレス・デバイスの位置を検出するシステムは、制御プレーンおよびユーザ・プレーンを通じてワイヤレス通信システムと通信するように構成されている。ユーザ・プレーンはデータ・チャネルを含み、本システムは、データ・チャネルを通じて、位置を検出すべきワイヤレス・デバイスと通信するように構成されているサーバを含む。サーバは、ワイヤレス・デバイスから、ワイヤレス位置検出システムにタスクを割り当てるのに有用な情報を入手する。タスクを割り当てるのに有用な情報は、ワイヤレス・デバイスが通信している担当セル・サイトに隣接する少なくとも１つのセル・サイトを示す情報を含むことができる。これは、担当セル・サイト、ワイヤレス・デバイスが通信している逆チャネル、および／またはホッピング・パターン等を示す情報を含むことができる。本システムは、例えば、ＧＳＭまたはＵＭＴＳワイヤレス通信システムと共に用いることができる。【選択図】図３
2010504701.tif 000002
【特許請求の範囲】
【請求項１】
制御プレーンおよびユーザ・プレーンを通じてワイヤレス通信システムと通信するように構成された移動体ワイヤレス・デバイスの位置を検出するシステムであって、ユーザ・プレーンはデータ・チャネルを備えており、
位置を検出すべきワイヤレス・デバイスと、データ・チャネルを通じて通信し、前記ワイヤレス・デバイスから、ワイヤレス位置検出システムにタスクを割り当てるのに有用な情報を入手するように構成されたサーバを備えた、システム。
【請求項２】
請求項１記載のシステムにおいて、前記タスクを割り当てるのに有用な情報は、前記ワイヤレス・デバイスが通信している担当セル・サイトに隣接する少なくとも１つのセル・サイトを示す情報を含む、システム。
【請求項３】
請求項２記載のシステムにおいて、前記タスクを割り当てるのに有用な情報は、前記ワイヤレス・デバイスが通信している担当セル・サイトを示す情報を含む、システム。
【請求項４】
請求項２記載のシステムにおいて、前記タスクを割り当てるのに有用な情報は、前記ワイヤレス・デバイスが担当セル・サイトと通信する逆チャネルを識別する情報を含む、システム。
【請求項５】
請求項４記載のシステムにおいて、前記逆チャネルを識別する情報は、周波数割り当てを含む、システム。
【請求項６】
請求項４記載のシステムにおいて、前記逆チャネルを識別する情報は、チャネル番号割り当てを含む、システム。
【請求項７】
請求項１記載のシステムにおいて、前記タスクを割り当てるのに有用な情報は、無線チャネル情報を含む、システム。
【請求項８】
請求項７記載のシステムにおいて、前記無線チャネル情報は、前記ワイヤレス・デバイスの位置を検出するために用いることができる特定の受信機を示す情報を含む、システム。
【請求項９】
請求項８記載のシステムにおいて、前記特定の受信機を示す情報は、担当セルを識別する情報を含む、システム。
【請求項１０】
請求項８記載のシステムにおいて、前記特定の受信機を示す情報は、近隣セルを識別する情報を含む、システム。
【請求項１１】
請求項７記載のシステムにおいて、前記無線チャネル情報は、前記ワイヤレス・デバイスの位置を検出するために受信機を同調させなければならないチャネルを示す情報を含む、システム。
【請求項１２】
請求項１１記載のシステムにおいて、受信機を同調しなければならないチャネルを示す前記情報は、無線周波数を識別する情報を含む、システム。
【請求項１３】
請求項１１記載のシステムにおいて、受信機を同調しなければならないチャネルを示す前記情報は、フレームを識別する情報を含む、システム。
【請求項１４】
請求項１１記載のシステムにおいて、受信機を同調しなければならないチャネルを示す前記情報は、タイムスロットを識別する情報を含む、システム。
【請求項１５】
請求項１１記載のシステムにおいて、受信機を同調しなければならないチャネルを示す前記情報は、ホップ・パターンを識別する情報を含む、システム。
【請求項１６】
請求項１１記載のシステムにおいて、受信機を同調しなければならないチャネルを示す前記情報は、変調方式を識別する情報を含む、システム。
【請求項１７】
請求項７記載のシステムにおいて、前記無線チャネル情報は、前記ワイヤレス・デバイスからの信号を少なくとも部分的に復調するのに有用な情報を含む、システム。
【請求項１８】
請求項１７記載のシステムにおいて、前記少なくとも部分的な復調は、制御シグナリングおよび誤り符号化を抽出するのに十分な復調を含む、システム。
【請求項１９】
請求項１８記載のシステムにおいて、前記情報は暗号鍵を含む、システム。
【請求項２０】
請求項１８記載のシステムにおいて、前記情報は誤り符号化および訂正のための情報を含む、システム。
【請求項２１】
請求項７記載のシステムにおいて、前記無線チャネル情報は、担当セルＣＧＩを示す情報を含む、システム。
【請求項２２】
請求項７記載のシステムにおいて、前記無線チャネル情報は、担当セルＡＲＦＣＮを示す情報を含む、システム。
【請求項２３】
請求項７記載のシステムにおいて、前記無線チャネル情報は、担当セルＢＳＩＣを示す情報を含む、システム。
【請求項２４】
請求項７記載のシステムにおいて、前記無線チャネル情報は、以前のセルＣＧＩおよびＴＡを示す情報を含む、システム。
【請求項２５】
請求項７記載のシステムにおいて、前記無線チャネル情報は、アップリンク受信レベルおよび品質を示す情報を含む、システム。
【請求項２６】
請求項７記載のシステムにおいて、前記無線チャネル情報は、ダウンリンク受信レベルおよび品質を示す情報を含む、システム。
【請求項２７】
請求項７記載のシステムにおいて、前記無線チャネル情報は、タイミング進み（ＴＡ）を示す情報を含む、システム。
【請求項２８】
請求項７記載のシステムにおいて、前記無線チャネル情報は、ネットワーク測定報告（ＮＭＲ）を含む、システム。
【請求項２９】
請求項７記載のシステムにおいて、前記無線チャネル情報は、ＡＲＦＣＮを示す情報を含む、システム。
【請求項３０】
請求項７記載のシステムにおいて、前記無線チャネル情報は、タイムスロットを示す情報を含む、システム。
【請求項３１】
請求項７記載のシステムにおいて、前記無線チャネル情報は、チャネル・タイプを示す情報を含む、システム。
【請求項３２】
請求項７記載のシステムにおいて、前記無線チャネル情報は、サブチャネル番号を示す情報を含む、システム。
【請求項３３】
請求項７記載のシステムにおいて、前記無線チャネル情報は、周波数リストを示す情報を含む、システム。
【請求項３４】
請求項７記載のシステムにおいて、前記無線チャネル情報は、ＭＡＩＯを示す情報を含む、システム。
【請求項３５】
請求項７記載のシステムにおいて、前記無線チャネル情報は、ＨＳＮを示す情報を含む、システム。
【請求項３６】
請求項７記載のシステムにおいて、前記無線チャネル情報は、フレーム番号を示す情報を含む、システム。
【請求項３７】
請求項７記載のシステムにおいて、前記無線チャネル情報は、暗号鍵を示す情報を含む、システム。
【請求項３８】
請求項７記載のシステムにおいて、前記無線チャネル情報は、暗号アルゴリズムを示す情報を含む、システム。
【請求項３９】
請求項７記載のシステムにおいて、前記無線チャネル情報は、誤り訂正符号化方法およびレベルを示す情報を含む、システム。
【請求項４０】
請求項７記載のシステムにおいて、前記無線チャネル情報は、割り当てられたフレームを示す情報を含む、システム。
【請求項４１】
請求項７記載のシステムにおいて、前記無線チャネル情報は、変調方式を示す情報を含む、システム。
【請求項４２】
請求項７記載のシステムにおいて、前記無線チャネル情報は、ＣＤＭＡ拡散符号を示す情報を含む、システム。
【請求項４３】
請求項７記載のシステムにおいて、前記無線チャネル情報は、パイロットＰＮオフセットを示す情報を含む、システム。
【請求項４４】
請求項７記載のシステムにおいて、前記無線チャネル情報は、逆パイロット・チャネル・フォーマットを示す情報を含む、システム。
【請求項４５】
請求項７記載のシステムにおいて、前記無線チャネル情報は、ベータ・パラメータを示す情報を含む、システム。
【請求項４６】
請求項７記載のシステムにおいて、前記無線チャネル情報は、長符号マスクを示す情報を含む、システム。
【請求項４７】
請求項７記載のシステムにおいて、前記無線チャネル情報は、拡散係数を示す情報を含む、システム。
【請求項４８】
請求項１記載のシステムにおいて、前記サーバは、ＩＰベース（インターネット・プロトコル・ベース）インターフェースを通じて前記ワイヤレス通信システムと通信するように構成された、システム。
【請求項４９】
請求項４８記載のシステムにおいて、前記ＩＰベースインターフェースは、ＸＭＬ（拡張可能マークアップ言語）を採用する、システム。
【請求項５０】
請求項１記載のシステムにおいて、当該システムは、前記ワイヤレス位置検出システムを含み、該ワイヤレス位置検出システムは、前記ワイヤレス・デバイスからアップリンク送信を受信するタスクを割り当てられ、前記ワイヤレス・デバイスの位置を検出するために到達時間差（ＴＤＯＡ）アルゴリズムを採用するように構成された複数の位置測定ユニット（ＬＭＵ）を備えた、システム。
【請求項５１】
請求項５０記載のシステムにおいて、前記ワイヤレス位置検出システムは、前記ＬＭＵの少なくとも１つが、前記ワイヤレス通信システムの基地送受信局（ＢＴＳ）と同じ場所に配置され、これと資源を共有するように、前記ワイヤレス通信システム上に重ね合わされた、システム。
【請求項５２】
請求項１記載のシステムにおいて、当該システムは前記ワイヤレス・デバイスを含み、該ワイヤレス・デバイスは、ワイヤレス通信サブシステムと、プロセッサと、コンピュータ読み取り可能記憶媒体とを備えた位置検出デバイス・プラットフォーム（ＬＤＰ）デバイスであり、該ＬＤＰデバイスは、ワイヤレス位置検出システムにタスクを割り当てるのに有用な前記情報を提供するために、前記サーバと通信するように構成された、システム。
【請求項５３】
請求項５２記載のシステムにおいて、前記ワイヤレス通信サブシステムは、無線受信機および無線送信機を備えており、前記プロセッサおよびコンピュータ読み取り可能記憶媒体は、前記ＬＤＰデバイスが主にゲーム・デバイスとしての使用に限定されるように構成された、システム。
【請求項５４】
請求項１記載のシステムにおいて、前記サーバは、プロセッサと、コンピュータ読み取り可能記憶媒体とを備えた位置検出対応サーバ（ＬＥＳ）であり、該ＬＥＳは、政府規制ゲーム・サービスを前記ワイヤレス・デバイスに提供する目的で、ゲーム・サーバおよび前記ワイヤレス位置検出システムと通信するように構成された、システム。
【請求項５５】
請求項５４記載のシステムにおいて、前記ゲーム・サービスの提供は、前記ワイヤレス・デバイスの地理的所在地に基づく、システム。
【請求項５６】
請求項５５記載のシステムにおいて、前記プロセッサおよびコンピュータ読み取り可能記憶媒体は、前記ＬＥＳが前記ゲーム・サーバからの要求を受信し、情報を前記ゲーム・サーバに提供するように構成されており、前記情報は、ゲーム・サービスがある場合、どれを前記ワイヤレス・デバイスに提供すべきか決定する際に、前記ゲーム・サーバによって用いることができる、システム。
【請求項５７】
請求項５６記載のシステムにおいて、前記プロセッサおよびコンピュータ読み取り可能媒体は、前記ＬＥＳが前記ゲーム・サーバからの要求を受信し、前記ワイヤレス位置検出システムから所在地情報を要求するように構成された、システム。
【請求項５８】
請求項１記載のシステムにおいて、当該システムは、ＧＳＭワイヤレス通信システムと共に動作するように構成された、システム。
【請求項５９】
請求項１記載のシステムにおいて、当該システムは、ＵＭＴＳワイヤレス通信システムと共に動作するように構成された、システム。
【請求項６０】
請求項１記載のシステムにおいて、当該システムは、ＣＤＭＡ２０００ワイヤレス通信システムと共に動作するように構成された、システム。
【請求項６１】
請求項１記載のシステムにおいて、当該システムは、ＷｉＦｉワイヤレス通信システムと共に動作するように構成された、システム。
【請求項６２】
請求項１記載のシステムにおいて、当該システムは、ＷｉＭａｘワイヤレス通信システムと共に動作するように構成された、システム。
【請求項６３】
制御プレーンおよびユーザ・プレーンを通じてワイヤレス通信システムと通信するように構成された移動体ワイヤレス・デバイスの位置を検出する方法であって、前記ユーザ・プレーンはデータ・チャネルを備えており、
データ・チャネルを通じてワイヤレス・デバイスと通信するようにサーバを構成するステップと、
前記ワイヤレス・デバイスから、ワイヤレス位置検出システムにタスクを割り当てるのに有用な情報を入手するステップと、
前記ワイヤレス・デバイスから入手した情報を用いて、前記ワイヤレス位置検出システムにタスクを割り当てるステップと、
を備えた、方法。
【請求項６４】
請求項６３記載の方法において、前記タスクを割り当てるのに有用な情報は、前記ワイヤレス・デバイスが通信している担当セル・サイトに隣接する少なくとも１つのセル・サイトを示す情報を含む、方法。
【請求項６５】
請求項６４記載の方法において、前記タスクを割り当てるのに有用な情報は、前記ワイヤレス・デバイスが通信している担当セル・サイトを示す情報を含む、方法。
【請求項６６】
請求項６４記載の方法において、前記タスクを割り当てるのに有用な情報は、前記ワイヤレス・デバイスが担当セル・サイトと通信する逆チャネルを識別する情報を含む、方法。
【請求項６７】
請求項６６記載の方法において、前記逆チャネルを識別する情報は、周波数割り当てを含む、方法。
【請求項６８】
請求項６６記載の方法において、前記逆チャネルを識別する情報は、チャネル番号割り当てを含む、方法。
【請求項６９】
請求項６３記載の方法において、前記タスクを割り当てるのに有用な情報は、無線チャネル情報を含む、方法。
【請求項７０】
請求項６９記載の方法において、前記無線チャネル情報は、前記ワイヤレス・デバイスの位置を検出するために用いることができる特定の受信機を示す情報を含む、方法。
【請求項７１】
請求項７０記載の方法において、前記特定の受信機を示す情報は、担当セルを識別する情報を含む、方法。
【請求項７２】
請求項７０記載の方法において、前記特定の受信機を示す情報は、近隣セルを識別する情報を含む、方法。
【請求項７３】
請求項６９記載の方法において、前記無線チャネル情報は、前記ワイヤレス・デバイスの位置を検出するために受信機を同調させなければならないチャネルを示す情報を含む、方法。
【請求項７４】
請求項７３記載の方法において、受信機を同調しなければならないチャネルを示す前記情報は、無線周波数を識別する情報を含む、方法。
【請求項７５】
請求項７３記載の方法において、受信機を同調しなければならないチャネルを示す前記情報は、フレームを識別する情報を含む、方法。
【請求項７６】
請求項７３記載の方法において、受信機を同調しなければならないチャネルを示す前記情報は、タイムスロットを識別する情報を含む、方法。
【請求項７７】
請求項７３記載の方法において、受信機を同調しなければならないチャネルを示す前記情報は、ホップ・パターンを識別する情報を含む、方法。
【請求項７８】
請求項７３記載の方法において、受信機を同調しなければならないチャネルを示す前記情報は、変調方式を識別する情報を含む、方法。
【請求項７９】
請求項６９記載の方法において、前記無線チャネル情報は、前記ワイヤレス・デバイスからの信号を少なくとも部分的に復調するのに有用な情報を含む、方法。
【請求項８０】
請求項７９記載の方法において、前記少なくとも部分的な復調は、制御シグナリングおよび誤り符号化を抽出するのに十分な復調を含む、方法。
【請求項８１】
請求項８０記載の方法において、前記情報は暗号鍵を含む、方法。
【請求項８２】
請求項８１記載の方法において、前記情報は誤り符号化および訂正のための情報を含む、方法。
【請求項８３】
請求項６９記載の方法において、前記無線チャネル情報は、担当セルＣＧＩを示す情報を含む、方法。
【請求項８４】
請求項６９記載の方法において、前記無線チャネル情報は、担当セルＡＲＦＣＮを示す情報を含む、方法。
【請求項８５】
請求項６９記載の方法において、前記無線チャネル情報は、担当セルＢＳＩＣを示す情報を含む、方法。
【請求項８６】
請求項６９記載の方法において、前記無線チャネル情報は、以前のセルＣＧＩおよびＴＡを示す情報を含む、方法。
【請求項８７】
請求項６９記載の方法において、前記無線チャネル情報は、アップリンク受信レベルおよび品質を示す情報を含む、方法。
【請求項８８】
請求項６９記載の方法において、前記無線チャネル情報は、ダウンリンク受信レベルおよび品質を示す情報を含む、方法。
【請求項８９】
請求項６９記載の方法において、前記無線チャネル情報は、タイミング進み（ＴＡ）を示す情報を含む、方法。
【請求項９０】
請求項６９記載の方法において、前記無線チャネル情報は、ネットワーク測定報告（ＮＭＲ）を含む、方法。
【請求項９１】
請求項６９記載の方法において、前記無線チャネル情報は、ＡＲＦＣＮを示す情報を含む、方法。
【請求項９２】
請求項６９記載の方法において、前記無線チャネル情報は、タイムスロットを示す情報を含む、方法。
【請求項９３】
請求項６９記載の方法において、前記無線チャネル情報は、チャネル・タイプを示す情報を含む、方法。
【請求項９４】
請求項６９記載の方法において、前記無線チャネル情報は、サブチャネル番号を示す情報を含む、方法。
【請求項９５】
請求項６９記載の方法において、前記無線チャネル情報は、周波数リストを示す情報を含む、方法。
【請求項９６】
請求項６９記載の方法において、前記無線チャネル情報は、ＭＡＩＯを示す情報を含む、方法。
【請求項９７】
請求項６９記載の方法において、前記無線チャネル情報は、ＨＳＮを示す情報を含む、方法。
【請求項９８】
請求項６９記載の方法において、前記無線チャネル情報は、フレーム番号を示す情報を含む、方法。
【請求項９９】
請求項６９記載の方法において、前記無線チャネル情報は、暗号鍵を示す情報を含む、方法。
【請求項１００】
請求項６９記載の方法において、前記無線チャネル情報は、暗号アルゴリズムを示す情報を含む、方法。
【請求項１０１】
請求項６９記載の方法において、前記無線チャネル情報は、誤り訂正符号化方法およびレベルを示す情報を含む、方法。
【請求項１０２】
請求項６９記載の方法において、前記無線チャネル情報は、割り当てられたフレームを示す情報を含む、方法。
【請求項１０３】
請求項６９記載の方法において、前記無線チャネル情報は、変調方式を示す情報を含む、方法。
【請求項１０４】
請求項６９記載の方法において、前記無線チャネル情報は、ＣＤＭＡ拡散符号を示す情報を含む、方法。
【請求項１０５】
請求項６９記載の方法において、前記無線チャネル情報は、パイロットＰＮオフセットを示す情報を含む、方法。
【請求項１０６】
請求項６９記載の方法において、前記無線チャネル情報は、逆パイロット・チャネル・フォーマットを示す情報を含む、方法。
【請求項１０７】
請求項６９記載の方法において、前記無線チャネル情報は、ベータ・パラメータを示す情報を含む、方法。
【請求項１０８】
請求項６９記載の方法において、前記無線チャネル情報は、長符号マスクを示す情報を含む、方法。
【請求項１０９】
請求項６９記載の方法において、前記無線チャネル情報は、拡散係数を示す情報を含む、方法。
【請求項１１０】
請求項６３記載の方法において、ＩＰベース（インターネット・プロトコル・ベース）インターフェースを通じて前記ワイヤレス通信システムと通信するように、前記サーバを構成するステップを備えた、方法。
【請求項１１１】
請求項１１０記載の方法において、前記ＩＰベース・インターフェースは、ＸＭＬ（拡張可能マークアップ言語）を採用する、方法。
【請求項１１２】
請求項６３記載の方法であって、更に、複数の位置測定ユニット（ＬＭＵ）を備えたワイヤレス位置検出システムを設けるステップと、前記ワイヤレス・デバイスからアップリンク送信を受信するタスクを割り当てられ、前記ワイヤレス・デバイスの位置を検出するために到達時間差（ＴＤＯＡ）アルゴリズムを採用するように前記ＬＭＵを構成するステップとを備えた、方法。
【請求項１１３】
請求項１１２記載の方法であって、更に、前記ＬＭＵの少なくとも１つが、前記ワイヤレス通信システムの基地送受信局（ＢＴＳ）と同じ場所に配置され、これと資源を共有するように、前記ワイヤレス位置検出システムを前記ワイヤレス通信システム上に重ね合わせるステップを備えた、方法。
【請求項１１４】
請求項６３記載の方法であって、更に、前記ワイヤレス・デバイスを位置検出デバイス・プラットフォーム（ＬＤＰ）デバイスの形態で設けるステップであって、前記ワイヤレス・デバイスが、ワイヤレス通信サブシステムと、プロセッサと、コンピュータ読み取り可能記憶媒体とを備えた、ステップと、ワイヤレス位置検出システムにタスクを割り当てるのに有用な前記情報を提供するために、前記サーバと通信するように前記ＬＤＰデバイスを構成するステップとを備えた、方法。
【請求項１１５】
請求項１１４記載の方法において、前記ワイヤレス通信サブシステムは、無線受信機および無線送信機を備えており、前記プロセッサおよびコンピュータ読み取り可能記憶媒体は、前記ＬＤＰデバイスが主にゲーム・デバイスとしての使用に限定されるように構成された、方法。
【請求項１１６】
請求項６３記載の方法であって、更に、前記サーバを、プロセッサと、コンピュータ読み取り可能記憶媒体とを備えた位置検出対応サーバ（ＬＥＳ）の形態で設けるステップと、政府規制ゲーム・サービスを前記ワイヤレス・デバイスに提供するように、ゲーム・サーバおよび前記ワイヤレス位置検出システムと通信するように前記ＬＥＳを構成するステップとを備えた、方法。
【請求項１１７】
請求項１１６記載の方法において、前記ゲーム・サービスの提供は、前記ワイヤレス・デバイスの地理的所在地に基づく、方法。
【請求項１１８】
請求項１１７記載の方法において、前記プロセッサおよびコンピュータ読み取り可能記憶媒体は、前記ＬＥＳが前記ゲーム・サーバからの要求を受信し、情報を前記ゲーム・サーバに提供するように構成されており、前記情報は、ゲーム・サービスがある場合、どれを前記ワイヤレス・デバイスに提供すべきか決定する際に、前記ゲーム・サーバによって用いることができる、方法。
【請求項１１９】
請求項１１８記載の方法において、前記プロセッサおよびコンピュータ読み取り可能記憶媒体は、前記ＬＥＳが前記ゲーム・サーバからの要求を受信し、前記ワイヤレス位置検出システムから所在地情報を要求するように構成された、方法。
【請求項１２０】
請求項６３記載の方法において、当該方法をＧＳＭワイヤレス通信システムと共に実行する、方法。
【請求項１２１】
請求項６３記載の方法において、当該方法をＵＭＴＳワイヤレス通信システムと共に実行する、方法。
【請求項１２２】
制御プレーンおよびユーザ・プレーンを通じてワイヤレス通信システムと通信するように構成された移動体ワイヤレス・デバイスの位置を検出する方法を実行する際に、位置検出対応サーバ（ＬＥＳ）に命令するコンピュータ読み取り可能命令を備えた、コンピュータ読み取り可能媒体であって、前記ユーザ・プレーンはデータ・チャネルを備えており、前記方法が、
データ・チャネルを通じてワイヤレス・デバイスと通信するように前記ＬＥＳを構成するステップと、
前記ワイヤレス・デバイスから、ワイヤレス位置検出システムにタスクを割り当てるのに有用な情報を入手するステップと、
前記ワイヤレス・デバイスから入手した情報を用いて、前記ワイヤレス位置検出システムにタスクを割り当てるステップと、
を備えた、コンピュータ読み取り可能媒体。
【請求項１２３】
請求項１２２記載のコンピュータ読み取り可能媒体において、前記タスクを割り当てるのに有用な情報は、前記ワイヤレス・デバイスが通信している担当セル・サイトに隣接する少なくとも１つのセル・サイトを示す情報を含む、コンピュータ読み取り可能媒体。
【請求項１２４】
請求項１２２記載のコンピュータ読み取り可能媒体において、前記タスクを割り当てるのに有用な情報は、前記ワイヤレス・デバイスが通信している担当セル・サイトを示す情報を含む、コンピュータ読み取り可能媒体。
【請求項１２５】
請求項１２２記載のコンピュータ読み取り可能媒体において、前記タスクを割り当てるのに有用な情報は、前記ワイヤレス・デバイスが担当セル・サイトと通信する逆チャネルを識別する情報を含む、コンピュータ読み取り可能媒体。
【請求項１２６】
請求項１２５記載のコンピュータ読み取り可能媒体において、前記逆チャネルを識別する情報は、周波数割り当てを含む、コンピュータ読み取り可能媒体。
【請求項１２７】
請求項１２５記載のコンピュータ読み取り可能媒体において、前記逆チャネルを識別する情報は、チャネル番号割り当てを含む、コンピュータ読み取り可能媒体。
【請求項１２８】
請求項１２２記載のコンピュータ読み取り可能媒体において、前記タスクを割り当てるのに有用な情報は、無線チャネル情報を含む、コンピュータ読み取り可能媒体。
【請求項１２９】
請求項１２８記載のコンピュータ読み取り可能媒体において、前記無線チャネル情報は、前記ワイヤレス・デバイスの位置を検出するために用いることができる特定の受信機を示す情報を含む、コンピュータ読み取り可能媒体。
【請求項１３０】
請求項１２９記載のコンピュータ読み取り可能媒体において、前記特定の受信機を示す情報は、担当セルを識別する情報を含む、コンピュータ読み取り可能媒体。
【請求項１３１】
請求項１２９記載のコンピュータ読み取り可能媒体において、前記特定の受信機を示す情報は、近隣セルを識別する情報を含む、コンピュータ読み取り可能媒体。
【請求項１３２】
請求項１２８記載のコンピュータ読み取り可能媒体において、前記無線チャネル情報は、前記ワイヤレス・デバイスの位置を検出するために受信機を同調させなければならないチャネルを示す情報を含む、コンピュータ読み取り可能媒体。
【請求項１３３】
請求項１３２記載のコンピュータ読み取り可能媒体において、受信機を同調しなければならないチャネルを示す前記情報は、無線周波数を識別する情報を含む、コンピュータ読み取り可能媒体。
【請求項１３４】
請求項１３２記載のコンピュータ読み取り可能媒体において、受信機を同調しなければならないチャネルを示す前記情報は、フレームを識別する情報を含む、コンピュータ読み取り可能媒体。
【請求項１３５】
請求項１３２記載のコンピュータ読み取り可能媒体において、受信機を同調しなければならないチャネルを示す前記情報は、タイムスロットを識別する情報を含む、コンピュータ読み取り可能媒体。
【請求項１３６】
請求項１３２記載のコンピュータ読み取り可能媒体において、受信機を同調しなければならないチャネルを示す前記情報は、ホップ・パターンを識別する情報を含む、コンピュータ読み取り可能媒体。
【請求項１３７】
請求項１３２記載のコンピュータ読み取り可能媒体において、受信機を同調しなければならないチャネルを示す前記情報は、変調方式を識別する情報を含む、コンピュータ読み取り可能媒体。
【請求項１３８】
請求項１２８記載のコンピュータ読み取り可能媒体において、前記無線チャネル情報は、前記ワイヤレス・デバイスからの信号を少なくとも部分的に復調するのに有用な情報を含む、コンピュータ読み取り可能媒体。
【請求項１３９】
請求項１３８記載のコンピュータ読み取り可能媒体において、前記少なくとも部分的な復調は、制御シグナリングおよび誤り符号化を抽出するのに十分な復調を含む、コンピュータ読み取り可能媒体。
【請求項１４０】
請求項１３９記載のコンピュータ読み取り可能媒体において、前記情報は暗号鍵を含む、コンピュータ読み取り可能媒体。
【請求項１４１】
請求項１４０記載のコンピュータ読み取り可能媒体において、前記情報は誤り符号化および訂正のための情報を含む、コンピュータ読み取り可能媒体。
【請求項１４２】
請求項１２８記載のコンピュータ読み取り可能媒体において、前記無線チャネル情報は、担当セルＣＧＩを示す情報を含む、コンピュータ読み取り可能媒体。
【請求項１４３】
請求項１２８記載のコンピュータ読み取り可能媒体において、前記無線チャネル情報は、担当セルＡＲＦＣＮを示す情報を含む、コンピュータ読み取り可能媒体。
【請求項１４４】
請求項１２８記載のコンピュータ読み取り可能媒体において、前記無線チャネル情報は、担当セルＢＳＩＣを示す情報を含む、コンピュータ読み取り可能媒体。
【請求項１４５】
請求項１２８記載のコンピュータ読み取り可能媒体において、前記無線チャネル情報は、以前のセルＣＧＩおよびＴＡを示す情報を含む、コンピュータ読み取り可能媒体。
【請求項１４６】
請求項１２８記載のコンピュータ読み取り可能媒体において、前記無線チャネル情報は、アップリンク受信レベルおよび品質を示す情報を含む、コンピュータ読み取り可能媒体。
【請求項１４７】
請求項１２８記載のコンピュータ読み取り可能媒体において、前記無線チャネル情報は、ダウンリンク受信レベルおよび品質を示す情報を含む、コンピュータ読み取り可能媒体。
【請求項１４８】
請求項１２８記載のコンピュータ読み取り可能媒体において、前記無線チャネル情報は、タイミング進み（ＴＡ）を示す情報を含む、コンピュータ読み取り可能媒体。
【請求項１４９】
請求項１２８記載のコンピュータ読み取り可能媒体において、前記無線チャネル情報は、ネットワーク測定報告（ＮＭＲ）を含む、コンピュータ読み取り可能媒体。
【請求項１５０】
請求項１２８記載のコンピュータ読み取り可能媒体において、前記無線チャネル情報は、ＡＲＦＣＮを示す情報を含む、コンピュータ読み取り可能媒体。
【請求項１５１】
請求項１２８記載のコンピュータ読み取り可能媒体において、前記無線チャネル情報は、タイムスロットを示す情報を含む、コンピュータ読み取り可能媒体。
【請求項１５２】
請求項１２８記載のコンピュータ読み取り可能媒体において、前記無線チャネル情報は、チャネル・タイプを示す情報を含む、コンピュータ読み取り可能媒体。
【請求項１５３】
請求項１２８記載のコンピュータ読み取り可能媒体において、前記無線チャネル情報は、サブチャネル番号を示す情報を含む、コンピュータ読み取り可能媒体。
【請求項１５４】
請求項１２８記載のコンピュータ読み取り可能媒体において、前記無線チャネル情報は、周波数リストを示す情報を含む、コンピュータ読み取り可能媒体。
【請求項１５５】
請求項１２８記載のコンピュータ読み取り可能媒体において、前記無線チャネル情報は、ＭＡＩＯを示す情報を含む、コンピュータ読み取り可能媒体。
【請求項１５６】
請求項１２８記載のコンピュータ読み取り可能媒体において、前記無線チャネル情報は、ＨＳＮを示す情報を含む、コンピュータ読み取り可能媒体。
【請求項１５７】
請求項１２８記載のコンピュータ読み取り可能媒体において、前記無線チャネル情報は、フレーム番号を示す情報を含む、コンピュータ読み取り可能媒体。
【請求項１５８】
請求項１２８記載のコンピュータ読み取り可能媒体において、前記無線チャネル情報は、暗号鍵を示す情報を含む、コンピュータ読み取り可能媒体。
【請求項１５９】
請求項１２８記載のコンピュータ読み取り可能媒体において、前記無線チャネル情報は、暗号アルゴリズムを示す情報を含む、コンピュータ読み取り可能媒体。
【請求項１６０】
請求項１２８記載のコンピュータ読み取り可能媒体において、前記無線チャネル情報は、誤り訂正符号化方法およびレベルを示す情報を含む、コンピュータ読み取り可能媒体。
【請求項１６１】
請求項１２８記載のコンピュータ読み取り可能媒体において、前記無線チャネル情報は、割り当てられたフレームを示す情報を含む、コンピュータ読み取り可能媒体。
【請求項１６２】
請求項１２８記載のコンピュータ読み取り可能媒体において、前記無線チャネル情報は、変調方式を示す情報を含む、コンピュータ読み取り可能媒体。
【請求項１６３】
請求項１２８記載のコンピュータ読み取り可能媒体において、前記無線チャネル情報は、ＣＤＭＡ拡散符号を示す情報を含む、コンピュータ読み取り可能媒体。
【請求項１６４】
請求項１２８記載のコンピュータ読み取り可能媒体において、前記無線チャネル情報は、パイロットＰＮオフセットを示す情報を含む、コンピュータ読み取り可能媒体。
【請求項１６５】
請求項１２８記載のコンピュータ読み取り可能媒体において、前記無線チャネル情報は、逆パイロット・チャネル・フォーマットを示す情報を含む、コンピュータ読み取り可能媒体。
【請求項１６６】
請求項１２８記載のコンピュータ読み取り可能媒体において、前記無線チャネル情報は、ベータ・パラメータを示す情報を含む、コンピュータ読み取り可能媒体。
【請求項１６７】
請求項１２８記載のコンピュータ読み取り可能媒体において、前記無線チャネル情報は、長符号マスクを示す情報を含む、コンピュータ読み取り可能媒体。
【請求項１６８】
請求項１２８記載のコンピュータ読み取り可能媒体において、前記無線チャネル情報は、拡散係数を示す情報を含む、コンピュータ読み取り可能媒体。
【請求項１６９】
請求項１２２記載のコンピュータ読み取り可能媒体において、前記方法は、前記サーバと前記ワイヤレス位置検出システムとの間の通信に、ＩＰベース（インターネット・プロトコル・ベース）インターフェースを用いることを含む、コンピュータ読み取り可能媒体。
【請求項１７０】
請求項１６９記載のコンピュータ読み取り可能媒体において、前記ＩＰベースインターフェースは、ＸＭＬ（拡張可能マークアップ言語）を採用する、コンピュータ読み取り可能媒体。
【請求項１７１】
制御プレーンおよびユーザ・プレーンを通じてワイヤレス通信システムと通信するように構成された移動体ワイヤレス・デバイスの位置を検出するシステムと共に用いるように構成されたワイヤレス・デバイスであって、前記ユーザ・プレーンはデータ・チャネルを備えており、
ワイヤレス通信サブシステムと、
プロセッサと、
コンピュータ読み取り可能媒体と、
を備えており、前記デバイスは、前記システムが用いるサーバと、前記データ・チャネルを通じて通信し、ワイヤレス位置検出システムにタスクを割り当てるのに有用な情報を前記サーバに提供するように構成された、ワイヤレス・デバイス。
【請求項１７２】
請求項１７１記載のワイヤレス・デバイスにおいて、前記ワイヤレス通信サブシステムは、無線受信機および無線送信機を備えており、前記プロセッサおよびコンピュータ読み取り可能記憶媒体は、前記ワイヤレス・デバイスが主にゲーム・デバイスとしての使用に限定されるように構成された、ワイヤレス・デバイス。
【請求項１７３】
請求項１７１記載のワイヤレス・デバイスにおいて、前記タスクを割り当てるのに有用な情報は、前記ワイヤレス・デバイスが通信している担当セル・サイトに隣接する少なくとも１つのセル・サイトを示す情報を含む、ワイヤレス・デバイス。
【請求項１７４】
請求項１７１記載のワイヤレス・デバイスにおいて、前記タスクを割り当てるのに有用な情報は、前記ワイヤレス・デバイスが通信している担当セル・サイトを示す情報を含む、ワイヤレス・デバイス。
【請求項１７５】
請求項１７１記載のワイヤレス・デバイスにおいて、前記タスクを割り当てるのに有用な情報は、前記ワイヤレス・デバイスが担当セル・サイトと通信する逆チャネルを識別する情報を含む、ワイヤレス・デバイス。
【請求項１７６】
請求項１７１記載のワイヤレス・デバイスにおいて、前記逆チャネルを識別する情報は、周波数割り当てを含む、ワイヤレス・デバイス。
【請求項１７７】
請求項１７１記載のワイヤレス・デバイスにおいて、前記逆チャネルを識別する情報は、チャネル番号割り当てを含む、ワイヤレス・デバイス。
【請求項１７８】
請求項１７１記載のワイヤレス・デバイスにおいて、前記タスクを割り当てるのに有用な情報は、無線チャネル情報を含む、ワイヤレス・デバイス。
【請求項１７９】
請求項１７８記載のワイヤレス・デバイスにおいて、前記無線チャネル情報は、前記ワイヤレス・デバイスの位置を検出するために用いることができる特定の受信機を示す情報を含む、ワイヤレス・デバイス。
【請求項１８０】
請求項１７９記載のワイヤレス・デバイスにおいて、前記特定の受信機を示す情報は、担当セルを識別する情報を含む、ワイヤレス・デバイス。
【請求項１８１】
請求項１７９記載のワイヤレス・デバイスにおいて、前記特定の受信機を示す情報は、近隣セルを識別する情報を含む、ワイヤレス・デバイス。
【請求項１８２】
請求項１７８記載のワイヤレス・デバイスにおいて、前記無線チャネル情報は、前記ワイヤレス・デバイスの位置を検出するために受信機を同調させなければならないチャネルを示す情報を含む、ワイヤレス・デバイス。
【請求項１８３】
請求項１８２記載のワイヤレス・デバイスにおいて、受信機を同調しなければならないチャネルを示す前記情報は、無線周波数を識別する情報を含む、ワイヤレス・デバイス。
【請求項１８４】
請求項１８２記載のワイヤレス・デバイスにおいて、受信機を同調しなければならないチャネルを示す前記情報は、フレームを識別する情報を含む、ワイヤレス・デバイス。
【請求項１８５】
請求項１８２記載のワイヤレス・デバイスにおいて、受信機を同調しなければならないチャネルを示す前記情報は、タイムスロットを識別する情報を含む、ワイヤレス・デバイス。
【請求項１８６】
請求項１８２記載のワイヤレス・デバイスにおいて、受信機を同調しなければならないチャネルを示す前記情報は、ホップ・パターンを識別する情報を含む、ワイヤレス・デバイス。
【請求項１８７】
請求項１８２記載のワイヤレス・デバイスにおいて、受信機を同調しなければならないチャネルを示す前記情報は、変調方式を識別する情報を含む、ワイヤレス・デバイス。
【請求項１８８】
請求項１７８記載のワイヤレス・デバイスにおいて、前記無線チャネル情報は、前記ワイヤレス・デバイスからの信号を少なくとも部分的に復調するのに有用な情報を含む、ワイヤレス・デバイス。
【請求項１８９】
請求項１８８記載のワイヤレス・デバイスにおいて、前記少なくとも部分的な復調は、制御シグナリングおよび誤り符号化を抽出するのに十分な復調を含む、ワイヤレス・デバイス。
【請求項１９０】
請求項１８９記載のワイヤレス・デバイスにおいて、前記情報は暗号鍵を含む、ワイヤレス・デバイス。
【請求項１９１】
請求項１８９記載のワイヤレス・デバイスにおいて、前記情報は誤り符号化および訂正のための情報を含む、ワイヤレス・デバイス。
【請求項１９２】
請求項１７８記載のワイヤレス・デバイスにおいて、前記無線チャネル情報は、担当セルＣＧＩを示す情報を含む、ワイヤレス・デバイス。
【請求項１９３】
請求項１７８記載のワイヤレス・デバイスにおいて、前記無線チャネル情報は、担当セルＡＲＦＣＮを示す情報を含む、ワイヤレス・デバイス。
【請求項１９４】
請求項１７８記載のワイヤレス・デバイスにおいて、前記無線チャネル情報は、担当セルＢＳＩＣを示す情報を含む、ワイヤレス・デバイス。
【請求項１９５】
請求項１７８記載のワイヤレス・デバイスにおいて、前記無線チャネル情報は、以前のセルＣＧＩおよびＴＡを示す情報を含む、ワイヤレス・デバイス。
【請求項１９６】
請求項１７８記載のワイヤレス・デバイスにおいて、前記無線チャネル情報は、アップリンク受信レベルおよび品質を示す情報を含む、ワイヤレス・デバイス。
【請求項１９７】
請求項１７８記載のワイヤレス・デバイスにおいて、前記無線チャネル情報は、ダウンリンク受信レベルおよび品質を示す情報を含む、ワイヤレス・デバイス。
【請求項１９８】
請求項１７８記載のワイヤレス・デバイスにおいて、前記無線チャネル情報は、タイミング進み（ＴＡ）を示す情報を含む、ワイヤレス・デバイス。
【請求項１９９】
請求項１７８記載のワイヤレス・デバイスにおいて、前記無線チャネル情報は、ネットワーク測定報告（ＮＭＲ）を含む、ワイヤレス・デバイス。
【請求項２００】
請求項１７８記載のワイヤレス・デバイスにおいて、前記無線チャネル情報は、ＡＲＦＣＮを示す情報を含む、ワイヤレス・デバイス。
【請求項２０１】
請求項１７８記載のワイヤレス・デバイスにおいて、前記無線チャネル情報は、タイムスロットを示す情報を含む、ワイヤレス・デバイス。
【請求項２０２】
請求項１７８記載のワイヤレス・デバイスにおいて、前記無線チャネル情報は、チャネル・タイプを示す情報を含む、ワイヤレス・デバイス。
【請求項２０３】
請求項１７８記載のワイヤレス・デバイスにおいて、前記無線チャネル情報は、サブチャネル番号を示す情報を含む、ワイヤレス・デバイス。
【請求項２０４】
請求項１７８記載のワイヤレス・デバイスにおいて、前記無線チャネル情報は、周波数リストを示す情報を含む、ワイヤレス・デバイス。
【請求項２０５】
請求項１７８記載のワイヤレス・デバイスにおいて、前記無線チャネル情報は、ＭＡＩＯを示す情報を含む、ワイヤレス・デバイス。
【請求項２０６】
請求項１７８記載のワイヤレス・デバイスにおいて、前記無線チャネル情報は、ＨＳＮを示す情報を含む、ワイヤレス・デバイス。
【請求項２０７】
請求項１７８記載のワイヤレス・デバイスにおいて、前記無線チャネル情報は、フレーム番号を示す情報を含む、ワイヤレス・デバイス。
【請求項２０８】
請求項１７８記載のワイヤレス・デバイスにおいて、前記無線チャネル情報は、暗号鍵を示す情報を含む、ワイヤレス・デバイス。
【請求項２０９】
請求項１７８記載のワイヤレス・デバイスにおいて、前記無線チャネル情報は、暗号アルゴリズムを示す情報を含む、ワイヤレス・デバイス。
【請求項２１０】
請求項１７８記載のワイヤレス・デバイスにおいて、前記無線チャネル情報は、誤り訂正符号化方法およびレベルを示す情報を含む、ワイヤレス・デバイス。
【請求項２１１】
請求項１７８記載のワイヤレス・デバイスにおいて、前記無線チャネル情報は、割り当てられたフレームを示す情報を含む、ワイヤレス・デバイス。
【請求項２１２】
請求項１７８記載のワイヤレス・デバイスにおいて、前記無線チャネル情報は、変調方式を示す情報を含む、ワイヤレス・デバイス。
【請求項２１３】
請求項１７８記載のワイヤレス・デバイスにおいて、前記無線チャネル情報は、ＣＤＭＡ拡散符号を示す情報を含む、ワイヤレス・デバイス。
【請求項２１４】
請求項１７８記載のワイヤレス・デバイスにおいて、前記無線チャネル情報は、パイロットＰＮオフセットを示す情報を含む、ワイヤレス・デバイス。
【請求項２１５】
請求項１７８記載のワイヤレス・デバイスにおいて、前記無線チャネル情報は、逆パイロット・チャネル・フォーマットを示す情報を含む、ワイヤレス・デバイス。
【請求項２１６】
請求項１７８記載のワイヤレス・デバイスにおいて、前記無線チャネル情報は、ベータ・パラメータを示す情報を含む、ワイヤレス・デバイス。
【請求項２１７】
請求項１７８記載のワイヤレス・デバイスにおいて、前記無線チャネル情報は、長符号マスクを示す情報を含む、ワイヤレス・デバイス。
【請求項２１８】
請求項１７８記載のワイヤレス・デバイスにおいて、前記無線チャネル情報は、拡散係数を示す情報を含む、ワイヤレス・デバイス。
【請求項２１９】
請求項１７１記載のワイヤレス・デバイスにおいて、当該ワイヤレス・デバイスは位置検出デバイス・プラットフォーム（ＬＤＰ）デバイスである、ワイヤレス・デバイス。
【請求項２２０】
請求項２１９記載のワイヤレス・デバイスにおいて、前記ワイヤレス通信サブシステムは、無線受信機および無線送信機を備えており、前記プロセッサおよびコンピュータ読み取り可能記憶媒体は、前記ＬＤＰデバイスが主にゲーム・デバイスとしての使用に限定されるように構成された、ワイヤレス・デバイス。
【請求項２２１】
請求項１７１記載のワイヤレス・デバイスにおいて、当該デバイスは、ＧＳＭワイヤレス通信システムと共に動作するように構成された、ワイヤレス・デバイス。
【請求項２２２】
請求項１７１記載のワイヤレス・デバイスにおいて、当該デバイスは、ＵＭＴＳワイヤレス通信システムと共に動作するように構成された、ワイヤレス・デバイス。
【請求項２２３】
請求項１７１記載のワイヤレス・デバイスにおいて、当該デバイスは、ＣＤＭＡ２０００ワイヤレス通信システムと共に動作するように構成された、ワイヤレス・デバイス。
【請求項２２４】
請求項１７１記載のワイヤレス・デバイスにおいて、当該デバイスは、ＷｉＦｉワイヤレス通信システムと共に動作するように構成された、ワイヤレス・デバイス。
【請求項２２５】
請求項１７１記載のワイヤレス・デバイスにおいて、当該デバイスは、ＷｉＭａｘワイヤレス通信システムと共に動作するように構成された、ワイヤレス・デバイス。
【請求項２２６】
制御プレーンおよびユーザ・プレーンを通じてワイヤレス通信システムと通信するように構成されたワイヤレス・デバイスによって用いる方法であって、前記ユーザ・プレーンはデータ・チャネルを備えており、
前記ワイヤレス・デバイスの位置を検出するタスクをワイヤレス位置検出システムに割り当てるのに有用な情報をサーバに提供するために、前記データ・チャネルを通じてサーバと通信するステップを備えた、方法。
【請求項２２７】
請求項２２６記載の方法において、前記タスクを割り当てるのに有用な情報は、前記ワイヤレス・デバイスが通信している担当セル・サイトに隣接する少なくとも１つのセル・サイトを示す情報を含む、方法。
【請求項２２８】
請求項２２６記載の方法において、前記タスクを割り当てるのに有用な情報は、前記ワイヤレス・デバイスが通信している担当セル・サイトを示す情報を含む、方法。
【請求項２２９】
請求項２２６記載の方法において、前記タスクを割り当てるのに有用な情報は、前記ワイヤレス・デバイスが担当セル・サイトと通信する逆チャネルを識別する情報を含む、方法。
【請求項２３０】
請求項２２６記載の方法において、前記逆チャネルを識別する情報は、周波数割り当てを含む、方法。
【請求項２３１】
請求項２２６記載の方法において、前記逆チャネルを識別する情報は、チャネル番号割り当てを含む、方法。
【請求項２３２】
請求項２２６記載の方法において、前記タスクを割り当てるのに有用な情報は、無線チャネル情報を含む、方法。
【請求項２３３】
請求項２２６記載の方法において、前記ワイヤレス・デバイスは位置検出デバイス・プラットフォーム（ＬＤＰ）デバイスである、方法。
【請求項２３４】
請求項２２６記載の方法において、前記ワイヤレス・デバイスは、ＧＳＭワイヤレス通信システムと共に動作するように構成された、方法。
【請求項２３５】
請求項２２６記載の方法において、前記デバイスは、ＵＭＴＳワイヤレス通信システムと共に動作するように構成された、方法。
【請求項２３６】
請求項２２６記載の方法において、前記デバイスは、ＣＤＭＡ２０００ワイヤレス通信システムと共に動作するように構成された、方法。
【請求項２３７】
請求項２２６記載の方法において、前記デバイスは、ＷｉＦｉワイヤレス通信システムと共に動作するように構成された、方法。
【請求項２３８】
請求項２２６記載の方法において、前記デバイスは、ＷｉＭａｘワイヤレス通信システムと共に動作するように構成された、方法。
【請求項２３９】
移動体ワイヤレス・デバイスの位置を検出するシステムを補助する方法を実行する際に、前記ワイヤレス・デバイスに命令するためのコンピュータ読み取り可能命令を備えたコンピュータ読み取り可能媒体であって、前記ワイヤレス・デバイスは、制御プレーンおよびユーザ・プレーンを通じてワイヤレス通信システムと通信するように構成されており、前記ユーザ・プレーンはデータ・チャネルを備えており、前記方法は、
前記ワイヤレス・デバイスの位置を検出するタスクをワイヤレス位置検出システムに割り当てるのに有用な情報をサーバに提供するために、前記データ・チャネルを通じてサーバと通信するステップを備えた、コンピュータ読み取り可能媒体。
【請求項２４０】
請求項２３９記載のコンピュータ読み取り可能媒体において、前記タスクを割り当てるのに有用な情報は、前記ワイヤレス・デバイスが通信している担当セル・サイトに隣接する少なくとも１つのセル・サイトを示す情報を含む、コンピュータ読み取り可能媒体。
【請求項２４１】
請求項２３９記載のコンピュータ読み取り可能媒体において、前記タスクを割り当てるのに有用な情報は、前記ワイヤレス・デバイスが通信している担当セル・サイトを示す情報を含む、コンピュータ読み取り可能媒体。
【請求項２４２】
請求項２３９記載のコンピュータ読み取り可能媒体において、前記タスクを割り当てるのに有用な情報は、前記ワイヤレス・デバイスが担当セル・サイトと通信する逆チャネルを識別する情報を含む、コンピュータ読み取り可能媒体。
【請求項２４３】
請求項２３９記載のコンピュータ読み取り可能媒体において、前記逆チャネルを識別する情報は、周波数割り当てを含む、コンピュータ読み取り可能媒体。
【請求項２４４】
請求項２３９記載のコンピュータ読み取り可能媒体において、前記逆チャネルを識別する情報は、チャネル番号割り当てを含む、コンピュータ読み取り可能媒体。
【請求項２４５】
請求項２３９記載のコンピュータ読み取り可能媒体において、前記タスクを割り当てるのに有用な情報は、無線チャネル情報を含む、コンピュータ読み取り可能媒体。
【請求項２４６】
請求項２３９記載のコンピュータ読み取り可能媒体において、前記ワイヤレス・デバイスは位置検出デバイス・プラットフォーム（ＬＤＰ）デバイスである、コンピュータ読み取り可能媒体。
【請求項２４７】
請求項２３９記載のコンピュータ読み取り可能媒体において、前記ワイヤレス・デバイスは、ＧＳＭワイヤレス通信システムと共に動作するように構成された、コンピュータ読み取り可能媒体。
【請求項２４８】
請求項２３９記載のコンピュータ読み取り可能媒体において、前記デバイスは、ＵＭＴＳワイヤレス通信システムと共に動作するように構成された、コンピュータ読み取り可能媒体。
【請求項２４９】
請求項２３９記載のコンピュータ読み取り可能媒体において、前記デバイスは、ＣＤＭＡ２０００ワイヤレス通信システムと共に動作するように構成された、コンピュータ読み取り可能媒体。
【請求項２５０】
請求項２３９記載のコンピュータ読み取り可能媒体において、前記デバイスは、ＷｉＦｉワイヤレス通信システムと共に動作するように構成された、コンピュータ読み取り可能媒体。
【請求項２５１】
請求項２３９記載のコンピュータ読み取り可能媒体において、前記デバイスは、ＷｉＭａｘワイヤレス通信システムと共に動作するように構成された、コンピュータ読み取り可能媒体。
【発明の詳細な説明】
【技術分野】
【０００１】
（相互引用）
本願は、２００６年９月１９日に出願された、"USER PLANE UPLINK TIME DIFFERENCE OF ARRIVAL (U-TDOA)"（ユーザ・プレーン・アップリンク到達時間差（Ｕ−ＴＤＯＡ））と題する米国特許出願第１１／５３３，３１０号の優先権を主張する。その内容は、ここで引用したことにより、その全体が本願にも含まれるものとする。
（技術分野）
【０００２】
ここに記載する主題は、一般的には、ワイヤレス・デバイスの位置を検出し、計算した地理的場所および地方、領域、または国家の法的裁量権によって定められる、予め設定した場所区域に基づいて、ある種の機能またはサービスを可能にする、選択的に可能にする、制限する、拒否する、遅延させる方法および装置に関する。移動局（ＭＳ）とも呼ぶワイヤレス・デバイスは、アナログまたはディジタル・セルラ・システム、パーソナル・コミュニケーション・システム（ＰＣＳ）、強化特殊移動無線(ESMR)、ワイド・エリア・ネットワーク（ＷＡＮ）、およびその他のタイプの無線通信システムに使用されるものを含む。影響を受ける機能またはサービスは、移動局にローカルなもの、または陸側(landside)サーバまたはサーバ・ネットワーク上で実行されるもののいずれかを含むことができる。更に特定すれば、ここに記載する主題は、ネットワークベース・ワイヤレス位置検出に対するユーザ・プレーン手法に関するが、これだけに限定されるのではない。
【背景技術】
【０００３】
本願は、２００５年８月８日に出願され"Geo-Fencing in a Wireless Location system" （ワイヤレス位置検出システムにおけるジェオフェンシング）(その内容全体はここで引用したことにより、本願にも含まれるものとする）と題する米国特許出願第１１／１９８，９９６号の主題と関係がある。米国特許出願第１１／１９８，９９６号は、２００５年６月１０日に出願され、"Advanced Triggers for Location-Based Service Applications in a Wireless Location System" （ワイヤレス位置検出システムにおいて位置検出に基づくサービスを適用するための高度誘起装置）と題する米国特許出願第１１／１５０，４１４号の継続出願である。米国特許出願第１１／１５０，４１４号は、２００４年１月２９日に出願され"Monitoring of Call Information in a Wireless Location System" （ワイヤレス位置検出システムにおける呼情報の監視）と題する米国特許出願第１０／７６８，５８７号の一部継続出願であり、現在係属中である。米国特許出願第１０／７６８，５８７号は、２００１年７月１８日に出願され現在では米国特許第６，７８２，２６４Ｂ２号となっている"Monitoring of Call Information in a Wireless Location System"（ワイヤレス位置検出システムにおける呼情報の監視）と題する米国特許出願第０９／９０９，２２１号の継続出願である。米国特許出願第０９／９０９，２２１号は、２０００年３月３１日に出願され、現在では米国特許第６，３１７，６０４Ｂ１号となっている"Centralized Database for  Wireless Location System" （ワイヤレス位置検出システム用集中データベース）と題する米国特許出願第０９／５３９，３５２号の一部継続出願である。米国特許出願第０９／５３９，３５２号は、１９９９年１月８日に出願され、現在では米国特許第６，１８４，８２９Ｂ１号となっている"Calibration for Wireless Location System"（ワイヤレス位置検出システムの較正）と題する米国特許出願第０９／２２７，７６４号の継続出願である。
【０００４】
また、本願は、２００５年５月５日に出願され”Multiple Pass Location Processor”（多重パス位置検出プロセッサ）と題する公開米国特許出願第ＵＳ２００５０２０６５６６Ａ１号に対する主題にも関係付けられている。公開米国特許出願第ＵＳ２００５０２０６５６６Ａ１号は、現在では２００６年４月４日に発行された米国特許第７，０２３，３８３号となっている、”Multiple Pass Location Processor”（多重パス位置検出プロセッサ）と題する、２００４年４月１１日に出願された米国特許出願第１０／９１５，７８６号の継続出願である。米国特許出願第１０／９１５，７８６号は、現在では２００５年３月２９日に発行された米国特許第６，８７３，２９０Ｂ２号となっている、”Multiple Pass Location Processor”（多重パス位置検出プロセッサ）と題する、２００３年４月１５日に出願された米国特許出願第１０／４１４，９８２号の継続出願である。米国特許出願第１０／４１４，９８２号は、現在では２００３年８月５日に発行された米国特許第６，６０３，４２８Ｂ２号となっている、”Multiple Pass Location Processor”（多重パス位置検出プロセッサ）と題する、２００２年３月２５日に出願された米国特許出願第１０／１０６，０８１号の一部継続出願である。米国特許出願第１０／１０６，０８１号は、現在では２００３年５月１３日に発行された米国特許第６，５６３，４６０Ｂ２号となっている、”Collision Recovery in a Wireless Location System”（ワイヤレス位置検出システムにおける衝突回復）と題する、２００１年１２月５日に出願された米国特許出願第１０／００５，０６８号の継続出願である。米国特許出願第１０／００５，０６８号は、現在では２００２年６月４日に発行された米国特許第６，４００，３２０Ｂ１号となっている、”Antenna Selection Method for a Wireless Location System”（ワイヤレス位置検出システムにおけるアンテナ選択方法）と題する、２０００年８月２４日に出願された米国特許出願第０９／６４８，４０４号の分割出願である。米国特許出願第０９／６４８，４０４号は、現在では２００１年２月６日に発行された米国特許第６，１８４，８２９Ｂ１号となっている、”Calibration for Wireless Location System”（ワイヤレス位置検出システム用較正）と題する、１９９９年１月８日に出願された米国特許出願第０９／２２７，７６４号の継続出願である。
【０００５】
ワイヤレス・デバイスの位置検出には、特に注記すべきは、連邦通信委員会（ＦＣＣ）の改善９１１（Ｅ９１１）フェーズに対する規則をサポートするために、多大な努力が向けられてきた。（ワイヤレス改善９１１（Ｅ９１１）規則は、９１１発信者にワイヤレス９１１呼に関する追加情報を提供することによって、ワイヤレス９１１サービスの有効性および信頼性を高めることを目的とする。ワイヤレスＥ９１１プログラムは、２つの部分、フェーズＩおよびフェーズＩＩに分割されている。フェーズＩは、ローカル公衆安全回答地点（ＰＳＡＰ：Public Safety Answering Point)による有効な要請を受けたときに、ワイヤレス９１１発呼者の電話番号、およびその呼を受信したアンテナの所在地を報告することを、通信業者に要求する。フェーズＩＩは、ワイヤレス通信業者に、殆どの場合５０から３００メートル以内における更に正確な所在地情報を提供することを要求する。Ｅ９１１の展開には、ローカル９１１ＰＳＡＰ等に対する新たな技術の開発およびアップグレードが必要であった。Ｅ９１１フェーズＩＩでは、ＦＣＣの指令は、円形誤差確率 (circular error probability)に基づく、位置検出要求精度が含まれていた。ネットワークベース・システム（ネットワーク受信機において無線信号を収集するワイヤレス位置検出システム）は、１００メートル以内では発呼者の６７％の精度、そして３００メートル以内では発呼者の９５％の精度を満たすことが要求されていた。ハンドセットベース・システム（無線信号を移動局において収集するワイヤレス位置検出システム）は、５０メートル以内では発呼者の６７％、そして１００メートル以内では発呼者の９５％の精度を満たすことが要求されていた。ワイヤレス通信業者は、サービス・エリアにおいて位置検出精度を調節することが許されていたので、いずれの所与の場所推定の精度も保証することができなかった。
【０００６】
精度や歩留まり（呼当たり位置検出に成功する回数）のような一部の考慮すべき事項は、ＦＣＣによってＥ９１１の単一ＬＢＳサービスに対して定められていたが、レイテンシ（要求元または選択したアプリケーションに対する、所在地解明および所在地推定値の配信までの時間）のようなその他のサービス品質（ＱｏＳ）パラメータは、定められていなかった。ＦＣＣが精度を懸念するのは、セルラの呼で緊急サービス・センタ（９１１センタまたはＰＳＡＰ）に通話するという特定の場合についてであった。技術的現状およびＦＣＣの厳格な精度規格によって、広く展開されている位置検出技術に対する技術の選択肢が制限されていた。Ｅ９１１フェーズＩＩに対するネットワーク・ベースの選択肢には、アップリンク到達時間差（Ｕ−ＴＤＯＡ）、到達角度（ＡｏＡ）、およびＴＤＯＡ／ＡｏＡ混成が含まれていた。９１１フェーズＩＩに対する非ネットワーク・ベースの位置検出選択肢には、同期タイミング、軌道データ（エフェメリス）、および捕獲データ（符号位相およびドプラ範囲）を含む、陸側サーバからのデータで増強されたナビスタ汎地球測地システム（ＧＰＳ）の使用が含まれていた。
【０００７】
ＦＣＣ  Ｅ９１１に準拠したワイヤレス音声通信用位置検出システムの他にも、到達時間（ＴＯＡ）、到達時間差（ＴＤＯＡ）、到達角度（ＡｏＡ）、到達電力（ＰＯＡ）、到達電力差を用いたその他のワイヤレス位置検出システムも、特定の位置検出に基づくサービス（ＬＢＳ）の要件を満たす位置検出を開発するために用いることができる。
【０００８】
以下の詳細な説明の章では、本発明と共に用いることができる位置検出技法およびワイヤレス通信システムに関する背景情報を提供する。この背景の章の残りの部分では、ワイヤレス位置検出システムに関する背景情報を更に提供する。
【０００９】
ワイヤレス位置検出システムに関する初期の実績は、"Cellular Telephone Location System"（セルラ電話機位置検出システム）と題する１９９４年７月５日付け米国特許第５，３２７，１４４号に記載されている。これは、到達時間差（ＴＤＯＡ）技法を用いてセルラ電話機の位置を検出するシステムを開示する。’１４４特許に開示されたシステムの更なる改善が、"System for Locating a Source of Bursty Transmissions"（バースト状送信源の位置検出システム）と題する、１９９７年３月４日付け米国特許第５，６０８，４１０号に開示されている。これらの特許双方は、本発明の譲受人であるTruePosition, Inc.に譲渡されている。TruePosition社は、元来の発明概念に対して意義深い改良を開発し続けている。  
【００１０】
過去数年にわたり、セルラ業界では、ワイヤレス電話機による使用に利用可能なエア・インターフェース・プロトコルの数が増加し、ワイヤレスまたは移動体電話機が動作可能な周波数帯域の数も増加し、「個人通信サービス」、「ワイヤレス」等を含む、移動体電話に言及するまたはこれに関する用語数も増大している。現在、ワイヤレス業界において用いられているエア・インターフェース・プロトコルは、ＡＭＰＳ、Ｎ−ＡＭＰＳ、ＴＤＭＡ、ＣＤＭＡ、ＧＳＭ、ＴＡＣＳ、ＥＳＭＲ、ＧＰＲＳ、ＥＤＧＥ、ＵＭＴＳ、ＷＣＤＭＡ等を含む。
【００１１】
ワイヤレス位置検出システムの価値および重要性は、ワイヤレス通信業界によって承認されている。１９９６年６月に、連邦通信委員会(Federal Communications Commission)は、ワイヤレス９１１発呼者の位置検出に用いるための位置検出システムを展開(deploy)する要請を、ワイヤレス通信業界に出した。これらのシステムを広く展開することにより、緊急応答資源の使用が削減されるので、緊急時応答時間を短縮し、生命を救い、膨大な費用を節約する。加えて、調査および研究の結果、位置によって変動する請求(location sensitive billing)、保有車両の管理等のような種々のワイヤレス用途には、今後数年において多大な商業的価値があることが結論付けられた。
【００１２】
前述のように、多数のエア・インターフェース・プロトコルがワイヤレス通信業界において用いられている。これらのプロトコルは、米国および国外双方において、異なる周波数帯域で用いられている。エア・インターフェースや周波数帯域はいずれも、一般に、ワイヤレス電話機の位置検出において、ワイヤレス位置検出システムの有効性には影響を及ぼさない。
【００１３】
全てのエア・インターフェース・プロトコルは、２種類の「チャネル」を用いる。ここで、チャネルとは、ワイヤレス・ネットワークにおける地点間にある単一のリンク内における多数の送信経路の１つと定めることにする。チャネルは、周波数、帯域幅、同期したタイム・スロット、符号化、シフトキーイング、変調方式、またはこれらのパラメータのいずれの組み合わせでも定めることができる。第１の種類は、制御またはアクセス・チャネルとも呼ばれており、呼を開始および終了するため、またはバースト状データを転送するための、ワイヤレス電話機または送信機に関する情報を伝達するために用いられる。例えば、ある種のショート・メッセージング・サービスは、制御チャネルを通じてデータを転送する。異なるエア・インターフェースでは、異なる用語によって制御チャネルを識別するが、各エア・インターフェースにおける制御チャネルの機能は似通っている。第２の種類のチャネルは、音声またはトラフィック・チャネルとしても知られており、通例、エア・インターフェースを通じて音声またはデータ通信を伝達するために用いられる。トラフィック・チャネルは、一旦制御チャネルを用いて呼を設定すると、使用に入る。音声およびユーザ・データ・チャネルは、通例、専用の資源を用い、即ち、このチャネルは１つの移動体デバイスによってのみ用いることができ、一方制御チャネルは共有資源を用いる。即ち、このチャネルは、多数のユーザがアクセスすることができる。音声チャネルは、一般に、送信におけるワイヤレス電話または送信機に関する識別情報を有していない。ワイヤレス位置検出の用途では、この区別によって、音声チャネルの使用よりも、制御チャネルを最もコスト効率的に利用することが可能となる場合もある。とは言え、用途によっては、音声チャネル上における位置検出が望まれる可能性もある。
【００１４】
エア・インターフェース・プロトコルにおける相違の一部について、以下に論ずる。
【００１５】
ＡＭＰＳ−これは、米国においてセル式通信に使用されたオリジナルのエア・インターフェース・プロトコルであり、ＴＩＡ／ＥＩＡ規格ＩＳ  ５５３Aに記載されている。ＡＭＰＳシステムは、制御チャネル（ＲＣＣ）が用いるために別個の専用チャネルを割り当てる。これらは、周波数および帯域幅によって定められ、ＢＴＳから、移動体電話からＢＴＳへの送信に用いられる、移動体電話Ａ予約音声チャネル（ＲＶＣ）への送信に用いられ、制御チャネルに割り当てられていないどのチャネルを占有することもできる。
【００１６】
Ｎ−ＡＭＰＳ−このエア・インターフェースは、ＡＭＰＳエア・インターフェース・プロトコルの拡張であり、ＥＩＡ／ＴＩＡ規格ＩＳ−８８において定められている。これは、ＡＭＰＳの場合と本質的に同じ制御チャネルを用いるが、異なる音声チャネルを用い、帯域幅および変調方式も異なる。
【００１７】
ＴＤＭＡ−このインターフェースはD−ＡＭＰＳとしても知られるものであり、ＥＩＡ／ＴＩＡ規格ＩＳ−１３６において定められており、周波数分離および時分離の両方を使用することを特徴とする。ディジタル制御チャネル（ＤＣＣＨ）が、周波数帯域のどこにでも生ずることができる割り当てタイムスロットにバースト・モードで送信される。ディジタル・トラフィック・チャネル（ＤＴＣ）は、ＤＣＣＨチャネルと同じ周波数割り当てを占有することができるが、所与の周波数割り当てにおいて同一のタイムスロット割り当ては占有できない。セルラ帯域では、各プロトコルごとの周波数割り当てが分離されている限り、キャリアはＡＭＰＳおよびＴＤＭＡプロトコルの両方を使用できる。
【００１８】
ＣＤＭＡ−このエア・インターフェースは、ＥＩＡ／ＴＩＡ規格ＩＳ−９５Ａにおいて定められており、周波数分離および符号分離の両方を使用することを特徴とする。隣接するセル・サイトが同じ周波数セットを使用する場合があるので、ＣＤＭＡは、非常に慎重な出力制御の下で動作しなければならず、この慎重な出力制御によって、当業者には近遠問題として知られる状況が生じ、無線位置検出の殆どの方法が精度高い位置検出を遂行するのを困難にする（しかし、この問題の解決手段については、２０００年４月４日付米国特許第６，０４７，１９２号、Robust, Efficient, Localization System（ロバスト性があり効率的な位置確認システム(localization system)）を参照のこと）。制御チャネル（ＣＤＭＡではアクセス・チャネルとして知られている）およびトラフィック・チャネルは同じ周波数帯域を共有することができるが、符号によって分離される。
【００１９】
ＧＳＭ−このエア・インターフェースは、国際規格である移動通信用グローバル・システムによって定められており、周波数分離および時分離の両方を使用することを特徴とする。ＧＳＭは、物理チャネル（タイムスロット）と論理チャネル（物理チャネルが搬送する情報）との間で区別する。キャリア上の数個の回帰タイムスロット(recurring timeslot)が、物理チャネルを構成し、ユーザ・データおよびシグナリング双方の情報を転送するために、異なる論理チャネルによって用いられる。
【００２０】
制御チャネル（ＣＣＨ）は、ブロードキャスト制御チャネル（ＢＣＣＨ）、共通制御チャネル（ＣＣＣＨ）、および専用制御チャネル（ＤＣＣＨ）を含み、ＣＣＨが用いるために割り当てられたタイムスロットにおいてバースト状に送信される。ＣＣＨは、周波数帯域内のどこにでも割り当てることができる。トラフィック・チャネル（ＴＣＨ）およびＣＣＨは、同じ周波数割り当てを占有することができるが、所与の周波数割り当てにおいては同じタイムスロットの割り当てを占有することはできない。ＣＣＨおよびＴＣＨは、ＧＭＳＫとして知られている、同じ変調方式を用いる。ＧＳＭ汎用パケット無線サービス（ＧＰＲＳ）およびＧＳＭ発展（ＥＤＧＥ：ＧＳＭ Evolution）システムのデータ・レート向上には、ＧＳＭチャネル構造を再利用するが、多数の変調方式およびデータ圧縮を用い、データ・スループットを高めることができる。ＧＳＭ、ＧＰＲＳ、およびＥＤＧＥ無線プロトコルは、ＧＥＲＡＮまたはＧＳＭ  Ｅｄｇｅ無線アクセス・ネットワークとして知られている分類に組み込まれる。
【００２１】
ＵＭＴＳ−正確にはＵＴＲＡＮ（ＵＭＴＳ地上無線アクセス・ネットワーク）として知られており、国際規格第３世代パートナーシップ・プログラムによって、ＧＥＲＡＮプロトコルの後継として定められたエア・インターフェースである。ＵＭＴＳは、ＷＣＤＭＡ（またはＷ−ＣＤＭＡ）として知られている場合もあり、広帯域符号分割多元接続を意味する。ＷＤＣＭＡは、直接拡散技術であり、その送信を広い５ＭＨｚキャリア全体に拡散することを意味する。
【００２２】
ＷＣＤＭＡ  ＦＤＤ（周波数分割二重化）ＵＭＴＳエア・インターフェース（Ｕ−インターフェース）は、周波数および符号双方によって、物理チャネルを分離する。ＷＣＤＭＡ  ＴＤＤ（時分割二重化）ＵＭＴＳエア・インターフェースは、周波数、時間、および符号の使用によって、物理チャネルを分離する。ＵＭＴＳ無線インターフェースの全ての異体は、論理チャネルを内包し、これらをトランスポート・チャネルにマッピングして、更にトランスポート・チャネルをＷ−ＣＤＭＡ  ＦＤＤまたはＴＤＤ物理チャネルにマッピングする。隣接するセル・サイトが同じ周波数集合を用いる場合があるので、ＷＣＤＭＡも、全てのＣＤＭＡシステムに共通である近遠問題に対処するために、非常に注意深い出力制御を用いる。ＵＭＴＳにおける制御チャネルは、アクセス・チャネルとして知られており、一方データまたは音声チャネルはトラフィック・チャネルとして知られている。アクセスおよびトラフィック・チャネルは、同じ周波数帯域および変調方式を共有することができるが、符号によって分離される。本明細書においては、制御およびアクセス・チャネルまたは音声およびデータ・チャネル全般に言及することは、個々のエア・インターフェースに望ましい用語が何であろうと、全てのタイプの制御チャネルまたは音声チャネルおよびデータ・チャネルを対象とすることとする。その上、世界中で使用されるエア・インターフェースには更に多くの種類があることから（例えば、ＩＳ−９５  ＣＤＭＡ、ＣＤＭＡ２０００、ＵＭＴＳ、およびＷ−ＣＤＭＡ）、本明細書において説明される発明的概念からどのエア・インターフェースも排除しない。当業者であれば、他の場所で使用される他のインターフェースが先に説明したものの派生物または同様のクラスのものであることが認められよう。
【発明の開示】
【発明が解決しようとする課題】
【００２３】
ＧＳＭネットワークは、既存のワイヤレス位置検出システムに対して、多数の潜在的な問題を提起している。第１に、ＧＳＭ／ＧＰＲＳ／ＵＭＴＳネットワークに接続したワイヤレス・デバイスは、トラフィック・チャネルが使用中のときには、希にしか送信しない。セキュリティのためにトラフィック・チャネル上において暗号を用いること、および一時的なニックネーム（一時的な移動局の識別子（ＴＭＳＩ））を用いることによって、ワイヤレス位置検出システムを誘起するまたは作動させるために行う無線ネットワークの監視の有用性が限定されることになる。このようなＧＳＭ／ＧＰＲＳ／ＵＭＴＳ無線ネットワークに接続されているワイヤレス・デバイスは、当該ワイヤレス・デバイスに対する送信を周期的に「聴取」(listen)するだけであり、呼設定、音声／データ処理、および呼切断(call breakdown)の間を除いて、広範囲の受信機に信号を送信しない。このため、ＧＳＭネットワークに接続されているワイヤレス・デバイスを検出する確率が低下する。この欠点を克服するには、領域内にある全てのワイヤレス・デバイスに能動的に「テスト送信して応答を求め」れば可能な場合もある。しかしながら、この方法では、ワイヤレス・ネットワークの容量に対して大きな重圧がかかることになる。加えて、ワイヤレス・デバイスが能動的にテスト送信して応答を求めると、移動体デバイスのユーザに、位置検出システムの使用を警告することにもなり兼ねず、ポーリング位置検出に基づく用途の有効性が低下すること、またはその困惑(annoyance)が増大することの可能性がある。
【００２４】
先に引用した米国特許出願第１１／１９８，９９６号"Geo-Fencing in a Wireless Location system"は、ワイヤレス通信システムが担当する、定められた地理的エリアにおいて動作するワイヤレス・デバイスの位置を検出するために、ワイヤレス位置検出システムが採用する方法およびシステムについて記載している。このようなシステムでは、ジェオフェンスされた(geo-fenced)エリアを定めることができ、次いでワイヤレス通信システムの既定のシグナリング・リンク集合を監視することができる。また、監視は、ジェオフェンス・エリアに関して以下の行為のいずれかを移動体デバイスが実行したことを検出すること含むこともできる。（１）ジェオフェンス・エリアに進入した、（２）ジェオフェンス・エリアから退出した、および（３）ジェオフェンス・エリア付近に既定の近接度以内で接近した。加えて、この方法は、移動体デバイスがこれらの行為の少なくとも１つを実行したことの検出に応答して、移動体デバイスの地理的所在地を判定するために、高精度位置検出機能を誘起することも含むことができる。本願は、ジェオフェンス・エリアの概念を用いて、計算した地理的所在地、および地方、領域、または国家の法的裁量権によって定められる、予め設定した場所区域に基づいて、ある種の機能またはサービスを可能にする、選択的に可能にする、制限する、拒否する、遅延させる方法および装置について記載する。しかしながら、本発明は、先に引用した米国特許出願第１１／１９８，９９６号に記載されているジェオフェンス技術を採用するシステムに限定される訳では決してない。
【課題を解決するための手段】
【００２５】
以下の摘要は、本発明の実現例の種々の態様の全体像を規定する。この摘要は、本発明のあらゆる態様を余すところなく記載することや、発明の範囲を定めることを意図するのではない。逆に、この摘要は、以下に続く例示的な実施形態の説明の序文としての役割を果たすことを意図している。
【００２６】
ゲームの増加およびワイヤレス・ネットワークの増大に伴い、ワイヤレス・デバイスに基づくゲームに対する関心も高まりつつある。本願では、とりわけ、合法的なワイヤレス・ゲームを可能にするための、ワイヤレス・ユーザ・インターフェース・デバイス、アプリケーション・サーバ、および位置検出サービスについて記載する。ワイヤレス・デバイスの位置を独立して突き止めることができるので、位置検出妨害を排除するのに役立ち、更に監督官庁にゲーム・トランザクションが許諾を得た管轄に限定されることを保証する。
【００２７】
ここに記載する例示的実施形態は、ワイヤレス・デバイスの位置を検出し、計算した地理的所在地、およびユーザ定義、サービス・エリア、課金ゾーン、あるいは地方、領域、あるいは国家の法政治的境界または法的管轄区域によって定められる、予め設定した場所区域に基づいて、ある種の機能またはサービスを可能にする、選択的に可能にする、制限する、拒否する、遅延させる方法および装置を提供する。ワイヤレス・デバイスは、アナログまたはディジタル・セルラ・システム、パーソナル・コミュニケーション・システム（ＰＣＳ）、強化特殊移動無線（ＥＳＭＲ）、ワイド・エリア・ネットワーク（ＷＡＮ）、局在化無線ネットワーク（ＷｉＦｉ、ＵＷＢ、ＲＦＩＤ）、ならびにその他の形式のワイヤレス通信システムにおいて用いられているようなものを含む。影響を受ける機能およびサービスは、ワイヤレス・デバイスにローカルなもの、あるいはサーバまたはサーバ・ネットワーク上で実行されるもののいずれかを含むことができる。更に特定すれば、ここでは、ワイヤレス・デバイスの所在地推定の使用を、管轄権に左右されるゲーム、賭金、または賭博法、あるいはワイヤレス・デバイスのゲーム機能性をイネーブルすることができるか否か判定するための規制と共に説明するが、これだけに限定されるのではない。
【００２８】
加えて、ここでは、ネットワークベース・ワイヤレス位置検出に対するユーザ・プレーン手法についても記載する。現行のＵ−ＴＤＯＡの解決策は、いわゆる制御プレーン・アーキテクチャに基づく場合が多く、ＡＮＳＩ／３ＧＰＰ位置検出サービス規格（例えば、ＡＮＳＩ／ＥＴＳＩ  Ｊ−ＳＴＤ−０３６およびＡＮＳＩ  ＥＳＴＩ  ＧＳＭ０３．１７）に沿った、移動体ネットワーク・インフラストラクチャの広範な修正が必要となる可能性がある。
【００２９】
制御プレーン手法では、制御または音声チャネル（それぞれ、他の名称の中で、アクセス・チャネルおよびトラフィック・チャネルとしても区別される）において伝達した情報を用いて移動体デバイスの位置を検出することを伴う。対照的に、「ユーザ・プレーン」アーキテクチャでは、位置検出サーバは、ワイヤレス運営業者の無線ネットワークが搬送するデータまたはＩＰ（インターネット・プロトコル）リンクを通じて、移動体デバイスと直接通信することができ、制御／音声（またはアクセス／トラフィック）チャネル構造の一部ではないので、つまり中核即ち無線ネットワークには修正が必要でない。ＬＤＰのユーザ・プレーンおよび制御プレーン実現例の双方は、ネットワーク・ベースＵ−ＴＤＯＡ受信機を展開する同じワイヤレス無線ネットワーク上で共存することができる。
【００３０】
本発明の一態様は、ＬＤＰデバイスの位置をどのようにして検出するかＷＬＳに指令するためにこれを用いることができることである。制御プレーン手法では、ＷＬＳは、Ｕ−ＴＤＯＡ、セル−ＩＤ、セル−ＩＤ＋セクタ、またはセル−ＩＤおよび到達電力差のいずれによる場合でも、位置を計算する前に、ワイヤレス通信ネットワークからの情報を待つ。本発明のユーザ・プレーン手法では、ＬＤＰデバイスはＬＥＳ（位置検出対応サーバとも呼ぶ、即ち、ＬＥＳ）に、所在地計算を実行するのに十分な情報を、データ・チャネルを通じて提供する。ＬＥＳに提供される情報は、移動体デバイス（即ち、ＬＤＰデバイス）には分かっており、この知識を利用して位置検出の計算をやり易くする。加えて、移動体情報は、タスク割り当てにも用いることができ、例えば、Ｕ−ＴＤＯＡ／ＡｏＡ  ＷＬＳにタスクを割り当てることができる。これは、データ接続部を通じて送られる情報が、担当セル、近隣セル、周波数、およびホッピング・パターン情報を含むことができるからである。従来の制御プレーン手法では、この情報は、Ｅ５、Ｌｂ、またはＩｕｐｃインターフェース（例えば）を通じて入手しており、移動体からデータ・チャネルを通じて入手するのではない。
【００３１】
ネットワークベース位置検出を強化して実行するために、ＬＤＰデバイス１１０は、ブロードキャスト捕獲データを受信し、システム上に登録し（必要であれば）、ワイヤレス・ネットワークからのデータ・サービスを要求するように構成することができる。データ接続は、データ・ネットワークによってＬＥＳ２２０に導出することができる。ＬＥＳとの接続時に、ＬＤＰデバイス１１０はそのＩＤ、チャネル情報、近隣（例えば、移動体補助ハンドオフ（ＭＡＨＯ）リスト）、ネットワークによってＬＤＰデバイスに与えられたあらゆる暗号ビット・ストリング、既存のデータ経路上で送るための、既知で好ましくはセミ・ランダムなシーケンスを送信することができる。次いで、このセミ・ランダム・シーケンスは、内部カウンタ／タイマまたはＬＥＳ２２０のいずれかによって停止するように命令されるまで、再送信することができる。ＭＡＨＯリストは、ネットワークが新しいセルまたはセクタにハンドオフを行うために必要となる、周囲のセル・サイト／セクタ（「ターゲット」）に関する情報を収容することができる。例えば、ターゲット・ネットワーク局（例えば、ＢＴＳまたはセクタ）、ターゲット・チャネル、ターゲット時間オフセット、電力オフセット等をＭＡＨＯリストに含めることができる。ＬＥＳは、受信したチャネル、および近隣（例えば、ＭＡＨＯ）リスト（存在する場合）においてまたは局所在地の内部テーブルから利用可能な受信局に基づいて、ネットワーク受信局を選択することができる。ネットワークベース・ワイヤレス位置検出システムは、次に、求められたサービス品質によって要求される精度しきい値まで、位置検出を実行することができる。ＬＥＳは、ＬＤＰデバイスとの確立された二重データ経路を用いて、ＬＤＰタイマ、ＩＤ、プログラミング、またはその他の特性を更新することができる。次いで、ＬＥＳは、所在地、セルＩＤ、モード、帯域、またはＲＦプロトコルに基づいて、ＬＤＰデバイス１１０に指令することができる。ネットワークベース位置検出の間、デバイスの位置検出の精度および効率向上を促進するために、ＬＥＳはＬＤＰに不連続送信をディスエーブルすること、または送信電力を増大することを指令することができる。これは、アップリンク到達時間差（Ｕ−ＴＤＯＡ）位置検出アルゴリズムを採用するシステムには特に有益である。また、ＬＥＳに分かっているレベルおよび時刻にデバイスの送信電力を設定することができると、電力または電力−到達時間差位置検出アルゴリズムに基づく位置検出システムも便益が得られる。
【００３２】
本発明の更に別の特徴および利点は、以下の例示実施形態の詳細な説明から明白となろう。
【図面の簡単な説明】
【００３３】
以上の摘要、および以下の詳細な説明は、添付図面と関連付けて読んだときに、一層深く理解することができる。本発明を例示する目的で、図面には本発明の例示的構造を示すが、本発明は、開示する特定の方法や手段に限定されるのではない。図面において、
【図１】図１は、位置検出デバイス・プラットフォーム（ＬＤＰ）デバイスを模式的に示す。
【図２】図２は、ＬＥＳ２２０を模式的に示す。
【図３】図３は、以下の説明によるシステムを模式的に示す。
【図４】図４は、以下の説明によるプロセスを示すフローチャートである。
【図５】図５は、ＬＤＰのような移動体ワイヤレス・デバイスは、どのようにしてＬＥＳのようなサーバとデータ・チャネルを通じて通信し、ワイヤレス位置検出システムにタスクを課する際に有用な情報をサーバに提供するように構成することができるかを模式的に示す。
【図６】図６は、潜在的なユーザ・プレーン情報フィールドの例を示す。
【図７】図７は、ＬＥＳ２２０を位置検出サービス・クライアント（ＬＣＳ）として展開するＧＥＲＡＮ／ＵＴＲＡＮネットワーク基準(network reference)に対するアーキテクチャ例を示す。図７は、ＬＥＳ２２０を位置検出サービス・クライアント（ＬＣＳ）として展開し、ＬＥＳ２２０が、ＧＧＳＮ４６へのＴＣＰ／ＩＰ接続１７７６を通じてＧＭＬＣ９８と相互作用を行い、ＬＤＰ１１０Ａおよび１１０Ｂに通信することを可能にするアーキテクチャ例を示す。
【図８】図８は、ＬＥＳ２２０を位置検出サービス・クライアント（ＬＣＳ）として展開するＧＥＲＡＮ／ＵＴＲＡＮネットワーク基準(network reference)に対するアーキテクチャ例を示す。図８は、ＬＥＳ２２０をＬＣＳとして展開し、ＬＥＳ２２０がＴＣＰ／ＩＰ接続１２３４を通じてＧＭＬＣ９８およびユーザ・プレーンＡ−ＧＰＳサーバ６６６と相互作用を行うことができるアーキテクチャ例を示す。
【発明を実施するための形態】
【００３４】
Ａ．全体像
位置検出デバイス・プラットフォーム（ＬＤＰ）デバイス１１０およびＬＥＳ２２０（それぞれ、図１および図２を参照）は、いずれの物理的項目についても位置検出サービスを可能にする。１つのモードでは、品目は、賭金の目的で構成されたワイヤレス通信デバイス（セル・フォン、ＰＤＡ等）であるか、またはこれらを備えている。賭金は（米国では）地方または州の規制によって管理されているので、合法的な賭金の場所は、通例、カジノ、リバーボート(riverboat)、パリミュチュエル・トラック(parimutuel track)、または指定の場外(off-site location)のような閉鎖エリアに制限されている。ＬＰＤ能力の使用により、統制当局の管理の下でどこででも賭金を開催することが可能になる。
【００３５】
ＬＤＰデバイス１１０は、ワイヤレス接続および賭金機能性を有する、専用(purpose-built)および汎用計算プラットフォームの双方に用いることができる。ＬＥＳ２２０、つまり電気通信ネットワークに常駐する場所認識サーバ(location-aware server)は、ワイヤレスＬＤＰデバイス１１０（ＩＰアドレスまたは電話地域符号の既存のシステム・チェックと類似する）に関する所在地チェックを実行し、賭金機能性を可能にすることができるか否か判断することができる。実際の賭金アプリケーションは、ＬＥＳ２２０に常駐するか、または他のネットワーク接続サーバ上に存在することができる。ＬＥＳ２２０は、ゲーム許可指標または地理的所在地を、人間の操作者／窓口係に供給することもできる。
【００３６】
ワイヤレス位置検出システムが採用する位置検出方法(methodology)は、展開されるサービス・エリア、あるいは賭金実体または規制当局からの要件によって左右される場合がある。ネットワークに基づく位置検出システムは、ＰＯＡ、ＰＤＯＡ、ＴＯＡ、ＴＤＯＡ、またはＡＯＡ、あるいはこれらの組み合わせを用いるものを含む。デバイスに基づく位置検出システムは、ＰＯＡ、ＰＤＯＡ、ＴＯＡ、ＴＤＯＡ、ＧＰＳ、またはＡ−ＧＰＳを用いるものを含むことができる。多数のネットワークに基づく技法、多数のデバイスに基づく技法、またはネットワークおよびデバイスに基づく技法の組み合わせを組み合わせた混成も、サービス・エリアまたは場所に基づくサービスの精度、歩留まり、およびレイテンシ要件を達成するために用いることができる。場所認識ＬＥＳ２２０は、所在地捕獲のコストに基づいて利用可能なものから、用いる位置検出技術を決定することができる。
【００３７】
ＬＤＰデバイス１１０は、好ましくは、ＬＥＳ２２０と通信するために無線通信リンク（無線受信機および送信機１００、１０１）を含む。ワイヤレス・データ通信は、位置検出システムと関連のあるセルラ（モデム、ＣＰＤＰ、ＥＶＤＯ、ＧＰＲＳ等）またはワイド・エリア・ネットワーク（ＷｉＦｉ、ＷｉＭＡＮ／ＭＡＸ、ＷｉＢｒｏ、ＺｉｇＢｅｅなど）を含むことができる。無線通信方法は、ワイヤレス位置検出システムの機能性とは独立であることができる。例えば、デバイスは、ローカルＷｉＦｉアクセス・ポイントを捕獲するが、次いで近接する場所を求めて、ＧＳＭを用いてＷｉＦｉビーコンのＳＳＩＤをＬＥＳ２２０に伝達することができる。
【００３８】
ＬＥＳ２２０は、ＬＤＰデバイス１１０の使用を認証し、許可し、課金し、そして統制する。好ましくは、ＬＥＳ２２０は、各サービス・エリアに関連のあるサービス・エリアの定めおよび賭金規則も維持する。サービス・エリアは、経度／緯度点の集合によって定められる多角形、または中心点からの半径とすることができる。サービス・エリアは、ゲーム・ステータスの解釈によって、場所認識サーバ内に定めることができる。サービス・エリアの定め、規則、および計算した場所に基づいて、ＬＥＳ２２０は、ワイヤレス・デバイス完全アクセス、限定アクセスをゲーム・サービスに付与する場合や、アクセスを付与しない場合がある。また、ＬＥＳ２２０は、ジェオフェンス・アプリケーションもサポートすることが好ましく、この場合、ＬＤＰデバイス１１０がサービス・エリアに進入したときまたはサービス・エリアから退出したときときに、ＬＤＰデバイス１１０（および賭金サーバ）が通知される。ＬＥＳ２２０は、多数の限定アクセス指示をサポートすることが好ましい。賭金サービスに対する限定アクセスとは、模擬プレーのみを可能とすることを意味することができる。また、サービスに対する限定アクセスは、実際の多プレーヤ・ゲームを可能にするが、賭金は許可されていないことを意味することができる。サービスに対する限定アクセスは、１日の時間または場所と１日の時間の組み合わせによって決定することができる。更に、サービスに対する限定アクセスは、特定の時間において既定のエリア内におけるゲームを予約することも意味することができる。
【００３９】
ＬＥＳ２２０は、ＬＤＰデバイス１１０および賭金サーバの双方にサービスの拒否を発することができる。また、サービスの拒否は、要求されたゲームはどこで許可されるのかに関する指図の提示も考慮することができる。
【００４０】
ＬＤＰデバイス１１０およびＬＥＳ２２０は、カード・ゲーム、テーブル・ゲーム、ボード・ゲーム、競馬、オート・レース、アスレチック・スポーツ、オンラインＲＰＧ、およびオンライン・ファースト・パーソン・シュータ(first person shooter)に基づく全てのオンライン・ゲームおよび賭金活動を考慮することができる。
【００４１】
ワイヤレス通信業者、ゲーム機関(gaming organization)、または地方の規制局(regulatory board)が、ＬＥＳ２２０を所有し管理できることも想起されるが、その必要はない。
【００４２】
これより、２つの使用事例について簡単に概要を説明する。
使用事例：ジェオフェンス
【００４３】
この場面では、ＬＤＰデバイス１１０は、専用ゲーム・モデルであり、ＧＳＭを無線リンクとして用い、更にネットワークベース・アップリンクＴＤＯＡを位置検出技法として用いる。ＬＤＰデバイス１１０は、乗客が空港に到着したときに手渡され、最初に、ゲーム・チュートリアル、広告、および模擬プレーをサポートする。デバイスがサービス・エリアに入ると、可聴および視覚インディケータを通じて、デバイスが今や実際の賭金が可能となったことをユーザに知らせる。これは、ジェオフェンス・アプリケーションの一例である。支払い請求および配当(winning)は、クレジット・カードを通じて可能となるか、またはホテルの部屋番号に課金／払戻しすることもできる。ＬＤＰデバイス１１０がエリアを離れると、可聴および視覚インディケータが、デバイスは今や実際の賭金が不可能であることを示し、ＬＥＳ２２０は拒否メッセージをＬＤＰデバイスおよび賭金サーバに発行する。
使用事例：アクセス試行
【００４４】
この場面では、ＬＤＰデバイス１１０は、ＷｉＦｉ送受信機を有する汎用携帯コンピュータである。賭金アプリケーション・クライアントがコンピュータ上に常駐している。賭金機能にアクセスする毎に、ＬＤＰデバイス１１０は、ＬＥＳ２２０に許可を求めて問い合わせる。ＬＥＳ２２０は、ＷｉＦｉ  ＳＳＩＤおよび到達電力に基づいて、現在の所在地を入手し、その所在地をサービス・エリアの定めと比較して、選択された賭金アプリケーションに対するアクセスを許可または拒否する。支払い請求および配当は、クレジット・カードを通じて可能となる。
Ｂ．ＬＤＰデバイス
【００４５】
ＬＤＰデバイス１１０は、位置検出対応ハードウェアおよびソフトウェア電子プラットフォームとして実施することが好ましい。ＬＤＰデバイス１１０は、ネットワークベース・ワイヤレス位置検出システムの精度を向上させ、デバイスベースおよび混成（デバイスおよびネットワーク・ベース）ワイヤレス位置検出アプリケーション双方をホストできることが好ましい。
フォームファクタ
【００４６】
ＬＤＰデバイス１１０は、他の電子システムに組み込むための回路ボード設計を含む多数のフォームファクタで作成することができる。無線通信送信機／受信機、所在地判定、表示、不揮発性ローカル記録ストレージ、処理エンジン、ユーザ入力、揮発性ローカル・メモリ、デバイス電力変換および制御サブシステムからのコンポーネントの追加（または削除）、あるいは不要なサブシステムの除去により、ＬＰＤのサイズ、重量、電力、および形態を多数の要件に合わせることが可能となる。
無線通信−送信機１０１
【００４７】
ＬＤＰ無線通信サブシステムは、１つ以上の送信機を、ソリッド・ステート特定用途集積回路（ＡＳＩＣ）の形態で内蔵することができる。ソフトウェア定義無線機の使用は、前述の無線通信および位置検出システムにおける多数の狭帯域送信機と置換し、送信を可能にするために用いることができる。ＬＤＰデバイス１１０は、オンボード・プロセッサまたはＬＥＳ２２０の指令の下で、ワイヤレス位置検出送信に伴う送信機からの通信無線リンク送信機を分離することができる。
無線通信−受信機１００
【００４８】
ＬＤＰ無線通信サブシステムは、１つ以上の受信機を、ソリッド・ステート特定用途集積回路（ＡＳＩＣ）の形態で内蔵することができる。広帯域ソフトウェア定義無線機の使用は、前述の無線通信および位置検出システムにおける多数の狭帯域受信機と置換し、受信を可能にするために用いることができる。ＬＤＰデバイス１１０は、オンボード・プロセッサまたはＬＥＳ２２０の指令の下で、ワイヤレス位置検出の目的で用いられる受信機から、通信無線リンク受信機を分離することができる。また、ＬＤＰ無線通信サブシステムは、位置検出特定のブロードキャスト情報（送信機の場所または衛星天体暦等）、あるいは通信ネットワークまたはその他の送信機からのタイミング信号を入手するために用いることもできる。
所在地判定エンジン１０２
【００４９】
ＬＤＰデバイスの所在地判定エンジン、即ち、サブシステム１０２は、デバイス・ベース、ネットワーク・ベース、および混成位置検出技術を可能にする。このサブシステムは、電力およびタイミング測定値を収集し、測地情報およびその他の付随情報を、種々の位置検出方法論のためにブロードキャストすることができる。限定ではないが、種々の位置検出方法論には、デバイス・ベース到達時間（ＴＯＡ）、順方向リンク三角測量（ＦLT）、高度順方向リンク三角測量（ＡＦＬＴ）、強化順方向リンク三角測量（Ｅ−ＦＬＴ）、強化観察到達差（ＥＯＴＤ）、観察到達時間差（Ｏ−ＴＤＯＡ）、汎地球測地システム（ＧＰＳ）、および補助ＧＰＳ（Ａ−ＧＰＳ）が含まれる。位置検出技術は、ＬＤＰまたはＬＥＳ２２０が選択する、基礎となる無線通信または無線位置検出システムの特性に左右される場合もある。
【００５０】
また、所在地判定サブシステムは、デバイスの信号電力、期間、帯域幅、および／または快適性(delectability)（例えば、既知のパターンを送信信号に挿入することによって、ネットワーク・ベース受信機が最尤シーケンス検出を用いることを可能にする）を最大化するために、ＬＤＰデバイス１１０の送信特性を修正することによって、ネットワーク・ベース位置検出システムにおける位置検出を強化するように作用することもできる。
ディスプレイ１０３
【００５１】
ＬＤＰデバイスのディスプレイ・サブシステムがある場合、ＬＤＰに唯一とし、デバイスが可能とする特定の位置検出アプリケーションに最適化するとよい。また、ディスプレイ・サブシステムは、別のデバイスのディスプレイ・サブシステムに対するインターフェースとすることもできる。ＬＤＰディスプレイの例には、音波、接触、または視覚インディケータを含むことができる。
ユーザ入力１０４
【００５２】
ＬＤＰデバイスのユーザ入力サブシステム１０４がある場合、当該ＬＤＰデバイスに唯一とし、デバイスが可能とする特定の位置検出アプリケーションに最適化するとよい。また、ユーザ入力サブシステムは、別のデバイスの入力デバイスのインターフェースとすることもできる。
タイマ１０５
【００５３】
タイマ１０５は、ＬＤＰデバイス１１０による要求に応じて、精度高いタイミング／クロック信号を供給する。
デバイス電力変換および制御部１０６
【００５４】
デバイス電力変換および制御サブシステム１０６は、他のＬＤＰデバイスの電子サブシステムに合わせて、陸線またはバッテリ電力を変換および調整するように作用する。
処理エンジン１０７
【００５５】
処理エンジン・サブシステム１０７は、無線通信、ディスプレイ、入力、および所在地判定サブシステムによって用いることができる汎用コンピュータとすることができる。処理エンジンは、ＬＤＰデバイス・リソースおよびルート・データをサブシステム間で管理し、揮発性／不揮発性メモリ割り当て、優先順位決定、イベント・スケジューリング、キュー管理、割り込み管理、揮発性メモリのページング／スワップ空間割り当て、プロセス・リソースの制限、仮想メモリ管理パラメータ、および入力／出力（Ｉ／Ｏ）管理といった通常のＣＰＵの責務に加えて、システム性能および電力消費を最適化する。位置検出サービス・アプリケーションがＬＤＰデバイス１１０に対してローカルに走っている場合、十分なＣＰＵリソースを提供するように、処理エンジン・サブシステム１０７の規模を調整することができる。
揮発性ローカル・メモリ１０８
【００５６】
揮発性ローカル・メモリ・サブシステム１０８は、処理エンジン・サブシステム１０７の制御下にあり、種々のサブシステムおよびＬＤＰデバイス常駐位置検出アプリケーションにメモリを割り当てる。
不揮発性ローカル記録ストレージ１０９
【００５７】
ＬＤＰデバイス１１０は、電力低下状態の間中、送信機所在地、受信機所在地、または衛星天体暦のローカル・ストレージを不揮発性ローカル記録ストレージ１０９に維持することができる。位置検出サービス・アプリケーションがＬＤＰデバイスに合わせたてローカルで走っている場合、アプリケーション特定データ、ならびに識別、暗号コード、プレゼンテーション選択肢、高得点、以前の所在地、偽名、相棒リスト、およびデフォルト設定値のようなアプリケーション・パラメータを、不揮発性ローカル記録ストレージ・サブシステムに格納することができる。
Ｃ．場所認識アプリケーション対応サーバ（ＬＥＳ）２２０
【００５８】
ＬＥＳ２２０（図２参照）は、ワイヤレスＬＤＰデバイス１１０とネットワーク接続した所在地に基づくサービス・アプリケーションとの間にインターフェースを提供する。以下の節では、図２に示した例示的実施形態のコンポーネントについて説明する。尚、記載する種々の機能は例示的であり、好ましくは、コンピュータ・ハードウェアおよびソフトウェア技術を用いて実施することを注記しておく。即ち、ＬＥＳは、無線通信技術を用いてインターフェースされ、プログラムされたコンピュータとして実施することが好ましい。
無線通信ネットワーク・インターフェース２００
【００５９】
ＬＥＳ２２０は、限定ではないが、ＣＤＰＤ、ＧＰＲＳ、ＳＭＳ／ＭＭＳ、ＣＤＭＡ−ＥＶＤＯまたはＭｏｂｉｔｅｘのようなシステムを用いるモデム信号として、無線通信ネットワーク上を走るデータ・リンクによって、ＬＤＰデバイス１１０に接続する。無線通信ネットワーク・インターフェース（ＲＣＮ１）サブシステムは、プッシュ動作（データをＬＤＰデバイス１１０に送る）のために、正しい（特定のＬＤＰに対して）通信システムを選択するように作用し、指令する。また、ＲＣＮ１サブシステムは、ＬＤＰデバイス１１０がＬＥＳ２２０に接続して位置検出または場所感応動作を開始する、プル動作も扱う。
所在地判定エンジン２０１
【００６０】
所在地判定エンジン・サブシステム２０１は、ＬＥＳ２２０が、ネットワーク・ベースＴＯＡ、ＴＤＯＡ、ＰＯＡ、ＰＤＯＡ、ＡｏＡ、または混成デバイスおよびネットワーク・ベース位置検出技法によって、ＬＤＰデバイス１１０の所在地を入手することを可能にする。
統制サブシステム２０２
【００６１】
統制サブシステム２０２は、個々のＬＤＰ記録およびサービス加入選択を維持する。ＬＥＳ２２０の統制サブシステムは、ＬＤＰデバイスの任意の集合体が、サービス・クラスを形成することを可能にする。ＬＤＰ加入者記録は、所有権、パスワード／暗号、アカウント許可、ＬＤＰデバイス１１０の能力、ＬＤＰ作成、モデル、および製造業者、アクセス証明書、ならびにルーティング情報を含むことができる。ＬＤＰデバイスが、ワイヤレス通信提供業者のネットワークの下で登録済みのデバイスである場合、ＬＥＳ２２０統制サブシステムは、全ての関連するパラメータを維持し、ワイヤレス通信提供業者のネットワークのＬＤＰアクセスを考慮することが好ましい。
アカウンティング・サブシステム２０３
【００６２】
ＬＤＰアカウンティング・サブシステム２０３は、アクセス記録、アクセス時間、およびＬＤＰデバイスの所在地にアクセスする位置検出アプリケーションを維持することを含む基本的なアカウンティング機能を扱い、個々のＬＤＰデバイスおよび個々のＬＢＳサービス毎の課金に考慮する。また、アカウンティング・サブシステムは、ワイヤレス通信ネットワーク提供業者およびワイヤレス位置検出ネットワーク(wireless location network)提供業者による各ＬＤＰアクセスのコストを記録し追跡することも好ましい。コストは、アクセスおよび所在地毎に記録するとよい。ＬＥＳ２２０は、ネットワークおよび位置検出システムの好みの選択を通じて、アクセス料金ができるだけ少なくなるように、ルールに基づくシステムによって設定することができる。
認証サブシステム２０４
【００６３】
認証サブシステム２０４の主な機能は、ＬＥＳ２２０に、ＬＤＰアクセス、データ送信およびＬＢＳ−アプリケーション・アクセスのためにＬＤＰネットワークの中で用いられる認証および暗号化プロセスが必要とするリアル・タイム認証ファクタ(factor)を供給することである。認証プロセスの目的は、無許可のＬＤＰデバイスまたは位置検出アプリケーションによるＬＤＰネットワークへのアクセスを拒否することによって、ＬＤＰネットワークを保護すること、そしてワイヤレス通信業者のネットワークおよびワイヤライン・ネットワークを通じた移送中に確実に機密性を維持することである。
許可サブシステム２０５
【００６４】
許可サブシステム２０５は、統制および認証サブシステムからのデータを用いて、ＬＤＰデバイスおよび所在地に基づくアプリケーション双方に対するアクセス制御を施行する。実施するアクセス制御は、Internet Engineering Task Force （ＩＥＴＦ）Request for Comment RFC-3693（コメントＲＦＣ−３６９３に対するインターネット・エンジニアリング・タスク・フォース（ＩＥＴＦ）の要求）、 "Geopriv Requirements"（ジオプライブ要件）、 the Liberty Alliance's Identity Service Interface Specifications （ＩＤ−ＳＩＳ）for Geo-location（リバティ・アライアンスの地理的位置特定サービス・インターフェース仕様）、およびOpen Mobile Alliance（ＯＭＡ）において指定されているものとすればよい。また、許可サブシステムは、特定のサービスまたは所在地に基づくアプリケーションへのアクセスを許可または禁止する前に、ＬＤＰデバイスについての所在地データを入手することもできる。また、許可は、統制サブシステムに常駐するＬＤＰプロファイル記録に記載されているサービスに応じて、カレンダまたはクロックに基づくこともできる。また、許可システムは、外部請求システムおよびネットワークへの接続を統括し、許可されていないネットワークまたは認証することができないネットワークに対する接続を拒否することができる。
不揮発性ローカル記録ストレージ２０６
【００６５】
ＬＥＳ２２０の不揮発性ローカル記録ストレージは、主に、統制、アカウンティング、および認証サブシステムが、ＬＤＰプロファイル記録、暗号化鍵、ＷＬＳ展開、およびワイヤレス通信業者情報を格納するために用いられる。
処理エンジン２０７
【００６６】
処理エンジン・サブシステム２０７は、汎用コンピュータでよい。処理エンジンは、ＬＥＳのリソースを管理し、サブシステム間におけるデータの経路を決定する。
揮発性ローカル・メモリ２０８
【００６７】
ＬＥＳ２２０は、ＬＥＳ２２０が多数の冗長なプロセッサによって規模の調整ができるように、マルチポート・メモリで構成した揮発性ローカル・メモリ・ストアを有する。
外部課金ネットワーク２０９
【００６８】
公認の外部課金ネットワークおよび課金仲介システムが、このサブシステムを通じて、ＬＤＰアカウンティング・サブシステム・データベースにアクセスすることができる。また、予め配置したインターフェースを通じて、記録を周期的に送ることもできる。
外部データ・ネットワークへの相互接続２１０
【００６９】
外部データ・ネットワークへの相互接続は、ＬＤＰデータ・ストリームの外部ＬＢＳアプリケーションへの変換を扱うように設計されている。この外部データ・ネットワークへの相互接続は、Internet Engineering Task Force （ＩＥＴＦ）Request for Comment RFC-3694, "Threat Analysis of Geopriv Protocol"（ジェオプライブ・プロトコルのスレッド分析）に記載されているように、不正アクセスを防止するファイヤウオールでもある。外部データ・ネットワーク・サブシステムへの相互接続２１０に常駐する多数のアクセス・ポイントは、サービス拒否またはサービス・イベントの逸失の場合における冗長性および構成変更に対処する。ＬＥＳ２２０がサポートする相互接続プロトコルの例には、Open Mobile Alliance （ＯＭＡ）、Mobile-Location-Protocol（ＭＬＰ）（オープン・モバイル・アライアンス（ＯＭA）移動体位置検出プロトコル（ＭＬP）、およびParlay X Specification for web services; Part 9: Terminal Location as Open Service Access （ＯＳＡ）; Parlay X web services; Part 9: Terminal location（ウェブ・サービスについてのパーリーＸ仕様、第９部、オープン・サービス・アクセス（ＯＳＡ）としての端末位置検出、パーリーＸウェブ・サービス、第９部、端末位置検出） （３ＧＰＰ  ＴＳ２９．１９９−０９としても標準化されている）が含まれる。
外部通信ネットワーク２１１
【００７０】
外部通信ネットワークとは、ＬＥＳ２２０またはＬＤＰデバイス１１０上に常駐していない所在地に基づくアプリケーションと通信するために、ＬＥＳ２２０が用いる、公衆および私的ネットワーク双方を指す。
Ｄ．ゲーム用システム／プロセス
【００７１】
図３は、本発明の一実施形態によるシステムを示す。図示のように、このようなシステムは、１つ以上のＬＤＰデバイス１１０、および１つのＬＥＳ２２０を備えている。ＬＤＰデバイス１１０は、通例、州および地方政府機関(governmental agencies)が規制する種類のゲーム・アプリケーションに合わせて構成することができる。先に論じたように、ＬＤＰデバイスは、従来の移動体計算機（例えば、ＰＤＡ）、移動体ディジタル電話機などを備えることができ、あるいはゲーム専用の特殊デバイスであってもよい。ＬＤＰデバイス１１０は、インターネットベース・ゲーム・アプリケーション・サーバへのワイヤレス・アクセスをユーザに提供する能力を有する。このようなアクセスは、図示のように、ワイヤレス通信ネットワーク（セルラ、ＷｉＦｉ等）を通じて提供することができる。本システムのこの実現例では、ゲーム・アプリケーション・サーバは、賭金が許可されている地理的領域について記載した情報のような、ゲーム情報のデータベースを含むか、またはデータベースに結合されている。
図３に示すように、ＬＥＳ２２０およびゲーム・アプリケーション・サーバは、通信リンクによって動作的に結合されているので、２つのデバイスは互いに通信することができる。この実施形態では、ＬＥＳ２２０は、ワイヤレス位置検出システムにも動作的に結合されている。ワイヤレス位置検出システムは、ここで論じているように、ＬＤＰデバイス１１０の地理的所在地を判定するシステムであればいずれの種類でもよい。緊急（例えば、Ｅ９１１）サービスに要求される正確さでＬＤＰデバイスの位置を検出する必要はないが、賭金が許可されているエリアにデバイスがあるか否か判定するのに必要な程度に、これらの位置を検出すればよい。
【００７２】
これより図４を参照すると、本発明の実現例の一例では、ＬＥＳに、管轄情報、およびワイヤレス位置検出システムが提供する情報が提供される。どのような情報をＬＥＳに影響するかについての正確な詳細は、ＬＥＳがどのような種類のサービスを提供するかについての正確な詳細によって左右される。
図４に示すように、ＬＤＰデバイスは、ワイヤレス通信ネットワークにアクセスし、ゲーム・サービスへのアクセスを要求する。この要求は、ゲーム・アプリケーション・サーバに導出され、次いで、ゲーム・アプリケーション・サーバは、ＬＥＳ２２０から所在地情報を要求する。ＬＥＳは、ＷＬＳにＬＤＰデバイスの位置を検出するように要求し、ＷＬＳは所在地情報をＬＥＳ２２０に戻す。本発明のこの実現例では、ＬＥＳは、ＬＤＰデバイスがある既定の管轄エリア内にいると判断し、次いでゲーム／賭金サービスを提供すべきか否か判断する（あるいは、この判断は、ゲーム・アプリケーション・サーバの責務とすることもできる）。この情報は、ゲーム・アプリケーション・サーバに提供され、ゲーム・アプリケーション・サーバは、ＬＤＰデバイスに、決定したゲーム・ステータス判断（即ち、ゲーム・サービスを提供するか否か）を通知する。
Ｅ．その他の実施形態
選択的起動モードによるＬＤＰ電力節約
【００７３】
ワイヤレス・デバイスは、通例、バッテリを節約するために３つの動作モード、スリープ、起動（リッスン）、および送信を有する。ＬＤＰデバイス１１０の場合、第４状態、位置検出(locate)が可能である。この状態では、ＬＤＰデバイス１１０は最初に起動状態に入る。受信データまたは外部センサ入力から、ＬＤＰデバイスは、所在地判定エンジンまたは送信サブシステムの活性化が要求されているか否か判定を行う。受信データまたは外部センサ入力が、所在地の送信が必要でないことを示す場合、ＬＤＰデバイス１１０は所在地判定または送信サブシステムのいずれにも給電せずに、最少電力流出のスリープ・モードに戻る。受信データまたは外部センサ入力が、デバイス位置が変化した場合のみ所在地の送信を必要とすることを示す場合、ＬＤＰデバイス１１０は、デバイスに基づく位置検出を実行し、最少電力流出のスリープ・モードに戻る。受信データまたは外部センサ入力が、所在地の送信が必要であることを示す場合、ＬＤＰデバイス１１０は、デバイスに基づく所在地判定を実行し、送信機を活性化し、現在のＬＤＰデバイス１１０の所在地（およびその他のあらゆる要求データ）を送り、最少電力流出のスリープ・モードに戻る。あるいは、受信データまたは外部センサ入力が、所在地の送信が必要であることを示す場合、ＬＤＰデバイス１１０は、送信機を活性化し、ネットワーク手段によって位置判定する信号（位置判定のために最適化されている）を送り（この時点で、ＬＤＰデバイス１１０は、他のあらゆる要求データも送ることができる）、次いで最少電力流出のスリープ・モードに戻ることもできる。
非音声ワイヤレスＬＤＰのための不可視ローミング
【００７４】
セルラ・データ通信を用いるＬＤＰデバイスでは、既存のセルラ認証、統制、許可、およびアカウンティング・サービスに対する影響を最少に抑えるように、ＬＤＰデバイスを予め準備しておくことが可能である。この場面では、単一のＬＤＰプラットフォームを各セルラ基地局フットプリント（セル・サイト電子回路内部）に配給する。次いで、この単一のＬＤＰデバイス１１０を通常通りワイヤレス通信業者に登録する。すると、当該エリア内にある他の全てのＬＤＰは、ＨＬＲの影響を制限するために、単一のＬＤＰ  ＩＤ（ＭＩＮ／ＥＳＮ／ＩＭＳＩ／ＴＭＳＩ）に基づいて、ＬＥＳ２２０（それ自体の認証、統制、許可、およびアカウンティング・サービスを有する）との通信にＳＭＳメッセージを用いることになる。サーバは、ＳＭＳのペイロードを用いて、ＬＤＰの真の個体情報、および誘起行動(triggering action)、所在地、または添付したセンサ・データの双方を判定する。
ＬＤＰにロードした既知のパターンを用いたＳＭＳ所在地探査
【００７５】
展開されているＷＬＳ制御チャネル位置検出アーキテクチャおよびＡ−ｂｉｓ被監視システム(A-bis monitored system)における１９０キャラクタまでの既知のパターンを有するＳＭＳメッセージを用いて、ＬＤＰデバイス１１０は、ＳＭＳ送信の位置検出(location)を強化することができる。キャラクタは分かっているので、暗号化アルゴリズムが分かり、ビット・パターンを発生し、完全なＳＭＳメッセージが、信号処理によって共通チャネル干渉およびノイズを除去し、所在地推定において可能な正確度を高めるために理想的な参照として用いるために利用可能となる。
守秘権、配信、および非拒絶のための所在地データの暗号化
【００７６】
ＬＥＳ２２０に基づく暗号化鍵サーバを用いた、守秘権、再配信、および課金非拒絶(billing non-repudiation)の施行方法を採用することができる。この方法では、ＬＥＳ２２０は、いずれの外部エンティティ（マスタ・ゲートウェイ）に配信する前にも、所在地記録を暗号化する。ゲートウェイは、記録を開放することができ、または保護されている記録を他のエンティティに渡すこともできる。開放するエンティティには関係なく、鍵は、ＬＥＳ２２０の鍵サーバから要求されなければならない。（送出する特定のメッセージのための）この鍵に対する要求は、「秘密」鍵「エンベロープ」(private key envelope)が開放され、所在地連番（ＬＥＳ２２０によって、所在地記録を識別するために割り当てられる乱数）がエンティティによって読み取られることを意味する。次いで、ＬＥＳ２２０は、「秘密」鍵および加入者の所在地を、同じ「秘密」鍵の下で配信する。「秘密」鍵は、所在地連番を繰り返し、所在地記録の読み取りを可能にする。このように、加入者の守秘権を養護し、ゲートウェイは、データを読み取り記録することなく、所在地記録を再分配し、最終的なエンティティによる記録の受信は拒絶されない。
データ・チャネル３００によるオーバーレイ・ネットワーク・ベース位置検出の強化
【００７７】
ネットワーク・ベース位置検出強化を実行するために、ＬＤＰデバイス１１０は、ブロードキャスト捕獲データを受信し、システム上に登録し（必要であれば）、そして図５に示すようなデータ・リンクまたはチャネル３００を確立するためにワイヤレス・ネットワークからデータ・サービスを要求するように構成することができる。ワイヤレス通信システム（制御プレーン）の制御チャネルおよびシグナリングとは対照的に、データ・チャネル３００（ユーザ・プレーン）はデータ送信をサポートするための変調をサポートする（データ・シグナリングは、音声シグナリングの場合のように、ワイヤレス通信システムによって再エンコードや圧縮が行われず、代わりに図５に示すようにワイヤレス・システムを通過する）。データ・チャネル３００のペイロード・コンテンツは、ワイヤレス通信システムの機能的エレメントによる検査や修正を必要としない。データ・チャネル・ペイロードは、制御チャネル・データのように、ワイヤレス通信システムのエレメントの動作を通知したり、制御したり、修正することはない。データ・チャネル３００は、割り当てられたデータ・チャネルにおけるペイロードのように、生の二進データとして、または音声チャネルでは一連の音声周波数トーンとして搬送することができる。
【００７８】
データ接続は、データ・ネットワーク（図５における参照番号３００）によって、ＬＥＳ２２０に導出される。ＬＥＳ２２０との接続時に、ＬＤＰデバイス１１０は、次に、そのＩＤ（例には、ＭＩＮ／ＥＳＮ／ＴＭＳＩ／TruePositionが含まれる）、そのチャネル情報（例には、チャネル、ＣＣ等が含まれる）、その近隣（例えば、移動体補助ハンドオフ（ＭＡＨＯ）リスト（目標ネットワーク局、目標チャネル、目標時間オフセット、電力オフセット等を収容する））、ネットワークがＬＤＰデバイス１１０に与えたあらゆる暗号ビット・ストリング、および既存のデータ経路３００を通じて送るセミ・ランダムであるが既知のパターンを直ちに送信する。
【００７９】
尚、データがセミ・ランダムである必要はないことを注記しておく。いずれのデータでも用いることができるが、セミ・ランダム・データを用いると、効率が向上する。これは、ＴＤＯＡ値を決定するために用いられる相関関数において、より平坦な相互スペクトルを与え、サイド・ローブのレベルを低下させることによって、疑似−またはセミ・ランダム・シーケンスが位置検出の精度（効率）を高めるからである。サイド・ローブが減少すると、時間推定が正しくない可能性を低くすることができる。
【００８０】
内部カウンタ／タイマまたはＬＥＳ２２０のいずれかによって停止するように指令されるまで、このセミ・ランダム・シーケンスを（ｎの）第２繰り返し周期で再送信する（（ｎの）第２繰り返しは、ＭＡＨＯリストの可用性に合わせることができる）。ＬＥＳ２２０は、近隣（ＭＡＨＯ）リスト（ある場合）において利用可能な受信したチャネルおよび受信局に基づいて、または局所在地の内部表から、ネットワーク受信局を選択する。次いで、ネットワーク・ベース・ワイヤレス位置検出は、要求サービス品質によって求められる精度のしきい値まで位置検出を実行する。
【００８１】
ＭＡＨＯリストは、新しいセルまたはセクタ（ターゲット）に対してハンドオーバーを実行するためにネットワークが必要とする、周囲のセル・サイト／セクタに関する情報を収容することができる。例えば、ターゲット・ネットワーク・ステーション（例えば、ＢＴＳまたはセクタ）、ターゲット・チャネル、ターゲット時間オフセット、電力オフセット等をＭＡＨＯリストに含むことができる。ＬＥＳは、近隣（例えば、ＭＡＨＯ）リスト（用いる場合）において利用可能な受信したチャネルおよび受信局に基づいて、または局所在地の内部テーブルから、ネットワーク受信局を選択することができる。
【００８２】
ＬＥＳ２２０は、ＬＤＰデバイス１１０とで確立した二重データ経路を用いて、ＬＤＰタイマ、ＩＤ、プログラミング、またはその他の特性を更新することができる。ＬＤＰタイマ、ＩＤ、またはその他の特性は、種々の事柄を含む。ＬＤＰデバイスは、電池の寿命を保存するために、非常に長い期間休止することができ、一日に１回または１週間に１回だけ起動することもできる。ＬＤＰタイマは、この目的のために用いることができる。ＬＤＰのＩＤは、ＬＤＰに新たな業務(duty)または新たな所有者のタスクが割り当て直される際に変更することができる。他の特性には、とりわけ、疑似ランダム・シーケンス、暗号鍵、ファームウェアまたはソフトウェアの更新を含むことができる。
【００８３】
ＬＥＳ２２０は、次に、所在地、セルＩＤ、モード、帯域、またはＲＦプロトコルに基づいて、ＬＤＰデバイス１１０に指令することができる。ネットワーク・ベース位置検出プロセスの間，ＬＥＳは、ＬＤＰに、不連続送信をディスエーブルするまたは送信電力を増大してデバイスの位置検出精度および効率を高めることを促進するように命令することができる。これは、特に、アップリンク到達時間差（Ｕ−ＴＤＯＡ）位置検出アルゴリズムを採用するシステムには有益である。ＬＥＳに分かっているレベルおよび時刻にデバイスの送信電力を設定することができると、電力または電力−到達時間差位置検出アルゴリズムに基づく位置検出システムも便益が得られる。
【００８４】
セルラ・システムのシグナリング、音声、および／またはデータ暗号化は、本願には無関係である。何故なら、そのデータはＷＬＳへのデータ経路において配信し使用することができるからである。
【００８５】
公開米国特許出願第ＵＳ２００５０２０６５６６Ａ１号は、現在では２００６年４月４日に発行された米国特許第７，０２３，３８３号となっている、"Multiple Pass Location Processor"（多重パス位置検出プロセッサ）と題する、２００４年８月１１日に出願された米国特許出願第１０／９１５，７８６号の継続出願である。米国特許出願第１０／９１５，７８６号は、現在では２００５年３月２９日に発行された米国特許第６，８７３，２９０Ｂ２号となっている、"Multiple Pass Location Processor"（多重パス位置検出プロセッサ）と題する、２００３年４月１５日に出願された米国特許出願第１０／４１４，９８２号の継続出願である。米国特許出願第１０／４１４，９８２号は、現在では２００３年８月５日に発行された米国特許第６，６０３，４２８Ｂ２号となっている、"Multiple Pass Location Processor"（多重パス位置検出プロセッサ）と題する、２００２年３月２５日に出願された米国特許出願第１０／１０６，０８１号の継続出願である。米国特許出願第１０／１０６，０８１号は、現在では２００３年５月１３日に発行された米国特許第６，５６３，４６０Ｂ２号となっている、"Collision Recovery in a Wireless Location System"（ワイヤレス位置検出システムにおける衝突回復）と題する、２００１年１２月５日に出願された米国特許出願第１０／００５，０６８号の継続出願である。米国特許出願第１０／００５，０６８号は、現在では２００２年６月４日に発行された米国特許第６，４００，３２０Ｂ１号となっている、"Antenna Selection Method for a Wireless Location System"（ワイヤレス位置検出システムにおけるアンテナ選択方法）と題する、２０００年８月２４日に出願された米国特許出願第０９／６４８，４０４号の分割出願である。米国特許出願第０９／６４８，４０４号は、現在では２００１年２月６日に発行された米国特許第６，１８４，８２９Ｂ１号となっている、"Calibration for Wireless Location System"（ワイヤレス位置検出システム用較正）と題する、１９９９年１月８日に出願された米国特許出願第０９／２２７，７６４号の継続出願である。係属中の米国特許出願第ＵＳ２００５０２０６５６６Ａ１号は、「移動体情報」フィールドがＡＮＳＩ／ＥＴＳＩ合同規格Ｊ−ＳＴＤ−０３６に含まれることになった経緯についての論述を含む。例えば、以下の論述が設けられている。
「勿論、セル／セクタ密度自体が、第１パスのサービス品質パラメータにおいて要求される精度を達成するのに十分であれば、システムはその値を戻すことができる。セルおよびセクタによって得られた位置推定の精度が十分高くない場合、ＷＬＳシステムは、セルおよびセクタを、電気通信事業者のネットワークが供給する、または移動局が供給するタイミング情報（ＣＤＭＡシステムにおけるＩＳ−５４、ＩＳ−１３６およびＧＳＭまたはＰＮ−オフセットのようなＴＤＭＳシステムにおける往復遅延、タイミングの進み）、あるいは電気通信事業者のネットワークが供給する、または移動局が供給する電力測定値と組み合わせて、第１組のサービス品質パラメータを超える第１所在地推定値を発生することができる。
いずれの技術を用いても、最初のパスの位置検出方法が第１および第２組のサービス品質パラメータを超えた場合、２回目のパスを取り止めて、位置検出受信資源を保存することができる。２回目のパスを取り止める場合、要求元の用途は、事前取り決め、または第１パス応答におけるフラグまたはインディケータによって第２応答が配信されないことの通知にしたがって、最初のパスの応答のみを受信するか、あるいは第２および第１パスの応答双方を受信することができる。
本発明の更に別の態様は、多重経路位置検出処理を３つの部分、（１）多重経路処理の選択、（２）多重経路処理の実行、および（３）識別に分割する観念を含むこともできる。
［．．．］
尚、最初に２０００年８月に出版されたＪ−ＳＴＤ−０３６は、無線電気通信事業者と、緊急通話（９−１−１）応答の各地公共安全提供業者との間の１つの共通インターフェースを確立すると思われる合同ＡＮＳＩ／ＥＴＳＩ規格である。本発明の譲受人であるTruePosion社は、この規格に貢献したが、電気通信事業者と位置検出ネットワーク特定エレメントとの間のインターフェースに集中した。したがって、今後、多数の情報エレメントが有用である場合には、これらが位置検出システムに提供されることになろう。これらのパラメータは、無線ネットワーク機器および無線デバイスから受信した送信双方からの無線キャリアによって生成する”MobileInformation”フィールドに含めることができる。トラフィック・チャネル・システムが時機を得て位置推定を行わないことが明らかになった場合、２００１年２月６日付米国特許第６，１８４，８２９号Ｂ１に開示されているように、多重経路位置検出方法を実施した。MobileInformationが供給するパラメータ、および多重経路位置検出手法の使用によって、ネットワークベース・システムは、サービス品質を様々に変えて提供し、緊急時およびその他のサービスに対して位置推定の生成においてシステムの効率および信頼性を高めることが可能となる。本発明は、ハンドセットに基づく解決手段にも採用できるという利点がある。」
【００８６】
既知のＵ−ＴＤＯＡの解決策(solution)は、制御プレーン・アーキテクチャに基づいており、ＡＮＳＩ／３ＧＰＰ位置検出サービス規格に沿った移動体ネットワーク・インフラストラクチャの広範な修正が必要になる可能性がある。対照的に、ユーザ・プレーン・アーキテクチャでは、位置検出サーバは、ワイヤレス運営業者の無線ネットワーク（図５参照）が搬送するデータまたはＩＰ（インターネット・プロトコル）チャネル３００を通じて、移動体デバイスと直接通信することができ、つまり中核即ち無線ネットワークには修正が必要でない。ＬＤＰのユーザ・プレーンおよび制御プレーンの実現例双方は、ネットワーク・ベースＵ−ＴＤＯＡ受信機を展開する同じワイヤレス無線ネットワーク上で共存することができる。ネットワーク・ベース受信機が展開されず、制御プレーンが実装されない場合であっても、ＬＤＰおよびＬＤＰＯサーバがユーザ・プレーン技法を用いてセルＩＤおよびＥＣＩＤ位置検出能力を拡張し(develop)伝達(deliver)できることには変わりがない。同じタスキングおよびチューニング情報は、Ｕ−ＴＤＯＡ位置検出システムが制御プレーンおよびユーザ・プレーン・アーキテクチャ双方において信号収集および所在地推定を実行するために必要となる。制御プレーンＵ−ＴＤＯＡシステムについて定められる情報の一例が、Ｊ−ＳＴＤ−０３６が定めるMobileInformationフィールドに納められる。現在定められているのと全く同じ情報がMobileInformationフィールドに納められている場合、データ・チャネルを通じてＬＥＳ２２０に送ることができる。
【００８７】
したがって、ここに記載するシステムの一態様は、ＬＤＰデバイスの位置をどのように検出するかＷＬＳに指令するためにそれを用いることができるということである。位置を計算する前にＷＬＳがワイヤレス通信ネットワークから情報を受信する制御プレーン手法とは異なり、ユーザ・プレーン手法では、ＬＤＰデバイスは、データ・チャネルを通じて、所在地計算を実行するのに十分な情報をＬＥＳに提供する。ＬＥＳに提供される情報は、所在地計算を容易にするために用いられる。また、この情報は、タスキング、例えば、担当セル、近隣セル、周波数、およびホッピング・パターン情報に基づいてＷＬＳにタスクを割り当てるために用いることもできる。以前の制御プレーン手法では、この情報はネットワークからＥ５、ＬｂまたはＩｕｐｃインターフェース（例えば）を通じて入手したのであり、データ・チャネルを通じて移動体から入手したのではない。
【００８８】
図６は、潜在的なユーザ・プレーン情報フィールドの例を示す。これらのいずれでもワイヤレス位置検出システムにタスクを割り当てるために潜在的に有用であり得るのであり、したがってこれらは、データ・チャネルを通じてＬＥＳ２２０にワイヤレス・デバイスによって伝達される情報に含めることができる。尚、これらのパラメータの一部は、特定のＵ−ＴＤＯＡ受信機（担当セル、近隣セル）を選択するために用いられ、別のパラメータは受信機を同調させる（実際の無線周波数、フレーム、タイムスロット、ホップ・パターン、変調方式）ために用いられることを注記しておく。その他のパラメータは、制御シグナリングおよび誤り符号化（暗号鍵、誤り符号化および訂正）を引き出すのに十分な信号を復調するために用いられる。これらの一部は、既存のネットワーク測定報告、ＮＭＲ、移動体補助ハンドオフ（ＭＡＨＯ）メッセージの中に存在する。その他は、移動体受信機には分かっており、ＬＤＰデバイスの中にプログラミング可能である。更に、Ｕ−ＴＤＯＡからフォールバックする(fallback)ことを可能にする第４の種類のパラメータがある。これらは、セル／セクタＩＤ（ＣＧＩ）、タイミング進みがあるセル／セクタＩＤ（ＣＧＩ＋ＴＡ）、およびＮＭＲにおいて供給される近隣の信号強度測定値に基づいた到達電力差およびタイミング進みがあるセル／セクタＩＤである。フォールバックの用意をすることの他に、これらのパラメータはＵ−ＴＤＯＡ解決策の健全性チェックを行うことができる。これらのパラメータは、Ｕ−ＴＤＯＡアルゴリズムにおいてＴＤＯＡ／ＦＤＯＡ検索空間に制約を設けるために用いることもできる。パラメータのリストは、以下を含む。
【表１】
2010504701.tif 000003
【００８９】
図７および図８は、ＬＥＳ２２０を位置検出サービスクライアント（ＬＣＳ）として展開した、ＧＥＲＡＮ／ＵＴＲＡＮネットワーク基準(network reference)のアーキテクチャ例を示す。加えて、図７は、ＧＳＭ  ＬＤＰデバイス１１０ＡおよびＵＭＴＳ  ＬＤＰデバイス１１０Ｂも示す。図７は、ＬＥＳ２２０が位置検出サービスクライアント（ＬＣＳ）として展開されており、ＬＥＳ２２０がＧＭＬＣ９８と相互作用すること、およびＧＧＳＮ４６へのＴＣＰ／ＩＰ接続部１７７６を通じてＬＤＰ１１０Ａおよび１１０Ｂに通信することの双方を可能にするアーキテクチャ例を示す。図８は、ＬＥＳ２２０がＬＣＳとして展開されており、ＬＥＳ２２０がＴＣＰ／ＩＰ接続部１２３４を通じてＧＭＬＣ９８およびユーザ・プレーンＡ−ＧＰＳサーバ６６６双方と相互作用することを可能にするアーキテクチャ例を示す。その他のエレメントについては、以下で概要を述べる。本システムは、米国特許第６，７８２，２６４号（Anderson)に記載されているシステムの実質的な拡張と見なすことができる。
【００９０】
尚、ここで用いる頭字語や略語の多くは、Technical Report GSM01.04 V8.0.0 (2000-05), Digital cellular telecommunications system (Phase 2+); version 8.0.0 (Release 1999); Abbreviaitons and acronymsから採用したことを注記しておく。本発明を記載するために用いる用語や命名法は、非限定的であることを意図し、GSM Associationが"Terms & Acronyms"（用語および頭字語）において発表したＧＳＭ定義に基づいている。この刊行物は、http://www.gsmworld.com/technology/glossary.shtmlにおいて入手可能である。しかしながら、ＧＳＭを中心とした用語を用いるが、ここに記載する手段に具体化する概念は、他のワイヤレス無線通信ネットワークにも該当する。ＧＳＭの後継となるように計画したUniversal Mobile Telecommunications System（ＵＭＴＳ）では、広帯域符号分割多元接続（Ｗ−ＣＤＭＡ）無線インターフェースは、受動無線監視のために広帯域無線ネットワーク・モニタ（ＲＮＭ）受信機を使用することにより便益を得ている。広帯域位置測定ユニット（ＬＭＵ）は、高精度Ｕ−ＴＤＯＡおよびＡｏＡ位置検出のために用いることができる。第三世代パートナーシップ・プログラム（３ＧＰＰ）によるインターフェースおよび相互動作性標準に対する変更は、頭字語および命名の慣例の一部が変化したが、無線制御ネットワークおよびインテリジェント・サービス・ネットワークにおいて行われる動作は実質的に同じままであることを意味する。したがって、本明細書では、これらの用語を同等と見なすことができる。
【表２】
2010504701.tif 000004
【００９１】
図７は、無線ネットワーク・モニタ（ＲＮＭ）８２およびリンク監視システム（ＬＭＳ）１１を有する、例示のＧＥＲＡＮ／ＵＴＲＡＮネットワーク基準モデル１０のアーキテクチャを示す。ＲＮＭ８２は、事実上、周波数帯域におけるどこでもアップリンクおよびダウンリンク・チャネル双方に同調可能な狭帯域受信機の一群である。ＬＭＳは、ＡｂｉｓおよびＡインターフェースだけでなく、ＧＳＭ−ＭＡＰ、Ｉｕｂ、Ｉｕ−ＰＳ、およびＩｕ−ＣＳインターフェースも監視することができる。ＬＭＳは、修正を行って、Ａｂｉｓモニタと同じハードウェア／ソフトウェア・シャーシ上に実装することができる（Intel社のTSEMT2またはTSRLT2 UNIXサーバのクラスタ上で走る未修正Agilent Access7ソフトウェア・アプリケーションを有するカスタム・アプリケーションの集合）。
【００９２】
ネットワーク１０は、更に、担当移動体位置検出センタ（ＳＭＬＣ）１２も含む。ＲＮＭ８２は、通信業者のセル・サイトに展開することができる主要な構成機器である。好ましくは、ＲＮＭ８２は、位置検出サービスの自律的発生のためにＲＡＣＨおよびＳＤＣＣＨメッセージを受信可能な無線受信機の分散ネットワークとして実施する。ＲＮＭ８２は、指令された周波数に同調して、システムのためにデータを収集する。次いで、ＲＮＭ８２は、収集したデータをＳＭＬＣ１２に転送することができる。ネットワーク内にある全てのＲＮＭ８２は、汎地球測地衛星（ＧＰＳ）コンステレーション（図示せず）の使用によって、時間および周波数の同期が取れていることが好ましい。
【００９３】
ＳＭＬＣ１２は、高容積の位置検出処理プラットフォームであることが好ましい。ＳＭＬＣ１２は、および現在地、信頼間隔(confidence interval)、速度、および伝搬方向を計算するマルチパス緩和アルゴリズムを内蔵している。また、ＳＭＬＣ１２は、リンク監視システム（ＬＭＳ）１１からのトリガリング(triggering)に基づいて、位置を検出すべきワイヤレス・フォンを判定することができ、あるいはＬｂインターフェース５４からインフラストラクチャ販売業者の基地局制御装置（ＢＳＣ）９６（または場合によってはＭＳＣ５０）に要請する。ＳＭＬＣ１２は、通例、運営者のＢＳＣ９６と同じ場所に設置されるが、遠方に分散することもできる。ＳＭＬＣ１２の主要な機能は、ＲＮＭ８２からの信号検出に関する報告を受信し、位置検出処理、および信号毎の現在地推定値の計算を行うことである。ＳＭＬＣ１２は、ネットワークを管理し、位置検出レコードへのアクセスを通信業者に与える。ＳＭＬＣ１２は、位置検出レコードの収集および配布を責務とする。また、ＳＭＬＣ１２は、コンフィギュレーション情報を維持し、ネットワーク管理をサポートする。
【００９４】
ＬＭＳ１１は、ＬＭＳ１１が接続されているネットワーク１０における全てのＡｂｉｓシグナリング・リンク７６（そして場合によってはＡ−インターフェース・リンク５２およびＧＳＭ移動体アプリケーション・プロトコル（ＧＳＭ−ＭＡＰ）４８インターフェース）を継続的に監視する。ＬＭＳ１１の機能は、呼およびＳＭＳ設定手順、におけるメッセージ（例えば、ＧＳＭ音声会話またはＧＰＲＳデータ・セッション）、呼中(mid-call)制御メッセージ、およびＭＳ８０に対する呼終了および解除メッセージを取り込むことである。次いで、ＬＭＳ１１は、これらのメッセージに収容されているデータを、その後の位置検出処理のために、ＳＭＬＣ１２に転送する。
【００９５】
ＧＳＭサービス制御機能（gsmSCF)２０は、サービス制御点（ＳＣＰ）とも呼ばれ、非呼指向サービスを加入者に提供するためのデータベースおよび論理規則を収容する。ＧＳＭ移動体アプリケーション・プロトコル（ＧＳＭ−ＭＡＰ）４８は、ワイヤレス・ネットワークの有線区間における呼関連制御サービスのための通信媒体である。ＧＳＭ−ＭＡＰ４８は、自動ローミング、認証、位置検出サービスシステム間ハンドオフ、およびＧＳＭまたはＵＭＴＳネットワーク上におけるショート・メッセージ・サービスのルーティングのようなサービスを提供するために存在する。ＭＳＣ５０、ＨＬＲ３４、ＶＬＲ（ＭＳＣ５０における）、ＧＭＳＣ４４、ＥＩＲ３２、ＧＭＬＣ９８、およびgsmＳＣＦ２０のような全てのワイヤレス・ネットワーク・エレメントは、このメッセージング・プロトコルを用いて、互いの間で通信を行う。ＧＳＭ−ＭＡＰ４８は、国際シグナリング・システム７ネットワーク（ＳＳ７）上に常駐する。
【００９６】
ゲートウェイ移動体位置検出サービス（ＧＭＬＣ）９８は、３ＧＰＰ規格によって、ＧＳＭ／ＧＰＲＳ／ＵＭＴＳネットワークにおける位置検出レコードのためのクリアリングハウスと定められている。ＧＭＬＣ９８は、厳しく制御されるＳＳ７ネットワーク（ＧＳＭ−ＭＡＰネットワーク）４８と公衆インターネットとの間におけるバッファとして機能する。位置検出に基づくサービスのための認証、アクセス制御、課金(accounting)、および許可機能は、ＧＭＬＣ９８上に常駐しこれによって制御されるのが慣例である。
【００９７】
Ｌｅインターフェース２４は、ＩＰに基づくＸＭＬインターフェースであり、元来Location Interoperability Forum（ＬＩＦ）において開発され、後にＧＳＭ（ＧＥＲＡＮ）およびＵＭＴＳ（ＵＴＲＡＮ）の第三世代パートナーシップ・プログラム（３ＧＰＰ）によって標準化された。位置検出ベース・サービス（ＬＢＳ）クライアント２２は、ＬＣＳ（位置検出サービス）としても知られている。ＬＢＳおよびＬＣＳ２２は、ソフトウェア・アプリケーションであり、移動体デバイスの位置検出を用いるために一意にイネーブルされるサービスである。
【００９８】
Ｅ５＋インターフェース１８は、北アメリカのE9-1-1のJoint ANSI/ETSI Standard 036において定められているE5インターフェースの修正版である。E5+インターフェース１８は、ＳＭＬＣ１２およびＧＭＬＣ９８のノードを直接接続し、ＬＭＳ１１またはＲＮＭ８２のトリガがワイヤレス位置検出システムによって用いられるときに、ネットワーク獲得情報（セル−ＩＤ、ＮＭＲ、ＴＡ等）を用いて、あるいは特殊化した受信機が実行するＴＤＯＡおよび／またはＡｏＡ（到達角度）によってプッシュ動作を可能にする。
【００９９】
ユーザ機器（ＵＥ）８８は、ＵＭＴＳ移動体デバイスのような機器として定めることができる。ノードＢ８６は、ＵＭＴＳ無線インターフェースに対するUniversal Mobile Telephony System Radio Access Network（ＵＴＲＡＮ：共通移動体電話システム無線アクセス・ネットワーク）のネットワーク・インターフェースである。無線ネットワーク・コントローラ（ＲＮＣ）７０は、ＵＴＲＡＮによる自発的無線資源管理（ＲＲＭ）を可能にする。ＲＮＣ７０は、ＧＳＭ  ＢＳＣと同じ機能を実行し、ＲＮＳエレメント（ＲＮＣおよびノードＢ）の集中制御を行う。ＲＮＣ７０は、Ｉｕ、Ｉｕｒ、およびＩｕｂインターフェース間においてプロトコル交換を処理し、無線ネットワーク・システム全体の集中動作および保守を責務とする。
【０１００】
担当ＧＰＲＳサポート・ノード（ＳＧＳＮ）６８は、個々のＧＰＲＳ対応 (capable)移動局８０の現在地を監視し、基本的なセキュリティ機能およびアクセス制御機能を実行する。ＳＧＳＮ６８は、Global System for Mobility（ＧＳＭ：移動用汎地球システム）の無線アクセス・ネットワーク（ＧＥＲＡＮ）およびＵＭＴＳ無線ネットワーク双方に応対することができる。
【０１０１】
ゲートウェイＧＰＲＳサポート・ノード（ＧＧＳＮ）４６は、ＧＰＲＳネットワークに対してシステム・ルーティング・ゲートウェイとして作用する。ＧＧＳＮ４６は、外部パケット・データ・ネットワーク（例えば、公衆ネットワーク）への接続部であり、課金、ルーティング、セキュリティ・ファイアウオール構築(firewalling)、およびアクセス・フィルタリングのタスクを実行する。ゲートウェイＭＳＣ（ＧＭＳＣ）４４は、ローミングする加入者を、別の運営業者のネットワークにおける訪問先ＭＳＣに導くブリッジとして作用する。制御シグナリングおよびトラフィック・トランク双方は、ＧＭＳＣ４４を通じて設定する。
【０１０２】
Ｕｍ１５は、ＧＳＭ無線インターフェースである。Ｕｕ１７は、ＵＭＴＳ無線インターフェースである。Ｉｕｂインターフェース９０は、ＵＭＴＳネットワーク上に配置され、ＲＮＣ（無線ネットワーク・コントローラ）７０とノードＢ８６との間にある。Ｉｕｐｃ７２は、位置推定を行うために、ＵＭＴＳネットワーク内においてＵＭＴＳ  ＲＮＣ７０をＳＭＬＣ（ＳＡＳとも呼ぶ）と相互接続する。Ｉｕ−ＣＳ（回線交換）インターフェース６２は、ＵＭＴＳ  ＲＮＣ７０を回線交換通信指向ネットワーク（ＭＳＣ）５０と接続する。Ｉｕ−ＰＳ（パケット交換）インターフェース７４は、ＵＭＴＳ  ＲＮＣ７０をパケット交換通信指向ネットワーク（ＳＧＳＮ）６８と接続する。Ｇｂインターフェース６６は、ＢＳＣ９６をＳＧＳＮ６８と相互接続し、ＧＰＲＳ通信のルーティングを可能にする。
【０１０３】
Ｇｎインターフェース６０は、ＧＰＲＳパケット・インターフェースであり、ＳＧＳＮ６８とＧＧＳＮ４６との間に配置されている。Ｇｓインターフェース６４は、ＧＰＲＳシステム・インターフェースであり、ＳＧＳＮ６８とＭＳＣ５０との間に配置されている。Ｇｒインターフェースは、ＧＳＭ−ＭＡＰインターフェースであり、ＳＧＳＮ６８とホーム・ロケーション・レジスタ（ＨＬＲ）３４との間に配置されている。
【０１０４】
米国特許第６，７８２，２６４号に記載されているように、基地局コントローラ（ＢＳＣ）リンク（例えば、Ａｂｉｓリンク）への基地送受信局（ＢＴＳ）を監視して、誘起メッセージおよび情報フィールドを検出することが可能である。’２６４特許においてＡＭＳ（Ａｂｉｓ監視システム）と呼ばれ、ＧＳＭＡｂｉｓインターフェースを監視することを一例とする受動ネットワーク・モニタが、本発明にしたがって拡張され、ここではリンク監視システムまたはＬＭＳと呼ぶことにする。リンク監視システム（ＬＭＳ）は、多数のセルラ・ネットワーク・データ・リンクを同時に監視し、対象のデータを走査し、メッセージ内部にある特定のメッセージまたはデータ・フィールドを検出することができる。対象のメッセージまたはデータ・フィールドの設定または作業(tasking)は、いずれの時点でも行うことができる。一致が生じた場合、ＬＭＳを更に誘起して、記憶メモリへの書き込み、または誘起メッセージおよび（または）データ・フィールドの別のシステム・ノードへの転送というような、予め設定してある行動(action)を実行することができる。
【０１０５】
無線ネットワーク・モニタは、位置検出誘起情報およびメセージングの受動的監視を、無線エア・インターフェースに拡張する。ＲＮＭは、アップリンク（移動体デバイスからＢＴＳまたはノードＢ）およびダウンリンク無線通信双方を検出し監視することができる。
【０１０６】
図示のシステムは、ワイヤレス・ネットワークおよび有線（または陸線）ネットワーク双方からの情報を採用する。３ＧＰＰ、ＥＴＳＩおよびＡＮＳＩのような組織における位置検出に基づくサービスに対する国内および国際規格化作業の進展により、位置検出に基づくサービスを即座に展開するために、ある種の無線、呼、および発呼者情報を獲得するのを補助するために、ＬＭＳが開発された。ＬＭＳの属性および能力は全て、ワイヤレスおよび有線通信ネットワークの他のノードにも組み込むことができる。この手法は、全てのディジタル・セルラに適用可能であり、ワイヤレス・ネットワークと同様、ＴＤＭＡ、ＣＤＭＡ、およびＯＦＤＭベース・ワイヤレス・ネットワークを含むがこれらに限定されるのではない。（ＯＦＤＭは直交周波数分割変調を意味し、これはディジタル送信におけるキャリア変調に用いられるスペクトル拡散方法である。）ＧＳＭシステムは、本発明の基礎となる発明概念を記述するために用いられるが、異なる命名方式や頭字語規則を用いても、本発明のＧＰＲＳおよびＵＭＴＳシステムへの適用を除外する訳ではない。
【０１０７】
リンク監視システムは、例えば、ＧＳＭ、ＧＳＭ−Ｒ、ＧＰＲＳ、およびＵＴＭＳシステムの受動的、非侵襲的監視を可能にする。ＧＳＭシステムの場合の一例では、ＬＭＳはＡｂｉｓ（ＢＴＳ−ＢＳＣ）インターフェース、Ａ（ＢＳＣ−ＭＳＣ）インターフェース、およびＧＳＭ  ＭＡＰインターフェース（ＭＳＣ−ＨＬＲ、ＭＳＣ−ＧＭＬＣ、ＭＳＣ−ＧＭＳＣ、およびＭＳＣ−gsmＳＣＦ）から受動的にデータ・ストリームを受信することができる。ＧＳＭ  ＭＡＰという用語（ＭＡＰは、移動体適用部分(Mobile Application Part)を意味する）は、汎地球ＳＳ７ネットワークを示すために用いられ、Ｃ，Ｄ，Ｅ，Ｆ，Ｈ，Ｇｃ，Ｇｆ，Ｇｒ，Ｌｈ，およびＬｇインターフェースを含む。
【０１０８】
ＧＰＲＳシステムの場合の一例では、ＬＭＳはＡｂｉｓ（ＢＴＳ−ＢＳＣまたはＢＴＳ−ＰＣＵ）インターフェース、Ｇｂ（ＰＣＵ−ＳＧＳＮ）インターフェース、およびＧＳＭ  ＭＡＰインターフェース（ＳＧＳＮ−ＨＬＲ、ＳＧＳＮ−ＧＭＬＣおよびＳＧＳＮ−gsmＳＣＦ）からデータ・ストリームを受動的に受信することができる。ＵＭＴＳシステムの場合の一例では、ＬＭＳは、Ｉｕｂ（ノードＢ線ＲＮＣ）インターフェース、Ｉｕ−ＣＳ（ＲＮＣ−ＭＳＣ）インターフェース、Ｉｕ線ＰＳ（ＲＮＣ−ＳＧＳＮ）インターフェース、およびＧＳＭ  ＭＡＰインターフェース（ＭＳＣ−ＨＬＲ、ＭＳＣ−ＧＭＬＣおよびＭＳＣ−gsmＳＣＦ、ＳＧＳＮ−ＨＬＲ、ＳＧＳＮ−ＧＭＬＣおよびＳＧＳＮ−gsmＳＣＦ）からデータ・ストリームを受動的に受信することができる。
【０１０９】
ＬＭＳは、メッセージ内において、受信データを探索して、特定のメッセージまたはデータ・フィールドを検出することができる。対象のメッセージまたはデータ・フィールドの設定または作業は、いずれの時点でも行うことができる。一致が生じた場合、ＬＭＳを更に誘起して、予め設定してある行動、即ち、記憶メモリへの書き込み、あるいは誘起メッセージおよび（または）データ・フィールドの別のシステム・ノードへの転送を実行する。
【０１１０】
一旦ＬＭＳを誘起したなら、種々の情報を誘起メッセージまたは後続のデータ・メッセージングから得ることができる。この方法からこつこつと集められる情報は、イベント関連情報、移動体または加入者アカウント情報、会話関連情報、担当セル情報、および無線環境情報を含むことができる。
【０１１１】
イベント関連情報は、誘起イベント、蓄積無線インターフェースおよびセルラ・システム・データ、加入者データ、誘起データを受信した監視対象データ・リンク、ならびに内部で発生したＬＭＳタイム・スタンプおよびインデックス作成情報を含むことができる。移動体または加入者アカウント情報は、無線インターフェースを通じてハンドセットから、そして通信業者のＨＬＲから入手可能な情報を含むことができる。ハンドセットからのＩＭＥＩおよびＳＩＭからのＩＭＳＩ双方、ならびに発呼側および被呼側ＭＳ−ＩＳＤＮを、監視するリンクおよび走査するメッセージに応じて、取り込むことができる。会話関連情報は、発呼側番号および被呼側番号を、移動体発信および移動体着信双方の場合について含むことができる。これらの番号は、ＳＭＳ  ＰＩＮＳと呼ばれることもあるが、会話関連情報に含まれることに変わりはない。
【０１１２】
担当セル情報は、セルＩＤ（ＧＥＲＡＮネットワークではＣＧＩ、あるいはＵＭＴＳネットワークではＣＩ）、タイミング進み（ＧＳＭ／ＧＰＲＳにおけるＴＡ）または往復時間（ＵＭＴＳにおけるＲＴＴ）、無線周波数（絶対無線周波数チャネル番号（ＡＲＦＣＮ））、基地局個別情報符号（ＢＳＩＣ）、端末終点識別子（ＴＥＩ）、ならびに位置検出区域符号（ＬＡＣ）を含むことができる。以前のセル情報は、ハンドオーバー・イベント中に入手可能であり、現行の担当セルと同じデータ集合を含む。
【０１１３】
システムが収集する無線関連情報は、アップリンク（ＭＳからＢＴＳ、ＵＥからノード−Ｂ）、およびダウンリンク（ＢＴＳからＭＳ、ノード−ＢからＵＥ）の電力および品質レベル、ならびにビーコンまたはブロードキャスト制御チャネル（ＢＣＣＨ）ＡＲＦＣＮ、電力、および品質を含むことができる。先にリストに纏めた関連無線パラメータも用いることができる。（例えば、これらには、担当セル−ＣＧＩ、担当セル−ＡＲＦｒｆＲＦＣＮ、担当セル−ＢＳＩＣ、以前のセル−ＣＧＩおよびＴＡ（ハンドオーバー・イベント用）、アップリンク受信・レベルおよび品質、ダウンリンク受信レベルおよび品質、タイミング進み（ＴＡ）、ネットワーク測定報告、ＡＲＦＣＮ、タイムスロット、チャネル・タイプ、サブチャネル番号、周波数リスト、ＭＡＩＯ、ＨＳＮ、フレーム番号、暗号鍵、暗号アルゴリズム、誤り訂正符号化方法およびレベル、割り当てフレーム、変調方式（ＧＭＳＫ、８ＰＳＫ、ＱＰＳＫ、ＱＡＭ、．．．）、ＣＤＭＡ拡散符号、パイロットＰＮオフセット、逆パイロット・チャネル・フォーマット、ベータ・パラメータ（ＵＭＴＳにおける電力比率パイロット・チャネル対データ・チャネル）、長符号マスク、拡散係数を含むことができる。）また、潜在的なハンドオフ候補セクタまたはセルに対するチャネルおよび電力レベルを含むネットワーク測定報告（ＮＭＲ）も、入手可能なときに収集することができる。
ネットワークベース・ワイヤレス位置検出システムのみによるＬＤＰ位置検出
【０１１４】
ＬＤＰデバイス１１０にデバイス・ベース所在地判定エンジンが装備されていない場合、非ネットワーク・ベースＷＬＳ環境におけるその位置を、ＳＭＳＣを装備したＬＥＳ２２０に報告することができる。最上位では、ＬＰＤデバイス１１０は、システムＩＤ（ＳＩＤまたはＰＬＭＮ）番号または秘密システムＩＤ（ＰＳＩＤ）を報告することができるので、ＷＬＳは、ＬＰＤがＷＬＳ装備システムの内部（または外部）にあるという判断を下すことができる。一連のＳＭＳメッセージとして制御チャネル上で送信される近隣（ＭＡＨＯ）リストは、未だＷＬＳが装備されていない友好的な通信業者のネットワークにおける大まかな所在地を与えることができる。予約ＳＭＳは、ＷＬＳがＬＤＰのいずれの側面をもプログラムし直せることを考慮する。ＬＤＰデバイス１１０がネットワーク・ベースＷＬＳを装備したエリア内にある場合、ＬＤＰデバイス１１０は、ネットワーク・ベースＷＬＳを用いて更に高いレベルの精度を提供することができる。
ネットワーク・データベースを用いたＬＤＰによる自動送信機位置検出
【０１１５】
ＬＤＰデバイス１１０の無線通信サブシステムが多重周波数、多重モード動作に合わせて設計されている場合、またはＬＤＰデバイス１１０に外部受信機またはセンサへの接続が設けられている場合、ＬＤＰデバイス１１０は位置検出対応テレメトリ・デバイス(telemetry device)となる。特定の用途では、ＬＤＰデバイス１１０は、無線通信サブシステムまたは外部受信機を用いて、無線ブロードキャストを突き止める。このようなブロードキャストの受信は、送信帯域またはブロードキャストから入手可能な情報によって特定され、ＬＤＰデバイス１１０に、ＬＥＳ２２０へのデータ接続を確立させ、デバイス・ベース位置検出を実行させ、またはＬＥＳ２２０またはその他のネットワークベース・サーバが用いるための位置検出強化送信(location-enhanced transmission)を開始させる。
【０１１６】
このＬＤＰデバイス１１０の異体の使用例は、自動車用ネットワーク状レーダ検出器(networked radar detector)として、またはＷｉＦｉホットスポット・ロケータ(hotspot locator)としてである。いずれの場合でも、ＬＥＳ２２０は、ネットワーク情報および所在地を記録し、外部の位置検出対応アプリーションに配信する。
通信のスケジューリングのための外部派生精密タイミングの使用
【０１１７】
バッテリの寿命は、自律的所在地特定デバイスの少なくとも一部の用途にとっては、重要なイネーブラ(enabler)となり得る。加えて、所在地特定デバイスにおいて周期的にバッテリを充電するまたは交換することに伴う手間は、大きなコスト押し上げ役となることが予期される。デバイスは、３つの状態、アクティブ、アイドル、スリープを有すると考えられる。
アクティブ＝ネットワークと通信中
アイドル＝アクティブ状態に入ることができる状態
スリープ＝低電力状態
【０１１８】
アクティブ状態における電力消費は、ディジタルおよびＲＦ電子回路の効率によって左右される。これらの技術は、双方共、円熟していると考えられ、これらの電力消費は既に最適化されていると考えられる。スリープ・モードにおける電力消費は、スリープ状態の間アクティブになっている回路量に左右される。回路が少ない程、電力消費が少ないことを意味する。電力消費を最少に抑える１つの方法は、アイドル状態において費やされる時間量を最短に抑えることである。アイドル状態の間、デバイスは周期的にネットワークを聴取してコマンド（ページング）を調べ、受信した場合、アクティブ状態に入らなければならない。標準的な移動局（ＭＳ）では、アイドル状態において費やされる時間量を最少に抑えるには、いずれの特定の移動局に対してもページング・コマンドを発生できる時間を制限する。
【０１１９】
本発明のこの態様では、絶対外部時間基準（ＧＰＳ、Ａ−ＧＰＳ、またはセルラ・ネットワーク上でブロードキャストされる情報）を利用して、所在地特定デバイスの内部時間基準を正確に較正する。内部温度検知デバイスがあれば、デバイスはそれ自体の基準を温度保証することが可能になる。ＧＰＳまたはＡ−ＧＰＳ受信機は、デバイス・ベース所在地推定に用いられるＬＤＰデバイス１１０の所在地判定エンジンの一部とすることができる。
【０１２０】
所在地特定デバイスが正確な時間基準を有するとすると、ネットワークは、正確な時刻にデバイスがアイドル・モードに入るようにスケジューリングすることができ、これによって最低電力状態において費やされる時間量を最大に延ばすことができる。また、この方法は、スリープ・モードにあるデバイスとの通信試行の失敗を最少に抑えることによって、通信ネットワーク上の負荷を最小限にする。
速度、時間、高度、エリア・サービス
【０１２１】
ＬＤＰデバイスの機能性は、他の電子デバイスに組み込むこともできる。したがって、ＬＤＰ、即ち、用いられるサービス・パラメータおよび規則のデータベースを有する外部サーバに無線通信する場所認識デバイスを用いると、サービス・エリア内部における所在地だけでなく、セル・フォン、ＰＤＡ、レーダ検出器、またはその他のインタラクティブ・システムのような種々の電子デバイスについての時間、速度、高度にも基づいて、サービスを付与、制限、または拒否することができる。時間は、１日の時間および時間期間の双方を含むので、サービスの継続期間(duration)を制限することができる。
インテリジェント移動体近接
【０１２２】
ＬＤＰデバイス１１０を他のＬＤＰデバイスと対にすると、インテリジェント近接サービス(intelligent proximity service)を提供することができ、サービスの付与、制限、または拒否は、ＬＤＰ対の近接度に基づくことができる。例えば、盗難防止用途では、ＬＤＰデバイス１１０を自動車に組み込むことができ、一方別のＬＤＰをカー・ラジオ、ナビゲーション・システム等に組み込む。対になっている１組のＬＤＰデバイスをＬＥＳ２２０に登録し、活性化または除去に基づいて所在地判定に対する誘起条件を設定することによって、盗難防止システムを作成する。許可なく除去された場合、除去されたデバイスの中にあるＬＤＰデバイス１１０が、サービスを拒否するか、またはサービスを許可しつつ、ＬＰＤクライアントが入ったまま盗まれたデバイスの所在地を教える。
Ｆ．位置検出技法：ネットワーク・ベース、デバイス・ベース、および混成
【０１２３】
各ワイヤレス（無線）位置検出システムは、送信機および受信機を備えている。送信機は、対象信号[s(t)を作成し、これを受信機が収集し測定する。対象信号の測定は、ワイヤレス・デバイスまたはネットワーク局のいずれかにおいて行えばよい。送信機または受信機は、信号測定間隔中、動作状態に留まることができる。いずれか（または双方）の移動が先験的に正確に定めることができる場合、双方が動作状態に留まることができる。
ネットワーク・ベース位置検出技法
【０１２４】
ネットワーク（地理的に分散した１つ以上の受信機または送受信機の集合）において測定が行われる場合、位置検出システムはネットワーク・ベースと言って区別する。ネットワークベース・ワイヤレス位置検出システムは、ＴＯＡ、ＴＤＯＡ、ＡＯＡ、ＰＯＡ、およびＰＤＯＡ測定を用いることができ、多くの場合、最終的な位置検出計算には２つ以上の独立した測定値が含まれて混成となる。ネットワークに接続されている受信機または送受信機は、基地局（セルラ）、アクセス・ポイント（ワイヤレス・ローカル・アクセス・ネットワーク）、リーダ（ＲＦＩＤ）、マスタ（Bluetooth）またはセンサ（ＵＷＢ）を含む、異なる名称で区別される。
【０１２５】
ネットワークベース・システムでは、測定しようとする信号は移動体デバイスから発信するので、ネットワークベース・システムは、信号の到達時間、到達角度、または信号強度を受信して測定する。ネットワーク・ベース位置検出システムの位置検出誤差の発生源は、ネットワーク局のトポロジ、信号経路損失、信号のマルチパス、共通チャネル信号干渉、土地の地形を含む。
【０１２６】
ネットワーク局のトポロジは、サイトが一列に（道路に沿って）並んでいたり、またはサイトに近隣が殆どないため、ネットワーク・ベース位置検出技法には適さない可能性がある。
【０１２７】
信号経路損失は、サンプリング期間を長くすることによって、または用いる送信電力を強めることによって、補うことができる。一部の無線環境（ＩＳ−９５ＣＤＭＡおよび３ＧＰＰ  ＵＭＴＳのようなワイド・エリア、多元接続スペクトル拡散システム）では、許可される送信電力が低いために、聞き取り(hear)能力の問題がある。
【０１２８】
マルチパス信号は、反射、非見通し線信号経路の加算および減算干渉によって生じ、位置検出精度およびネットワークベース・システムの歩留まりにも影響を及ぼし、密度の高い都市環境が特に問題となる。マルチパスは、信号収集および多数の受信信号の収集後処理に多数の分離した受信アンテナを用いて、所在地の計算の前に、収集信号から時間および周波数誤差を除去することによって、補償することができる。
【０１２９】
多元接続無線環境における共通チャネル信号干渉は、デバイス特定の特徴（例えば、カラー・コード）の監視によって、またはスプリアス信号成分を除去するための収集した信号対間におけるディジタル共通モード・フィルタリングおよび相関付けによって最少に抑えることができる。
ネットワーク・ベース−ＴＯＡ
【０１３０】
ネットワーク・ベース到達時間システムは、デバイスからブロードキャストされネットワーク局によって受信される対象信号を拠り所とする。ネットワーク・ベースＴＯＡの異形には、以下に概要を述べるものが含まれる。
単一局ＴＯＡ
【０１３１】
距離(range)測定は、送受信機の間を受け渡され次いで戻されるポーリング信号の往復時間から推定することができる。実際、この距離測定は、戻り信号のＴＯＡに基づいている。距離推定値を、ネットワーク・ノードの分かっている所在地と組み合わせることによって、所在地の推定値および誤差の推定値が得られる。信号局ＴＯＡは、到達角度または到達電力のような追加の所在地情報が入手可能な、混成システムにおいて有用である。
【０１３２】
信号局ＴＯＡ技法の商用としての応用例が、ETSI Technical Standards for GSM:03.71（ＧＳＭ：０３．７１用ＥＴＳＩ技術規格）に記載されているＣＧＩ＋ＴＡ位置検出方法、および第３世代パートナーシップ・プロジェクト（３ＧＰＰ）によるLocation Services (LCS); Functional description; Stage 2_23.171（位置検出サービス（ＬＣＳ）；機能の説明；段階２＿２３．１７１）にある。
同期ネットワークＴＯＡ
【０１３３】
同期ネットワークにおけるネットワーク・ベースＴＯＡ位置検出は、多数の受信機サイトにおける無線ブロードキャストの絶対到達時間を用いる。信号は既知の速度で進行するので、受信機における到達時間から距離を計算することができる。２箇所の受信機において収集した到達時間データは、位置を２点に狭め、正確な位置を解明するためには受信機からのＴＯＡデータが必要となる。ネットワーク基地局の同期は重要である。タイミング同期における低精度は、直接所在地推定誤差に横滑りする。較正でなくすことができる他の静的誤差源には、ネットワーク受信機におけるアンテナおよび配線レイテンシが含まれる。
【０１３４】
超高精度（原子）クロックまたはＧＰＳ型無線時間基準(radio time reference)が手頃な価格となり移植が可能(portability)となったときに、将来の同期ネットワークＴＯＡに可能な実現例では、送信機および受信機を共通の時間標準に固定することができるようになる。送信機および受信機双方が共通にタイミングを有すると、飛行時間(time-of-flight)を直接計算することができ、距離を飛行時間および光速から判定することができる。
非同期ネットワークＴＯＡ
【０１３５】
非同期ネットワークにおけるネットワーク・ベースＴＯＡ位置検出は、ネットワーク・ベース受信機における無線ブロードキャストの相対的到達時間を用いる。この技法では、個々の受信機サイト間の距離、および個々の受信機のタイミングにおけるあらゆる差が分かってなければならない。次いで、受信機サイトに対して、信号到達時間を正規化し、デバイスと各受信機との間の飛行時間のみを残す。無線信号は既知の速度で進行するので、受信機において得られた正規化到達時間から距離を計算することができる。更に多くの受信機の内３箇所から収集した到達時間データを用いて、正確な位置を解明する。
ネットワーク・ベースＴＤＯＡ
【０１３６】
ネットワーク・ベース（アップリンク）到達時間差ワイヤレス位置検出システムでは、多数のネットワーク受信局／送受信局において、対象の送信信号を収集し、処理し、高い精度のタイム・スタンプを付ける。各ネットワーク局の所在地、つまり局間の距離は正確に分かる。ネットワーク受信局においてタイム・スタンプを付けるには、非常に安定したクロックと高度に同期させるか、または受信局間におけるタイミングの差が分かっている必要がある。
【０１３７】
受信局のいずれの対からの収集信号間の測定時間差も、位置の双曲線によって表すことができる。受信機の位置は、受信信号間の時間差が一定となる双曲線上のどこかとして決定することができる。各受信機対間における位置の双曲線判定を繰り返し、双曲線間の交点を計算することにより、所在地推定を決定することができる。
ネットワーク・ベースＡｏＡ
【０１３８】
ＡＯＡ方法は、２箇所以上の受信機サイトにおいて多数のアンテナまたはマルチ・エレメント・アンテナを用い、各受信機サイトにおける到達無線信号の入射角を判定することによって、送信機の所在地を判定する。米国特許第４，７２８，９５９号、"Direction Finding Localization"（方向発見位置特定）を参照すると、戸外セルラ環境における位置検出の提供として本来記載されているように、ＡｏＡ技法は、超広帯域（ＵＷＢ）またはＷｉＦｉ（ＩＥＥＥ８０２．１１）無線技術を用いると戸内でも用いることができる。
ネットワーク・ベースＰＯＡ
【０１３９】
到達電力は、単一のネットワーク・ノードとワイヤレス・デバイスとの間で用いられる近接度測定値である。システムが送受信機から成る場合、デバイスとネットワーク・ノードとの間において順方向および逆方向双方の無線チャネルが利用可能であり、ワイヤレス・デバイスに送信にはある電力を用いるように指令することができ、それ以外の場合、デバイスの送信機の電力は先験的に分かってなければならない。無線信号の電力は距離(range)と共に減少するので（大気による無線波の減衰、ならびに自由空間損失、平面地球損失(plane earth loss)、および回折損失を組み合わせた効果による）、受信信号から距離の推定値を判定することができる。最も単純な関係では、送信機と受信機との間の距離が長くなる程、放射無線エネルギは、球体の表面上を拡散するかのようにモデル化される。この球体モデルは、受信機における無線電力が距離の二乗で減少することを意味する。この単純なＰＯＡモデルは、更に改良した伝搬モデルの使用、および可能性が高い送信サイトにおける検査送信による較正の使用によって、精巧化することができる。
ネットワーク・ベースＰＯＡマルチパス
【０１４０】
この到達電力位置検出技術は、ワイヤレス・デバイスの位置を検出するために、物理的環境の特徴を用いる。無線送信は、受信機（ネットワーク・アンテナまたはデバイスのアンテナのいずれか）までの経路上の直接見通し線上にない物体による反射および吸収を受け、マルチパス干渉が生ずる。受信機において、多数の時間遅延し減衰した送信のコピーの総和が到達し、これらを収集する。
【０１４１】
ＰＯＡマルチパス・フィンガープリント技法は、マルチパス劣化信号の振幅を用いて、受信信号を特徴化し、ある較正場所(calibration locations)から受信されることが分かっている振幅パターンのデータベースと照合する。
【０１４２】
マルチパス・フィンガープリント法を用いるには、操作者は無線ネットワークを較正し（全サービス・エリアに及ぶ格子パターンで実行される検査送信を用いる）、後に比較するために、振幅パターン・フィンガープリントのデータベースを構築する。データベースを更新し、季節の変化および較正エリアにおける建設または撤去の効果による無線環境の変化を補償するためには、周期的な較正が必要となる。
ネットワーク・ベースＰＤＯＡ
【０１４３】
到達電力差では、１対多数の配置が必要となり、多数のセンサおよび１つの送信機、または多数の送信機および１つのセンサとなる。ＰＤＯＡ技法では、送信電力およびセンサ所在地が先験的に分かっており、測定センサにおける電力測定値を（アンテナおよびセンサに対して）局在的な増幅または減衰に合わせて較正できるようにしなければならない。
ネットワーク・ベース混成
【０１４４】
ネットワークベース・システムは、ネットワーク・ベース位置検出技術のみ、またはネットワーク・ベースおよびデバイス・ベース位置検出技術の一方の混合を用いて、混成システムとして展開することができる。
デバイス・ベース位置検出技法
【０１４５】
デバイス・ベース受信機または送受信機は、別の名称、即ち、移動局（セルラ）、アクセス・ポイント（ワイヤレス・ローカル・アクセス・ネットワーク）、トランスポンダ（ＲＦＩＤ）、スレーブ（Bluetooth）、またはタグ（ＵＷＢ）でも知られている。デバイスベース・システムにおいては、測定しようとする信号がネットワークにおいて発生しているので、デバイスベース・システムは、信号を受信し、その到達時間または信号強度を測定する。デバイス所在地の計算は、デバイスにおいて実行することができ、あるいは測定した信号特性をサーバに送信し、更に処理することもできる。
デバイス・ベースＴＯＡ
【０１４６】
同期ネットワークにおけるデバイス・ベースＴＯＡ位置検出では、移動体受信機における多数の無線ブロードキャストの絶対到達時間を用いる。信号は既知の速度で進行するので、距離は受信機における到達時間から計算することができ、あるいはネットワークに伝達し返してサーバにおいて計算することもできる。２つの送信機からの到達時間データは、位置を２つの点に狭め、第３送信機からのデータが、正確な位置を解明するために必要となる。ネットワーク基地局の同期が重要となる。タイミング同期における低精度は、直接所在地推定誤差に横滑りする。較正でなくすことができる他の静的誤差源には、ネットワーク送信機におけるアンテナおよび配線レイテンシが含まれる。
【０１４７】
超高精度（原子）クロックまたはＧＰＳ型時間基準が手頃な価格となり移植できるように(portability)なったときに可能な将来のデバイス・ベース同期ネットワークＴＯＡの実現例は、送信機および受信機を共通の時間標準に固定するためになる。送信機および受信機双方が共通にタイミングを有すると、飛行時間(time-of-flight)を直接計算することができ、距離を飛行時間および光速から判定することができる。
デバイス・ベースＴＤＯＡ
【０１４８】
デバイス・ベースＴＤＯＡは、地理的に分散するネットワーク送信機からの、移動体デバイスにおいて収集した信号が基本となる。送信機が（直接またはブロードキャストを通じて）その所在地を提示しない、または送信機の所在地がデバイスのメモリに維持されていないと、デバイスはＴＤＯＡ所在地推定を直接実行することができず、収集した信号に関する情報を陸側サーバにアップロードしなければならない。
【０１４９】
ネットワーク送信局が信号をブロードキャストするには、非常に安定したクロックと送信機が同期していること、または送信局間のタイミング差が、ワイヤレス・デバイスまたは陸側サーバのいずれかに位置する所在地判定エンジンに分かっていることが必要となる。
【０１５０】
デバイス・ベースＴＤＯＡを用いる商用位置検出システムは、高度順方向リンク三角測量（ＡＦＬＴ）および強化順方向リンク三角測量（ＥＦＬＴ）（双方ともＡＮＳＩ規格ＩＳ−８０１において規格化されている）システムを含む。これらは、ＣＤＭＡ（ＡＮＳＩ規格ＩＳ−９５、ＩＳ−２０００）ネットワークにおける媒体精度フォールバック位置検出方法(medium accuracy fallback location method)として用いられる。
デバイス・ベース観察時間差
【０１５１】
デバイス・ベース観察時間差位置検出技法は、３箇所以上のネットワーク送信機からの信号が２箇所の地理的に分散した場所に到達する時間を測定する。これらの場所は、ワイヤレス・ハンドセットの個体群またはネットワーク内における固定の場所とすることができる。ネットワーク送信機の所在地は、所在地計算を行うサーバには先験的に分かっていなければならない。ハンドセットの位置は、２組のタイミング測定値間の時間差を比較することによって判定する。
【０１５２】
この技法の例には、ＧＳＭ強化観察時間差（Ｅ−ＯＴＤ）システム（ＥＴＳＩ  ＧＳＭ規格０３．７１）、およびＵＭＴＳ観察到達時間差（ＯＴＤＯＡ）システムが含まれる。ＥＯＴＤおよびＯＴＤＯＡ双方をネットワークＴＯＡまたはＰＯＡ測定値と組み合わせると、更に精度が高い所在地推定値を発生することができる。
デバイス・ベースＴＤＯＡ−ＧＰＳ
【０１５３】
汎地球測地システム（ＧＰＳ）は、衛星ベースＴＤＯＡシステムであり、地球上の受信機が精度高い場所情報を計算することを可能にする。このシステムは、合計２４機の活動中の衛星を用い、異なるが等しく離間された６つの軌道平面内に、非常に精度が高い原子クロックが配置されている。各軌道面は、等距離に離間した４機の衛星を有し、地球の表面からの可視性を最大限高めるようにしている。典型的なＧＰＳ受信機ユーザは、いずれの時点でも視野内に５機および８機の間の衛星を有する。４機の衛星が見えれば、地球上の位置を計算することができるためには十分なタイミング情報が得られる。
【０１５４】
各ＧＰＳ衛星は、その所在地および現在時刻に関する情報を含むデータを送信する。全てのＧＰＳ衛星は動作を同期させているので、これらの反復信号は事実上同じ時点に送信される。信号は、光速で移動し、多少異なる時点にＧＰＳ受信機に到達する。これは、一部の衛星が他の衛星よりも離れているからである。ＧＰＳ衛星までの距離は、衛星からの信号が受信機に到着するのに要する時間を計算することによって判定することができる。受信機が少なくとも４機のＧＰＳ衛星からの距離を計算することができれば、三次元でＧＰＳ受信機の位置を判定することができる。
【０１５５】
衛星は、種々の情報を送信する。主なエレメントの一部は、天体暦および天文暦データとして知られている。天体暦データは、衛星の正確な軌道の計算を可能にする情報である。天文暦データは、コンスタレーションにおける全ての衛星の近似位置を与え、これから、ＧＰＳ受信機はどの衛星が視野にあるいか発見することができる。
【数１】
2010504701.tif 000005
ここで、
ｉ：衛星の数
ａｉ：キャリアの振幅
Ｄｉ：衛星ナビゲーション・データ・ビット（データ・レートは５０Ｈｚ）
ＣＡｉ：Ｃ／Ａ符号（チッピング・レートは１．０２３ＭＨｚ）
ｔ：時間
ｔｉ０：Ｃ／Ａ符号初期位相
ｆｉ：キャリア周波数
φｉ：キャリア位相
ｎ：ノイズ
ｗ：干渉
デバイス・ベース混成ＴＤＯＡ−Ａ−ＧＰＳ
【０１５６】
ＧＰＳ衛星との直接見通し線を得ることができないときの衛星捕獲時間が長いこと、そして位置検出歩留まりが低いことのために、Taylorが補助ＧＰＳを開示した（米国特許第４，４４５，１１８号、"Navigation system and method"（ナビゲーション・システムおよび方法）を参照のこと）。
位置検出のためのワイヤレス技術
ブロードキャスト位置検出システム
【０１５７】
地理的に分散した送信ビーコンのネットワークを通じてタイミング信号を供給するシステムができるように、専用スペクトルを用い、地理的に分散した受信機ネットワークおよびワイヤレス送信機「タグ」を備えている位置検出システムを、本発明と共に用いることができ、ＬＤＰデバイス１１０は受信ユニットまたは送受信ユニットとして機能する。ＬＤＰデバイス１１０は、このようなワイヤレス・システムの送信タグまたは受信ユニットのいずれにも非常に適しており、サービス・エリア、アクセス可能性、および位置検出サービスの価格設定に応じて、このようなネットワークを用いることができる。位置検出ネットワークが専用スペクトル帯域において動作する場合、ＬＤＰデバイス１１０は、他の無線通信ネットワークを利用するその能力を用いて、ＬＥＳ２２０および陸側位置検出アプリケーションと会話することができる。これらのブロードキャスト位置検出システムの例には、ロ−ジャック車両回収システム(Lo-jack vehicle recovery system)、ＬＯＲＡＮシステム、およびRosum HDTV 送信機に基づくＥ−ＯＴＤ状システムが含まれる。
セルラ
【０１５８】
ＡＭＰＳ、ＴＤＭＡ、ＣＤＭＡ、ＧＳＭ、ＧＰＲＳ、およびＵＭＴＳに基づくワイヤレス（セルラ）システムは全て、本発明に必要なデータ通信リンクをサポートする。セルラ位置検出技法を強化するセルラ位置検出システムおよびデバイスについて、TruePosition社の米国特許において詳細に教示されている。これらの特許は、種々の位置検出手法に波及し、限定ではなく、ＡｏＡ、ＡｏＡ混成、ＴＤＯＡ、ＴＤＯＡ／ＦＤＯＡ、Ａ−ＧＰＳ、混成Ａ−ＧＰＳを含むＴＤＯＡ混成を含む。記載した技術の多くは、現在、商用サービスとなっている。
ローカルおよびワイド・エリア・ネットワーク
【０１５９】
これらのワイヤレス・システムは、全て、純粋にディジタルのデータ通信システムとして設計されており、音声を中心とし、データ能力を二次的な目的で追加したシステムではない。関与する種々の規格群の相互受粉(pollination)の結果、無線技術、信号処理技法、およびデータ・ストリーム・フォーマットにかなりの重複が生じている。開発した種々のシステムを調和させるために、The European Telecommunications Standards Institute（ＥＴＳＩ：ヨーロッパ遠隔通信標準機関）の Project for Broadband Radio Access Networks (ＢＲＡＮ：広帯域無線アクセス・ネットワークのための規格境界プロジェクト)、Institute of Electrical and Electronics Engineers（ＩＥＥＥ）、および日本のMultimedia Mobile Access Communication Systems (ＭＭＡＣ：マルチメディア移動体アクセス通信システム)（高速ワイヤレス・アクセス・ネットワーク作業グループ）の全てが活動している。
【０１６０】
一般に、非許諾スペクトルを用いるＷＬＡＮシステムは、他のアクセス・ポイントにハンドオフできなくても動作する。アクセス・ポイント間における調整ができないと、ＰＯＡおよびＴＯＡ（往復遅延）のように、単局技法に位置検出技法が限られることになる。
ＩＥＥＥ８０２．１１−ＷｉＦｉ
【０１６１】
ＷｉＦｉは、ＩＥＥＥ８０２．１１として規格化されている。現在、改訂版には８０２．１１ａ、８０２．１１ｂ、８０２．１１ｇ、および８０２．１１ｎが含まれる。非許諾スペクトルを用いる短距離、ワイヤレス・ローカル・エリア・ネットワークとして設計され、ＷｉＦｉシステムは、種々の近接位置検出技法に非常に適している。電力は、FCC Part 15（Federal Regulations transmission rules, Part 15, subsection 245（連邦送信規制規則、第１５部、副章２４５）の見出し４７) に準拠するように制限されている。
【０１６２】
ＦＣＣ規則の１５．２４５部は、許諾のないシステムが発信することができ、認められる最大有効等幅放射電力（ＥＩＲＰ）について記載している。この規則は、この部の下における証明書を求めてシステムを提出しようとする人々を対象とする。これは、証明されたシステムは、最大１ワット（＋３６ｄＢｍ）の送信電力を無指向性アンテナに向けて有し、６ｄＢｉの利得を有することができる。この結果、ＥＩＲＰは＋３０ｄＢｍ＋６ｄＢｉ＝＋３６ｄＢｍ（４ワット）となる。更に高い利得無指向性アンテナが認められた場合、アンテナへの送信電力は、当該システムのＥＩＲＰが＋３６ｄＢｍ  ＥＩＲＰを超過しないように、減少しなければならない。つまり、１２ｄＢｉの無指向性アンテナでは、認められる最大電力は＋２４ｄＢｍ（２５０ｍＷ（＋２４ｄＢｍ＋１２ｄＢｉ＝３６ｄＢｍ）となる。二点間システムで用いられる指向性アンテナでは、ＥＩＲＰはアンテナの利得において３ｄＢ増加する毎に１ｄＢ増加することができる。２４ｄＢｉのディッシュ・アンテナでは、＋２４ｄＢｍの送信電力をこの高利得アンテナに供給することができる。その結果、ＥＩＲＰは＋２４ｄＢｍ＋２４ｄＢｉ＝４８ｄｂｍ（６４ワット）となる。
【０１６３】
ＩＥＥＥ８０２．１１近接位置検出方法は、ネットワーク・ベースまたはデバイス・ベースのいずれでも可能である。
ＨｉｐｅｒＬＡＮ
【０１６４】
HiperLANは、高性能無線ローカル・エリア・ネットワークには不十分である。HiperLANは、ヨーロッパ電気通信規格協会（ＥＴＳＩ）によって開発され、主にヨーロッパの国々において用いられているＷＬＡＮ通信規格の集合である。
【０１６５】
HiperLANは、広帯域無線アクセス・ネットワークの比較的短距離向け異体であり、公衆ＵＭＴＳ（３ＧＰＰセルラ）ネットワークおよびワイヤレスＬＡＮ型システムとしての私的使用のための相補アクセス機構となるように設計された。HiperLANは、種々のディジタル・パケット・ネットワークに高速（５４Ｍｂ／ｓまで）ワイヤレス・アクセスを提供する。
ＩＥＥＥ８０２．１６−ＷｉＭＡＮ、ＷｉＭＡＸ
【０１６６】
ＩＥＥＥ８０２．１６は、一点対多点広帯域ワイヤレス・アクセスに特化したＩＥＥＥ８０２の作業グループの番号である。
ＩＥＥＥ８０２．１５．４−ＺｉｇＢｅｅ
【０１６７】
ＩＥＥＥ８０２．１５．４／ＺｉｇＢｅｅは、ワイヤレス監視、光制御、セキュリティ警報、動きセンサ、サーモスタット、および煙検出器というような使用のための低電力ネットワークについての仕様であることを意図している。８０２．１５．１４／ＺｉｇＢｅｅは、ＭＡＣおよびＰＨＹレイヤの仕様を決めるＩＥＥＥ８０２．１５．４規格の上に構築されている。「ＺｉｇＢｅｅ」は、Zigbee Allianceと呼ばれる多数のベンダから成るコンソーシアムによる開発における上位層強化に由来する。例えば、８０２．１５．４は１２８ビットＡＥＳ暗号化の仕様を定め、一方ＺｉｇＢｅｅは暗号鍵の交換をどのように扱うか指定する。８０２．１５．４／ＺｉｇＢｅｅネットワークは、米国における２．４ＧＨｚ帯域を含む、非許諾周波数において運用することを予定されている。
超広帯域（ＵＷＢ）
【０１６８】
ＦＣＣ規則の１５．５０３部は、ＵＷＢ動作についての定義および制限を規定する。超広帯域は、無線信号を変調する最も古い技法（マルコーニ・スパーク・ギャップ送信機）の最新の実施形態である。パルス符号変調を用いて、広帯域スペクトル拡散信号上にデータをエンコードする。
【０１６９】
超広帯域システムは、従来の無線通信システムよりも遥かに広い周波数にわたって信号を送信し、通常検出が非常に難しい。ＵＷＢ信号が占めるスペクトル量、即ち、ＵＷＢ信号の帯域幅は中心周波数の少なくとも２５％である。つまり、２ＧＨｚを中心とするＵＷＢ信号の場合、最少帯域幅が５００ＭＨｚとなり、４ＧＨｚを中心とするＵＷＢ信号の最少帯域幅は１ＧＨｚとなる。ＵＷＢ信号を発生する最も普及している方法は、期間が１ナノ秒未満のパルスを送信することである。
【０１７０】
非常に広帯域の信号を用いて二進情報を送信する場合、ＵＷＢ技法は、近接（ＰＯＡによる）ＡｏＡ、ＴＤＯＡまたはこれらの技法の混成のいずれの位置検出にも有用である。理論的に、ＴＤＯＡ推定の精度は、積分時間、各受信サイトにおける信号対ノイズ比（ＳＮＲ）のような数個の実際の要因、ならびに送信信号の帯域幅によって制限される。クラメール−ラオ境界(Cramer-Rao bound)は、この依存性を示す。これは次のように近似することができる。
【数２】
2010504701.tif 000006
ここで、frmsは、信号のｒｍｓ帯域幅であり、ｂは受信機のノイズ等価帯域幅であり、Ｔは積分時間であり、Ｓは２箇所のサイトの内小さい方のＳＮＲである。ＴＤＯＡの公式は、低い方の境界を表す。実際には、システムは干渉およびマルチパスを扱い、これらの双方共、有効ＳＮＲを制限する傾向がある。ＵＷＢ無線技術は、マルチパス干渉の効果に対して非常に強い。何故なら、ＵＷＢ信号の信号帯域幅は、マルチパス・チャネルのコヒーレント帯域幅と同様であり、異なるマルチパス成分を受信機によって解明することができるからである。
【０１７１】
ＵＷＢにおける到達電力に代用可能なものとして、信号ビット・レートの使用がある。信号対ノイズ比（ＳＮＲ）は、電力が増大するにしたがって低下するので、電力定格の増大よりも速いある時点の後では、ｓ／ｎ比の低下は、実際、情報エントロピの増大、シャノン容量からの離間、したがってスループットの低下を意味する。ＵＷＢ信号の電力は、距離と共に低下するので（大気による無線波の減衰、ならびに自由空間損失、平面地球損失、および回折損失を組み合わせた効果による）、最大可能ビット・レートは、距離が延びるに連れて低下する。距離推定値に対しては使用が制限されるが、ビット・レート（またはビット・エラー・レート）は、ワイヤレス・デバイスに対する接近または離遠の指標として役割を果たすことができる。
【０１７２】
最も簡単な関係では、送信機および受信機間の距離が増大するに連れて、放射無線エネルギは、球体の表面上を拡散するかのようにモデル化される。この球体モデルは、受信機における無線電力が距離の二乗で減少することを意味する。この単純なモデルは、更に改良した伝搬モデルの使用、および可能性が高い送信サイトにおける検査送信による較正の使用によって、洗練することができる。
Ｂｌｕｅｔｏｏｔｈ
【０１７３】
Bluetoothは、本来ワイヤレス個人エリア・ネットワーク（Ｗ−ＰＡＮまたは単にＰＡＮ）として創案されたのであった。ＰＡＮという用語は、公式な用語「Bluetoothピコネット」と相互交換可能に用いられる。Bluetoothは、非常に低い送信電力に合わせて設計され、特殊な指向性アンテナを付けずに、使用可能な距離は１０メートル以下となっている。高電力Bluetoothデバイス、または特殊な指向性アンテナの使用により、１００メートルまでの距離でも可能となる。Bluetoothの背後にある設計思想（ＰＡＮおよび／またはケーブル交換）を考慮すると、１０ｍの距離でさえも、Bluetoothの背後にある本来の目的には適当である。Bluetooth仕様の今後のバージョンでは、IEEE802.11 ＷｉＦｉ  ＷＬＡＮネットワークと競合して、更に長い距離でも可能になることもあり得る。
【０１７４】
位置検出の目的にBluetoothを用いるのは、近接に限定される（Bluetoothマスタ局の所在地が分かっているとき）が、距離または容量を増大させるために指向性アンテナを用いれば、単一局の到達角度位置検出またはＡｏＡ混成は可能である。
【０１７５】
スレーブ・デバイスがピコネット間を移動するときに、進行推定(travel estimation)の速度および方向を得ることができる。Bluetoothピコネットは、動的であり常に変化するように設計されているので、あるマスタの範囲から退出し別のマスタの範囲に進入するデバイスは、短い時間期間（通例１から５秒の間）に新しいリンクを確立することができる。スレーブ・デバイスが少なくとも２つのマスタ間を移動すると、マスタの既知の位置から方向ベクトルを形成することができる。３つ以上のマスタ間にリンクが（直列に）作成される場合、デバイスの方向および速度の推定値を計算することができる。
【０１７６】
Bluetoothネットワークは、本発明に必要なデータ・リンクを提供することができる。ＬＤＰデバイス１１０からＬＥＳ２２０へのデータも、Ｗ−ＬＡＮまたはセルラ・データ・ネットワーク上に確立することができる。
ＲＦＩＤ
【０１７７】
無線周波数識別（ＲＦＩＤ）は、自動識別および近接位置検出方法であり、ＲＦＩＤタグまたはトランスポンダと呼ばれるデバイスを用いてデータを格納し離れたところから読み出すことを基本とする。ＲＦＩＤタグとは、カプセル化した無線送信機または送受信機である。ＲＦＩＤタグはアンテナを内蔵し、ＲＦＩＤリーダ（無線送受信機）からの無線周波数クエリを受信してこれに応答し、次いでタグのソリッド・ステート・メモリの内容を含む無線周波数応答で応答する。
【０１７８】
受動式ＲＦＩＤタグは、内部電源を必要とせず、誘導的にリーダをタグの中にあるコイル・アンテナに結合することによって、またはリーダとタグの二極アンテナとの間で後方散乱結合することによって供給される電力を用いる。能動式ＲＦＩＤタグは電源を必要とする。
【０１７９】
タグは、ＲＦＩＤリーダと近接するときでないと対象信号を送信しないので、ＲＦＩＤワイヤレス位置検出は到達電力方法に基づく。タグは、リーダによって走査されるときだけアクティブになるので、分かっているリーダの所在地から、タグが付けられた品目の所在地を判定する。ＲＦＩＤは、近接度に基づいた場所に基づくサービスを可能にする（位置検出および位置検出の時間）。ＲＦＩＤからは、進行に付随する速度や方向の情報は得られない。
【０１８０】
ＲＦＩＤリーダは、十分な有線またはワイヤレス・バックホール(backhaul)が装備されていても、本発明に必要な十分なデータ・リンク帯域幅を提供する可能性は低い。更に可能性が高い実現例では、ＲＦＩＤリーダは所在地の指示を提供し、一方ＬＤＰ対ＬＥＳ２２０のデータ接続もＷＬＡＮまたはセルラ・データ・ネットワーク上で確立することができる。
近場通信
【０１８１】
受動ＲＦＩＤシステムの異体、近場通信（ＮＦＣ）は、１３．５６ＭＨｚのＲＦＩＤ周波数範囲で動作する。近接位置検出が可能であり、ＮＦＣ送信機の距離は８インチ未満である。ＮＦＣ技術は、ＩＳＯ１８０９２、ＩＳＯ２１４８１、ＥＣＭＡ（３４０、３５２、および３５６）、およびＥＴＳＩ  ＴＳ  １０２  １９０において規格化されている。
Ｇ．ＷＬＳ関係特許の引用
【０１８２】
本発明の譲受人であるTruePosition社、およびその完全所有子会社であるＫＳＩ社は、長年にわたって、ワイヤレス位置検出の分野において発明を行い、関連出願の明細表を調達しており、その一部を先に引用した。したがって、以下の特許を調べれば、本発明およびワイヤレス位置検出の分野における改良に関する更なる情報や背景を得ることができる。
１．２００５年４月５日付米国特許第６，８７６，８５９号Ｂ２、ワイヤレス位置検出システムにおいてＴＤＯＡおよびＦＤＯＡを推定する方法。
２．２００５年３月２９日付米国特許第６，８７３，２９０号Ｂ２、多重パス位置検出処理装置
３．２００４年８月２４日付米国特許第６，７８２，２６４号Ｂ２、ワイヤレス位置検出システムにおける呼情報の監視
４．２００４年８月３日付米国特許第６，７７１，６２５号Ｂ１、ワイヤレス電話機の位置を検出するための疑似ライト増強ＧＰＳ(Pseudolite-Augmented GPS)
５．２００４年７月２０日付米国特許第６，７６５，５３１号Ｂ２、ワイヤレス位置検出システムにおいて用いるための、位置検出計算における干渉相殺システムおよび方法
６．２００３年１２月９日付米国特許第６，６６１，３７９号Ｂ２、ワイヤレス位置検出システムのアンテナ選択方法
７．２００３年１１月１１日付米国特許第６，６４６，６０４号Ｂ２、音声／トラフィック・チャネル追跡のためのワイヤレス・システムの狭帯域受信機の自動同期同調
８．２００３年８月５日付米国特許第６，６０３，４２８号Ｂ２、多重パス位置検出処理
９．２００３年５月１３日付米国特許第６，５６３，４６０号Ｂ２、ワイヤレス位置検出システムにおける衝突回復
１０．２００３年４月８日付米国特許第６，５４６，２５６号Ｂ１、ロバストで効率的な位置検出関連測定
１１．２００３年２月１１日付米国特許第６，５１９，４６５号Ｂ２、Ｅ−９１１通話の精度を高めるために改良した送信方法、
１２．２００２年１２月１０日付米国特許第６，４９２，９４４号Ｂ１、無線ロケーション・システムの受信システムの内部較正方法、
１３．２００２年１１月１９日付米国特許第６，４８３，４６０号Ｂ２、無線ロケーション・システムにおいて用いるベースライン選択方法、
１４．２００２年１０月８日付米国特許第６，４６３，２９０号Ｂ１、無線ロケーション・システムの精度を高めるための移動機補助ネットワークに基づく技術、
１５．２００２年６月４日付米国特許第６，４００，３２０号、無線ロケーション・システム用アンテナ選択方法、
１６．２００２年５月１４日付米国特許第６，３８８，６１８号、無線ロケーション・システム用信号補正システム、
１７．２００２年４月２日付米国特許第６，３６６，２４１号、位置依存信号特性の判定強化
１８．２００２年２月２６日付米国特許第６，３５１，２３５号、無線ロケーション・システムの受信システムの同期を取る方法およびシステム、
１９．２００１年１１月１３日付米国特許第６，３１７，０８１号、無線ロケーション・システムの受信システムのための内部較正方法、
２０．２００１年９月４日付米国特許第６，２８５，３２１号、無線ロケーション・システムのための局に基づく処理方法、
２１．２００１年１２月２５日付米国特許第６，３３４，０５９号、Ｅ−９１１通話の精度を高めるために改良した送信方法、
２２．２００１年１１月１３日付米国特許第６，３１７，６０４号、無線ロケーション・システム用集中データベース・システム、
２３．２００１年９月１１日付米国特許第６，２８８，６７６号、単一局通信位置確認装置および方法、
２４．２００１年９月１１日付米国特許第６，２８８，６７５号、単一局通信位置確認システム、
２５．２００１年８月２８日付米国特許第６，２８１，８３４号、無線ロケーション・システムの較正、
２６．２００１年７月２４日付米国特許第６，２６６，０１３号、無線ロケーション・システムの信号補正システムのためのアーキテクチャ、
２７．２００１年２月６日付米国特許第６，１８４，８２９号、無線ロケーション・システムの較正、
２８．２００１年１月９日付米国特許第６，１７２，６４４号、無線ロケーション・システムのための緊急時位置検出方法、
２９．２０００年９月５日付米国特許第６，１１５，５９９号、無線ロケーション・システムにおいて用いるための有向再試行方法(directed retry method)、
３０．２０００年８月１日付米国特許第６，０９７，３３６号、無線ロケーション・システムの精度を高める方法、
３１．２０００年７月１８日付米国特許第６，０９１，３６２号、無線ロケーション・システムのための帯域幅合成、
３２．２０００年４月４日付米国特許第６，０４７，１９２号、ロバスト性があり、効率的な位置確認システム、
３３．２０００年８月２２日付米国特許第６，１０８，５５５号、改良した時間差位置確認システム、
３４．２０００年８月８日付米国特許第６，１０１，１７８号、無線電話機の位置を突き止めるための疑似ライト(pseudolite)増大ＧＰＳ、
３５．２０００年９月１２日付米国特許第６，１１９，０１３号、改良した時間差位置確認システム、
３６．２０００年１０月３日付米国特許第６，１２７，９７５号、単一局通信位置確認システム、
３７．１９９９年９月２８日付米国特許第５，９５９，５８０号、通信位置確認システム、
３８．１９９７年３月４日付米国特許第５，６０８，４１０号、バースト状送信の発信源を突き止めるシステム、および
３９．１９９４年７月５日付米国特許第５，３２７，１４４号、セルラ電話ロケーション・システム、および
４０．１９８８年３月１日付米国特許第４，７２８，９５９号、方向発見位置確認システム。
Ｈ．結論
【０１８３】
本発明の真の範囲は、ここに開示した、例示的な実施形態例に限定されるのではない。例えば、ワイヤレス位置検出システム（ＷＬＳ）の例示的実施形態の開示では、ワイヤレス・デバイス、移動局、クライアント、ネットワーク局等のような説明用語が用いられているが、本願の保護範囲を限定するように、またはそれ以外で本発明のＷＬＳの態様が、開示した特定の方法および装置に限定されることを暗示するように解釈してはならない。例えば、ＬＤＰデバイスおよびＬＥＳという用語は、図１および図２に図示した具体的な構造例を、本発明を実用化する際に用いなければならないことを暗示することを意図するのではない。本発明の具体的な実施形態は、いずれの種類の移動体ワイヤレス・デバイスでも、ここに記載した発明を実行するためにプログラミングすることができるのであればいずれの種類のサーバ・コンピュータでも利用することができる。更に、多くの場合、ここに記載した実現例（即ち、機能的エレメント）の場所は、単に設計者の好みであり、要件ではない。したがって、明示的に限定され得る場合を除いて、先に説明した特定的な実施形態に保護範囲が限定されることは意図していない。
【図１】
2010504701.tif 000007
【図２】
2010504701.tif 000008
【図３】
2010504701.tif 000009
【図４】
2010504701.tif 000010
【図５】
2010504701.tif 000011
【図６】
2010504701.tif 000012
【図７】
2010504701.tif 000013
【図８】
2010504701.tif 000014
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
制御プレーンおよびユーザ・プレーンを通じてワイヤレス通信システムと通信するように構成された移動体ワイヤレス・デバイスの位置を検出するシステムであって、ユーザ・プレーンは、ワイヤレス・デバイスからのデータ送信をサポートするデータ・チャネルを備え、前記データ・チャネルにおけるデータ・シグナリング・ペイロード・コンテンツは、検査または修正を受けずに前記ワイヤレス通信システムを通過し、前記データ・チャネル・ペイロードは、前記ワイヤレス通信システムの機能的エレメントの動作を通知、制御あるいは修正せず、前記システムが、
位置を検出すべきワイヤレス・デバイスと、前記データ・チャネルを通じて通信し、前記ワイヤレス・デバイスから、ワイヤレス位置検出システムにタスクを割り当てるのに有用な情報を入手するように構成されたサーバを備えた、システム。
【請求項２】
請求項１記載のシステムにおいて、前記タスクを割り当てるのに有用な情報は、前記ワイヤレス・デバイスが通信している担当セル・サイトに隣接する少なくとも１つのセル・サイトを示す情報、前記ワイヤレス・デバイスが通信している担当セル・サイトを示す情報、前記ワイヤレス・デバイスが担当セル・サイトと通信している逆チャネルを識別する情報、および無線チャネル情報のうち少なくとも１つを含む、システム。
【請求項３】
請求項１記載のシステムにおいて、前記タスクを割り当てるのに有用な情報は、無線チャネル情報を含む、システム。
【請求項４】
請求項３記載のシステムにおいて、前記無線チャネル情報は、前記ワイヤレス・デバイスの位置を検出するために用いることができる特定の受信機を示す情報、担当セルＡＲＦＣＮを示す情報、担当セルＢＳＩＣを示す情報、以前のセルＣＧＩおよびＴＡを示す情報、アップリンク受信レベルおよび品質を示す情報、ダウンリンク受信レベルおよび品質を示す情報、タイミング進み（ＴＡ）を示す情報、ネットワーク測定報告（ＮＭＲ）、ＡＲＦＣＮを示す情報、タイムスロットを示す情報、チャネル・タイプを示す情報、サブチャネル番号を示す情報、周波数リストを示す情報、ＭＡＩＯを示す情報、ＨＳＮを示す情報、フレーム番号を示す情報、暗号鍵を示す情報、暗号アルゴリズムを示す情報、誤り訂正符号化方法およびレベルを示す情報、割り当てられたフレームを示す情報、変調方式を示す情報、ＣＤＭＡ拡散符号を示す情報、パイロットＰＮオフセットを示す情報、逆パイロット・チャネル・フォーマットを示す情報、ベータ・パラメータを示す情報、長符号マスクを示す情報、ならびに拡散係数を示す情報のうち少なくとも１つを含む、システム。
【請求項５】
請求項１記載のシステムにおいて、前記サーバは、ＩＰベース（インターネット・プロトコル・ベース）インターフェースを通じて前記ワイヤレス通信システムと通信するように構成された、システム。
【請求項６】
請求項１記載のシステムにおいて、当該システムは、前記ワイヤレス位置検出システムを含み、該ワイヤレス位置検出システムは、前記ワイヤレス・デバイスからアップリンク送信を受信するタスクを割り当てられ、前記ワイヤレス・デバイスの位置を検出するために到達時間差（ＴＤＯＡ）アルゴリズムを採用するように構成された複数の位置測定ユニット（ＬＭＵ）を備えた、システム。
【請求項７】
請求項６記載のシステムにおいて、前記ワイヤレス位置検出システムは、前記ＬＭＵの少なくとも１つが、前記ワイヤレス通信システムの基地送受信局（ＢＴＳ）と同じ場所に配置され、これと資源を共有するように、前記ワイヤレス通信システム上に重ね合わされた、システム。
【請求項８】
請求項１記載のシステムにおいて、当該システムは前記ワイヤレス・デバイスを含み、該ワイヤレス・デバイスは、ワイヤレス通信サブシステムと、プロセッサと、コンピュータ読み取り可能記憶媒体とを備えた位置検出デバイス・プラットフォーム（ＬＤＰ）デバイスであり、該ＬＤＰデバイスは、ワイヤレス位置検出システムにタスクを割り当てるのに有用な前記情報を提供するために、前記サーバと通信するように構成された、システム。
【請求項９】
請求項１記載のシステムにおいて、前記サーバは、プロセッサと、コンピュータ読み取り可能記憶媒体とを備えた位置検出対応サーバ（ＬＥＳ）であり、該ＬＥＳは、政府規制ゲーム・サービスを前記ワイヤレス・デバイスに提供する目的で、ゲーム・サーバおよび前記ワイヤレス位置検出システムと通信するように構成された、システム。
【請求項１０】
請求項９記載のシステムにおいて、前記ゲーム・サービスの提供は、前記ワイヤレス・デバイスの地理的所在地に基づく、システム。
【請求項１１】
請求項１０記載のシステムにおいて、前記プロセッサおよびコンピュータ読み取り可能媒体は、前記ＬＥＳが前記ゲーム・サーバからの要求を受信し、情報を前記ゲーム・サーバに提供するように構成されており、前記情報は、ゲーム・サービスがある場合、どれを前記ワイヤレス・デバイスに提供すべきか決定する際に、前記ゲーム・サーバによって用いることができる、システム。
【請求項１２】
請求項１１記載のシステムにおいて、前記プロセッサおよびコンピュータ読み取り可能媒体は、前記ＬＥＳが前記ゲーム・サーバからの要求を受信し、前記ワイヤレス位置検出システムから所在地情報を要求するように構成された、システム。
【請求項１３】
制御プレーンおよびユーザ・プレーンを通じてワイヤレス通信システムと通信するように構成された移動体ワイヤレス・デバイスの位置を検出する方法であって、前記ユーザ・プレーンは、ワイヤレス・デバイスからのデータ送信をサポートするデータ・チャネルを備え、前記データ・チャネルにおけるデータ・シグナリング・ペイロード・コンテンツは、検査または修正を受けずに前記ワイヤレス通信システムを通過し、前記データ・チャネル・ペイロードは、前記ワイヤレス通信システムの機能的エレメントの動作を通知、制御あるいは修正せず、前記方法が、
データ・チャネルを通じてワイヤレス・デバイスと通信するようにサーバを構成するステップと、
前記ワイヤレス・デバイスから、ワイヤレス位置検出システムにタスクを割り当てるのに有用な情報を入手するステップと、
前記ワイヤレス・デバイスから入手した情報を用いて、前記ワイヤレス位置検出システムにタスクを割り当てるステップと、
を備えた、方法。
【請求項１４】
請求項１３記載の方法において、前記タスクを割り当てるのに有用な情報は、前記ワイヤレス・デバイスが通信している担当セル・サイトに隣接する少なくとも１つのセル・サイトを示す情報を含む、方法。
【請求項１５】
請求項１３記載の方法において、前記タスクを割り当てるのに有用な情報は、無線チャネル情報を含む、方法。
【請求項１６】
請求項１３記載の方法において、ＩＰベース（インターネット・プロトコル・ベース）インターフェースを通じて前記ワイヤレス通信システムと通信するように、前記サーバを構成するステップを備えた、方法。
【請求項１７】
制御プレーンおよびユーザ・プレーンを通じてワイヤレス通信システムと通信するように構成された移動体ワイヤレス・デバイスの位置を検出するシステムと共に用いるように構成されたワイヤレス・デバイスであって、前記ユーザ・プレーンは、ワイヤレス・デバイスからのデータ送信をサポートするデータ・チャネルを備え、前記データ・チャネルにおけるデータ・シグナリング・ペイロード・コンテンツは、検査または修正を受けずに前記ワイヤレス通信システムを通過し、前記データ・チャネル・ペイロードは、前記ワイヤレス通信システムの機能的エレメントの動作を通知、制御あるいは修正せず、前記デバイスが、
ワイヤレス通信サブシステムと、
プロセッサと、
コンピュータ読み取り可能媒体と、
を備えており、前記デバイスは、前記システムが用いるサーバと、前記データ・チャネルを通じて通信し、ワイヤレス位置検出システムにタスクを割り当てるのに有用な情報を前記サーバに提供するように構成された、ワイヤレス・デバイス。
【請求項１８】
請求項１７記載のワイヤレス・デバイスにおいて、前記ワイヤレス通信サブシステムは、無線受信機および無線送信機を備えており、前記プロセッサおよびコンピュータ読み取り可能記憶媒体は、前記ワイヤレス・デバイスが主にゲーム・デバイスとしての使用に限定されるように構成された、ワイヤレス・デバイス。
【請求項１９】
請求項１７記載のワイヤレス・デバイスにおいて、前記タスクを割り当てるのに有用な情報は、前記ワイヤレス・デバイスが通信している担当セル・サイトに隣接する少なくとも１つのセル・サイトを示す情報、前記ワイヤレス・デバイスが通信している担当セル・サイトを示す情報、前記ワイヤレス・デバイスが担当セル・サイトと通信している逆チャネルを識別する情報、および無線チャネル情報のうち少なくとも１つを含む、ワイヤレス・デバイス。
【請求項２０】
請求項１９記載のワイヤレス・デバイスにおいて、前記無線チャネル情報は、前記ワイヤレス・デバイスの位置を検出するために用いることができる特定の受信機を示す情報を含む、ワイヤレス・デバイス。
【請求項２１】
請求項１９記載のワイヤレス・デバイスにおいて、前記無線チャネル情報は、前記ワイヤレス・デバイスの位置を検出するために受信機を同調させなければならないチャネルを示す情報を含む、ワイヤレス・デバイス。
【請求項２２】
請求項１９記載のワイヤレス・デバイスにおいて、前記無線チャネル情報は、前記ワイヤレス・デバイスからの信号を少なくとも部分的に復調するのに有用な情報を含む、ワイヤレス・デバイス。
【請求項２３】
請求項１９記載のワイヤレス・デバイスにおいて、前記無線チャネル情報は、担当セルＣＧＩを示す情報、担当セルＡＲＦＣＮを示す情報、担当セルＢＳＩＣを示す情報、以前のセルＣＧＩおよびＴＡを示す情報、アップリンク受信レベルおよび品質を示す情報、ダウンリンク受信レベルおよび品質を示す情報、タイミング進み（ＴＡ）を示す情報、ネットワーク測定報告（ＮＭＲ）、ＡＲＦＣＮを示す情報、タイムスロットを示す情報、チャネル・タイプを示す情報、サブチャネル番号を示す情報、周波数リストを示す情報、ＭＡＩＯを示す情報、ＨＳＮを示す情報、フレーム番号を示す情報、暗号鍵を示す情報、暗号アルゴリズムを示す情報、誤り訂正符号化方法およびレベルを示す情報、割り当てられたフレームを示す情報、変調方式を示す情報、ＣＤＭＡ拡散符号を示す情報、パイロットＰＮオフセットを示す情報、逆パイロット・チャネル・フォーマットを示す情報、ベータ・パラメータを示す情報、長符号マスクを示す情報、ならびに拡散係数を示す情報から成る一群の少なくとも１つの要素を備えた、ワイヤレス・デバイス。
【請求項２４】
請求項１７記載のワイヤレス・デバイスにおいて、当該ワイヤレス・デバイスは位置検出デバイス・プラットフォーム（ＬＤＰ）デバイスである、ワイヤレス・デバイス。
【請求項２５】
請求項２４記載のワイヤレス・デバイスにおいて、前記ワイヤレス通信サブシステムは、無線受信機および無線送信機を備えており、前記プロセッサおよびコンピュータ読み取り可能記憶媒体は、前記ＬＤＰデバイスが主にゲーム・デバイスとしての使用に限定されるように構成された、ワイヤレス・デバイス。
【請求項２６】
請求項１７記載のワイヤレス・デバイスにおいて、当該デバイスは、ＧＳＭワイヤレス通信システムと共に動作するように構成された、ワイヤレス・デバイス。
【請求項２７】
請求項１７記載のワイヤレス・デバイスにおいて、当該デバイスは、ＵＭＴＳワイヤレス通信システムと共に動作するように構成された、ワイヤレス・デバイス。
【請求項２８】
請求項１７記載のワイヤレス・デバイスにおいて、当該デバイスは、ＣＤＭＡ２０００ワイヤレス通信システムと共に動作するように構成された、ワイヤレス・デバイス。
【請求項２９】
請求項１７記載のワイヤレス・デバイスにおいて、当該デバイスは、ＷｉＦｉワイヤレス通信システムと共に動作するように構成された、ワイヤレス・デバイス。
【請求項３０】
請求項１７記載のワイヤレス・デバイスにおいて、当該デバイスは、ＷｉＭａｘワイヤレス通信ワイヤレス・デバイスと共に動作するように構成された、ワイヤレス・デバイス。
【請求項３１】
制御プレーンおよびユーザ・プレーンを通じてワイヤレス通信システムと通信するように構成されたワイヤレス・デバイスによって用いる方法であって、前記ユーザ・プレーンは、ワイヤレス・デバイスからのデータ送信をサポートするデータ・チャネルを備えており、前記データ・チャネルにおけるシグナリング・ペイロード・コンテンツは、検査や修正を受けずに前記ワイヤレス通信システムを通過し、前記データ・チャネル・ペイロードは、前記ワイヤレス通信システムの機能的エレメントの動作を通知、制御、または修正せず、前記方法が、
前記ワイヤレス・デバイスの位置を検出するタスクをワイヤレス位置検出システムに割り当てるのに有用な情報をサーバに提供するために、前記データ・チャネルを通じて前記サーバと通信するステップを備えた、方法。
【請求項３２】
請求項３１記載の方法において、前記タスクを割り当てるのに有用な情報は、前記ワイヤレス・デバイスが通信している担当セル・サイトに隣接する少なくとも１つのセル・サイトを示す情報、前記ワイヤレス・デバイスが通信している担当セル・サイトを示す情報、前記ワイヤレス・デバイスが担当セル・サイトと通信している逆チャネルを識別する情報、および無線チャネル情報のうち少なくとも１つを含む、方法。
【請求項３３】
請求項３１記載の方法において、前記ワイヤレス・デバイスは位置検出デバイス・プラットフォーム（ＬＤＰ）デバイスである、方法。
【国際調査報告】
2010504701.tif 000015
2010504701.tif 000016